(57)【特許請求の範囲】
【請求項１】
（イ）観察者の頭部に装着される眼鏡型のフレーム、及び、
（ロ）フレームに取り付けられた画像表示装置、
を備えた表示装置であって、
画像表示装置は、
（Ａ）画像形成装置、及び、
（Ｂ）画像形成装置から出射された光が入射され、導光され、出射される光学装置、
を備えており、
光学装置の画像形成装置が配された側とは反対側には、外部から入射する外光の光量を調整する調光装置が配設されており、
画像形成装置から出射された光が入射される光学装置の領域には、光学装置への外光の入射を遮光する遮光部材が配されており、
遮光部材の光学装置への射影像内に、調光装置の端部の光学装置への射影像が含まれる表示装置。
【請求項２】
遮光部材の光学装置への射影像内に、画像形成装置から出射された光が入射される光学装置の領域が含まれる請求項１に記載の表示装置。
【請求項３】
遮光部材は、光学装置の画像形成装置が配された側とは反対側に、光学装置と離間して配されている請求項１又は請求項２に記載の表示装置。
【請求項４】
遮光部材は、画像形成装置が配された側とは反対側の光学装置の部分に配されている請求項１乃至請求項３のいずれか１項に記載の表示装置。
【請求項５】
調光装置は、
光学装置と対向する第１基板、及び、第１基板と対向する第２基板、
第１基板及び第２基板のそれぞれに設けられた電極、並びに、
第１基板と第２基板との間に封止された光透過制御材料層、
から成る請求項１乃至請求項４のいずれか１項に記載の表示装置。
【請求項６】
第２基板は第１基板よりも薄い請求項５に記載の表示装置。
【請求項７】
調光装置は、光透過制御材料層が液晶材料層から成る光シャッタから構成されている請求項１乃至請求項６のいずれか１項に記載の表示装置。
【請求項８】
調光装置は、光透過制御材料層が無機エレクトロルミネッセンス材料層から成る光シャッタから構成されている請求項１乃至請求項６のいずれか１項に記載の表示装置。
【発明の詳細な説明】
【技術分野】
【０００１】
本開示は、表示装置に関し、より具体的には、頭部装着型ディスプレイ（ＨＭＤ，Head Mounted Display）を用いた表示装置に関する。
【背景技術】
【０００２】
近年、現実の環境（あるいはその一部）に付加情報としてバーチャルな物体や各種情報を電子情報として合成・提示する拡張現実技術（ＡＲ技術：Augmented Reality）が、注目を浴びている。この拡張現実技術を実現するために、視覚情報を提示する装置として、例えば、頭部装着型ディスプレイが検討されている。そして、応用分野として、現実の環境における作業支援が期待されており、例えば、道路案内情報の提供、メンテナンス等を行う技術者に対する技術情報提供等がある。特に、頭部装着型ディスプレイは、手がふさがられることがないため、非常に便利である。また、屋外を移動しながら映像や画像を楽しみたい場合にも、視界に映像や画像と外部環境とを同時に捉えることができるため、スムーズな移動が可能となる。【０００３】
画像形成装置によって形成された２次元画像を虚像光学系により拡大虚像として観察者に観察させるための虚像表示装置（画像表示装置）が、例えば、特開２００６−１６２７６７から周知である。【０００４】
概念図を図４７に示すように、この画像表示装置１００’は、２次元マトリクス状に配列された複数の画素を備えた画像形成装置１１１、画像形成装置１１１の画素から出射された光を平行光とするコリメート光学系１１２、及び、コリメート光学系１１２にて平行光とされた光が入射され、導光され、出射される光学装置（導光手段）１２０を備えている。光学装置１２０は、入射された光が内部を全反射により伝播した後、出射される導光板１２１、導光板１２１に入射された光が導光板１２１の内部で全反射されるように、導光板１２１に入射された光を反射させる第１偏向手段１３０（例えば、１層の光反射膜から成る）、及び、導光板１２１の内部を全反射により伝播した光を導光板１２１から出射させる第２偏向手段１４０（例えば、多層積層構造を有する光反射多層膜から成る）から構成されている。そして、このような画像表示装置１００’によって、例えば、ＨＭＤを構成すれば、装置の軽量化、小型化を図ることができる。尚、図４７におけるその他の構成要素を示す参照番号に関しては、図１を参照して説明する実施例１の画像表示装置を参照のこと。【０００５】
あるいは又、画像形成装置によって形成された２次元画像を虚像光学系により拡大虚像として観察者に観察させるために、ホログラム回折格子を用いた虚像表示装置（画像表示装置）が、例えば、特開２００７−９４１７５から周知である。【０００６】
概念図を図４８に示すように、この画像表示装置３００’は、基本的には、画像を表示する画像形成装置１１１と、コリメート光学系１１２と、画像形成装置１１１に表示された光が入射され、観察者の瞳２１へと導く光学装置（導光手段）３２０とを備えている。ここで、光学装置３２０は、導光板３２１と、導光板３２１に設けられた反射型体積ホログラム回折格子から成る第１回折格子部材３３０及び第２回折格子部材３４０を備えている。そして、コリメート光学系１１２には画像形成装置１１１の各画素から出射された光が入射され、コリメート光学系１１２によって導光板３２１へ入射する角度の異なる複数の平行光が生成され、導光板３２１に入射される。導光板３２１の第１面３２２から、平行光が入射され、出射される。一方、導光板３２１の第１面３２２と平行である導光板３２１の第２面３２３に、第１回折格子部材３３０及び第２回折格子部材３４０が取り付けられている。尚、図４８におけるその他の構成要素を示す参照番号に関しては、図１１を参照して説明する実施例７の画像表示装置を参照のこと。【０００７】
そして、これらの画像表示装置１００’，３００’に画像を表示することで、観察者は、外界の像と表示された画像とを重畳して見ることができる。【０００８】
ところで、画像表示装置１００’，３００’の置かれた周囲の環境が非常に明るい場合や、表示された画像の内容に依っては、観察者が観察する画像に十分なコントラストが与えられないといった問題が生じ得る。そして、このような問題を解決する手段が、例えば、特開２００４−１０１１９７から周知である。この特許公開公報に開示された技術にあっては、外光の入射光量を液晶シャッタによって制御している。
【先行技術文献】
【特許文献】
【０００９】
【特許文献１】特開２００６−１６２７６７
【特許文献２】特開２００７−９４１７５
【特許文献３】特開２００４−１０１１９７
【発明の概要】
【発明が解決しようとする課題】
【００１０】
ここで、特開２００４−１０１１９７に開示され液晶シャッタを上述した画像表示装置１００’，３００’に適用した場合、以下のような問題が生じる。即ち、液晶シャッタの作動によって外光の入射光量が変化する結果、第１偏向手段１３０あるいは第１回折格子部材３３０に入射する外光の光量に変化が生じる。それ故、不所望の迷光等が発生し、虚像表示装置（画像表示装置）における画像表示品質の低下を招く虞がある。また、虚像表示装置（画像表示装置）に調光装置を取り付けるので、虚像表示装置（画像表示装置）全体の重量が増加し、虚像表示装置（画像表示装置）の使用者に不快感を感じさせる虞がある。【００１１】
従って、本開示の第１の目的は、外光の入射に起因した画像表示品質の低下を招く虞の無い表示装置を提供することにある。また、本開示の第２の目的は、全体の重量の増加を少なくし得る構成、構造を有する表示装置を提供することにある。
【課題を解決するための手段】
【００１２】
上記の第１の目的を達成するための本開示の第１の態様に係る表示装置、あるいは、上記の第２の目的を達成するための本開示の第２の態様に係る表示装置は、より具体的には、頭部装着型ディスプレイ（ＨＭＤ）であり、
（イ）観察者の頭部に装着される眼鏡型のフレーム、及び、
（ロ）フレームに取り付けられた画像表示装置、
を備えた表示装置であって、
画像表示装置は、
（Ａ）画像形成装置、及び、
（Ｂ）画像形成装置から出射された光が入射され、導光され、出射される光学装置、
を備えており、
光学装置の画像形成装置が配された側とは反対側には、外部から入射する外光の光量を調整する調光装置が配設されている。【００１３】
そして、本開示の第１の態様に係る表示装置において、画像形成装置から出射された光が入射される光学装置の領域には、光学装置への外光の入射を遮光する遮光部材が配されている。【００１４】
また、本開示の第２の態様に係る表示装置において、調光装置は、
光学装置と対向する第１基板、及び、第１基板と対向する第２基板、
第１基板及び第２基板のそれぞれに設けられた電極、並びに、
第１基板と第２基板との間に封止された光透過制御材料層、
から成り、
第１基板は、光学装置の構成部材を兼ねている。
【発明の効果】
【００１５】
本開示の第１の態様に係る表示装置にあっては、画像形成装置から出射された光が入射される光学装置の領域には、光学装置への外光の入射を遮光する遮光部材が配されている。従って、調光装置の作動によって外光の入射光量に変化が生じても、そもそも、画像形成装置から出射された光が入射される光学装置の領域には外光が入射しないので、不所望の迷光等が発生し、表示装置における画像表示品質の低下を招くことが無い。また、本開示の第２の態様に係る表示装置にあっては、調光装置を構成する第１基板が光学装置の構成部材を兼ねているので、表示装置全体の重量の減少を図ることができ、表示装置の使用者に不快感を感じさせる虞が無い。
【図面の簡単な説明】
【００１６】
【図１】図１は、実施例１の表示装置の概念図である。
【図２】図２は、実施例１の表示装置を上方から眺めた模式図である。
【図３】図３Ａ及び図３Ｂは、それぞれ、実施例１の表示装置を側方から眺めた模式図、及び、実施例１の表示装置における光学装置及び調光装置の部分を正面から眺めた模式図である。
【図４】図４Ａ及び図４Ｂは、実施例１の表示装置における調光装置の挙動を模式的に示す調光装置の模式的な断面図である。
【図５】図５は、実施例２の表示装置の概念図である。
【図６】図６は、実施例３の表示装置の概念図である。
【図７】図７は、実施例３の表示装置の変形例の概念図である。
【図８】図８は、実施例４の表示装置の概念図である。
【図９】図９は、実施例５の表示装置の概念図である。
【図１０】図１０は、実施例６の表示装置における画像表示装置の概念図である。
【図１１】図１１は、実施例７の表示装置における画像表示装置の概念図である。
【図１２】図１２は、実施例７の表示装置における反射型体積ホログラム回折格子の一部を拡大して示す模式的な断面図である。
【図１３】図１３は、実施例８の表示装置における画像表示装置の概念図である。
【図１４】図１４は、実施例９の表示装置を正面から眺めた模式図である。
【図１５】図１５は、実施例９の表示装置を上方から眺めた模式図である。
【図１６】図１６Ａ及び図１６Ｂは、それぞれ、実施例１０の表示装置を上方から眺めた模式図、及び、照度センサを制御する回路の模式図である。
【図１７】図１７Ａ及び図１７Ｂは、それぞれ、実施例１１の表示装置を上方から眺めた模式図、及び、照度センサを制御する回路の模式図である。
【図１８】図１８は、実施例１２の表示装置において、画像表示装置を構成する導光板における光の伝播を模式的に示す図である。
【図１９】図１９は、実施例１２の表示装置を観察者の頭部に装着した状態を上方から眺めた図（但し、画像表示装置のみを示し、フレームの図示は省略）である。
【図２０】図２０は、実施例１２の表示装置を使用している状態の概念図である。
【図２１】図２１は、実施例１２の表示装置を使用している状態の概念図である。
【図２２】図２２は、実施例１２の表示装置を構成する制御装置の概念図である。
【図２３】図２３Ａ及び図２３Ｂは、実施例１２及び実施例１３における画像信号の一例を示す図である。
【図２４】図２４Ａ、図２４Ｂ及び図２４Ｃは、左眼用及び右眼用の画像表示装置によって表示される画像がずれている状態を示す模式図である。
【図２５】図２５Ａ並びに図２５Ｂは、それぞれ、画像形成装置への画像信号、及び、観察者（表示装置）から観察対象物までの観察位置情報が加えられた信号のフォーマットの概念図、並びに、表示装置から観察対象物までの距離に対応した輻輳角の調整の説明のための模式図である。
【図２６】図２６Ａ及び図２６Ｂは、実施例１４の表示装置において、画像表示装置を構成する導光板における光の伝播を模式的に示す図、及び、導光板等の配置状態を示す概念図である。
【図２７】図２７は、実施例１４における表示装置を横から眺めた模式図である。
【図２８】図２８Ａ及び図２８Ｂは、実施例１５の表示装置において、画像表示装置を構成する導光板における光の伝播を模式的に示す図、及び、導光板等の配置状態を示す概念図である。
【図２９】図２９は、実施例１２と対比した従来の頭部装着型ディスプレイを横から眺めた模式図である。
【図３０】図３０は、実施例１６におけるデータ群を構成するデータのファイル構造を概念的に示す図である。
【図３１】図３１Ａ及び図３１Ｂは、それぞれ、実施例１６における送信装置のシステム構成ブロック図、及び、表示装置のシステム構成ブロック図である。
【図３２】図３２は、実施例１６における送信装置での送信処理の流れを説明する図である。
【図３３】図３３は、実施例１６における表示装置での受信処理の流れを説明する図である。
【図３４】図３４Ａ及び図３４Ｂは、実施例１６において、送信装置を構成する表示装置において表示された内容である指定識別符号、データ群、データ群を構成する複数のデータ、及び、全表示時間を模式的に示す図である。
【図３５】図３５Ａ及び図３５Ｂは、実施例２０の表示装置の概念図である。
【図３６】図３６は、実施例２０の表示装置において、画像表示装置を構成する導光板における光の伝播を模式的に示す図である。
【図３７】図３７Ａ及び図３７Ｂは、実施例２１の表示装置の概念図である。
【図３８】図３８Ａは、原理的液体レンズを図３８Ｂの矢印Ａ−Ａに沿って切断したときの模式的な断面図であり、図３８Ｂは、原理的液体レンズを図３８Ａの矢印Ｂ−Ｂに沿って切断したときの模式的な断面図であり、図３８Ｃは、原理的液体レンズを図３８Ａの矢印Ｃ−Ｃに沿って切断したときの模式的な断面図である。
【図３９】図３９Ａ、図３９Ｂ及び図３９Ｃは、それぞれ、原理的液体レンズを図３８Ａの矢印Ｃ−Ｃに沿って切断したときの模式的な断面図であり、液体レンズの挙動を模式的に説明する図である。
【図４０】図４０は、実施例２２における液体レンズを図３８Ｂの矢印Ａ−Ａに沿って切断したと同様の模式的な断面図である。
【図４１】図４１Ａ、図４１Ｂ及び図４１Ｃは、それぞれ、実施例２２における液体レンズを図４０の矢印Ｃ−Ｃに沿って切断したときの模式的な断面図であり、液体レンズの挙動を模式的に説明する図である。
【図４２】図４２Ａ及び図４２Ｂは、それぞれ、実施例２２における液体レンズを図４０の矢印Ｃ−Ｃに沿って切断したときの模式的な断面図であり、液体レンズの挙動を模式的に説明する図である。
【図４３】図４３は、実施例２３における液体プリズムの概念図である。
【図４４】図４４は、光学系の焦点距離を可変とするためのフレネルレンズ・タイプの液体レンズの模式的な断面図である。
【図４５】図４５は、光学系の焦点距離を可変とするためのフレネルレンズ・タイプの液体レンズの模式的な平面図である。
【図４６】図４６は、実施例１あるいは実施例７の表示装置の更に別の変形例における光学装置及び調光装置の部分を正面から眺めた模式図である。
【図４７】図４７は、従来の表示装置における画像表示装置の概念図である。
【図４８】図４８は、従来の表示装置の変形例における画像表示装置の概念図である。
【発明を実施するための形態】
【００１７】
以下、図面を参照して、実施例に基づき本開示を説明するが、本開示は実施例に限定されるものではなく、実施例における種々の数値や材料は例示である。尚、説明は、以下の順序で行う。
１．本開示の第１の態様及び第２の態様に係る表示装置、全般に関する説明
２．実施例１（本開示の第１の態様に係る表示装置）
３．実施例２（実施例１の変形）
４．実施例３（実施例１の別の変形）
５．実施例４（実施例１〜実施例３の変形）
６．実施例５（本開示の第２の態様に係る表示装置、及び、実施例４の変形）
７．実施例６（実施例１〜実施例５の変形）
８．実施例７（実施例１〜実施例５の別の変形）
９．実施例８（実施例１〜実施例５の更に別の変形）
１０．実施例９（実施例１〜実施例５の更に別の変形）
１１．実施例１０（実施例１〜実施例５の更に別の変形）
１２．実施例１１（実施例１〜実施例５の更に別の変形）
１３．実施例１２（本開示における第１Ａの表示装置〜第１Ｂの表示装置）
１４．実施例１３（本開示における第１Ｃの表示装置）
１５．実施例１４（実施例１２〜実施例１３の変形）
１６．実施例１５（実施例１４の変形）
１７．実施例１６（本開示における第３Ａの表示装置）
１８．実施例１７（本開示における第３Ｂの表示装置）
１９．実施例１８（本開示における第３Ｃの表示装置）
２０．実施例１９（本開示における第３Ｄの表示装置）
２１．実施例２０（本開示における第２Ａの表示装置）
２２．実施例２１（本開示における第２Ｂの表示装置）
２３．実施例２２（本開示における第２Ｃの表示装置）
２４．実施例２３（本開示における第２Ｄの表示装置）
２５．実施例２４（実施例２０〜実施例２３の変形）
２６．実施例２５（実施例２０〜実施例２４の変形）、その他
【００１８】
［本開示の第１の態様及び第２の態様に係る表示装置、全般に関する説明］
本開示の第１の態様に係る表示装置にあっては、遮光部材の光学装置への射影像内に、画像形成装置から出射された光が入射される光学装置の領域が含まれる形態とすることが好ましい。
【００１９】
このような好ましい形態を含む本開示の第１の態様に係る表示装置において、遮光部材は、光学装置の画像形成装置が配された側とは反対側に、光学装置と離間して配されている構成とすることができる。尚、このような構成にあっては、遮光部材を、例えば、不透明なプラスチック材料から作製すればよく、このような遮光部材は、画像表示装置の筐体から一体に延び、あるいは又、画像表示装置の筐体に取り付けられ、あるいは又、フレームから一体に延び、あるいは又、フレームに取り付けられている形態とすることができる。更には、このような好ましい形態、構成を含む本開示の第１の態様に係る表示装置において、遮光部材は、画像形成装置が配された側とは反対側の光学装置の部分に配されている構成とすることができるし、遮光部材は、調光装置に配されている構成とすることもできる。尚、このような構成にあっては、不透明な材料から成る遮光部材を、例えば、光学装置の面上に物理的気相成長法（ＰＶＤ法）や化学的気相成長法（ＣＶＤ法）に基づき形成してもよいし、印刷法等によって形成してもよいし、不透明な材料（プラスチック材料や金属材料、合金材料等）から成るフィルムやシート、箔を貼り合わせてもよい。
【００２０】
更には、以上に説明した好ましい形態、構成を含む本開示の第１の態様に係る表示装置において、遮光部材の光学装置への射影像内に、調光装置の端部の光学装置への射影像が含まれる構成とすることが好ましい。
【００２１】
更には、以上に説明した好ましい形態、構成を含む本開示の第１の態様に係る表示装置において、調光装置は、
光学装置と対向する第１基板、及び、第１基板と対向する第２基板、
第１基板及び第２基板のそれぞれに設けられた電極、並びに、
第１基板と第２基板との間に封止された光透過制御材料層、
から成る形態とすることができ、この場合、第２基板は第１基板よりも薄い形態とすることができ、更には、これらの場合、第１基板は、光学装置の構成部材を兼ねている形態とすることができる。
【００２２】
本開示の第２の態様に係る表示装置において、第２基板は第１基板よりも薄い構成とすることができる。
【００２３】
以上に説明した好ましい形態、構成を含む本開示の第１の態様、第２の態様に係る表示装置において、調光装置は、光透過制御材料層が液晶材料層から成る光シャッタから構成されていることができるし、あるいは又、調光装置は、光透過制御材料層が無機エレクトロルミネッセンス材料層から成る光シャッタから構成されていることができる。但し、調光装置は、これらに限定するものではなく、その他、帯電した多数の電気泳動粒子及び電気泳動粒子とは異なる色の分散媒から構成された電気泳動分散液によって構成される光シャッタ、金属（例えば、銀粒子）の可逆的な酸化還元反応によって発生する電着・解離現象を応用した電着方式（エレクトロデポジション・電界析出）による光シャッタ、エレクトロクロミック材料の酸化還元反応によって発生する物質の色変化を応用した光シャッタ、エレクトロウェッティング現象によって光透過率を制御する光シャッタを用いることもできる。
【００２４】
ここで、調光装置を、光透過制御材料層が液晶材料層から成る光シャッタから構成する場合、光透過制御材料層を構成する材料として、限定するものではないが、ＴＮ（ツイステッド・ネマチック）型液晶材料、ＳＴＮ（スーパー・ツイステッド・ネマチック）型液晶材料を例示することができる。また、調光装置を、光透過制御材料層が無機エレクトロルミネッセンス材料層から成る光シャッタから構成する場合、光透過制御材料層を構成する材料として、限定するものではないが、酸化タングステン（ＷＯ3）を例示することができる。
【００２５】
以上に説明した好ましい形態、構成を含む本開示の第１の態様あるいは第２の態様に係る表示装置において、観察者側から、光学装置、調光装置の順に配することが好ましいが、調光装置、光学装置の順に配してもよい。
【００２６】
本開示の第１の態様あるいは第２の態様に係る表示装置において、第１基板及び第２基板を構成する材料として、具体的には、ソーダライムガラス、白板ガラス等の透明なガラス基板や、プラスチック基板、プラスチック・シート、プラスチック・フィルムを挙げることができる。ここで、プラスチックとして、ポリエチレンテレフタレート、ポリエチレンナフタレート、ポリカーボネート、酢酸セルロース等のセルロースエステル、ポリフッ化ビニリデンあるいはポリテトラフルオロエチレンとヘキサフルオロプロピレンとの共重合体等のフッ素ポリマー、ポリオキシメチレン等のポリエーテル、ポリアセタール、ポリスチレン、ポリエチレン、ポリプロピレン、メチルペンテンポリマー等のポリオレフィン、ポリアミドイミドあるいはポリエーテルイミド等のポリイミド、ポリアミド、ポリエーテルサルフォン、ポリフェニレンサルファイド、ポリフッ化ビニリデン、テトラアセチルセルロース、ブロム化フェノキシ、ポリアリレート、ポリスルフォン等を挙げることができる。プラスチック・シート、プラスチック・フィルムは、容易に曲がらない剛性を有していてもよいし、可撓性を有していてもよい。第１基板及び第２基板を透明なプラスチック基板から構成する場合、基板内面に無機材料あるいは有機材料から成るバリア層を形成しておいてもよい。
【００２７】
第１電極及び第２電極として、所謂透明電極を挙げることができ、具体的には、インジウム−スズ複合酸化物（ＩＴＯ，Indium Tin Oxide，ＳｎドープのＩｎ2Ｏ3、結晶性ＩＴＯ及びアモルファスＩＴＯを含む）、フッ素ドープＳｎＯ2（ＦＴＯ）、ＩＦＯ（ＦドープのＩｎ2Ｏ3）、アンチモンドープＳｎＯ2（ＡＴＯ）、ＳｎＯ2、ＺｎＯ（ＡｌドープのＺｎＯやＢドープのＺｎＯを含む）、インジウム−亜鉛複合酸化物（ＩＺＯ，Indium Zinc Oxide）、スピネル型酸化物、ＹｂＦｅ2Ｏ4構造を有する酸化物、ポリアニリン、ポリピロール、ポリチオフェン等の導電性高分子等を挙げることができるが、これらに限定されるものではなく、また、これらを２種類以上組み合わせて用いることもできる。第１電極及び第２電極は、真空蒸着法やスパッタリング法等の物理的気相成長法（ＰＶＤ法）、各種化学的気相成長法（ＣＶＤ法）、各種塗布等に基づき形成することができる。電極のパターニングは、基本的には、不要であるが、所望に応じてパターニングする場合、エッチング法、リフトオフ法、各種マスクを用いる方法等、任意の方法で行うことができる。
【００２８】
第１基板と第２基板とは、外縁部において封止剤によって封止され、接着されている。シール剤とも呼ばれる封止剤として、エポキシ樹脂、ウレタン系樹脂、アクリル系樹脂、酢酸ビニル系樹脂、エン−チオール系樹脂、シリコーン系樹脂、変性ポリマー樹脂等の、熱硬化型、光硬化型、湿気硬化型、嫌気硬化型等の各種樹脂を用いることができる。
【００２９】
以上に説明した各種の好ましい形態、構成を含む本開示の第１の態様あるいは第２の態様に係る表示装置（以下、これらを総称して、『本開示の表示装置等』と呼ぶ場合がある）にあっては、
表示装置の置かれた環境の照度を測定する照度センサ（便宜上、『環境照度測定センサ』と呼ぶ場合がある）を更に備えており、
照度センサ（環境照度測定センサ）の測定結果に基づき、調光装置の光透過率を制御する形態とすることができる。
【００３０】
また、上記の好ましい形態を含む本開示の表示装置等にあっては、
表示装置の置かれた環境の照度を測定する照度センサ（環境照度測定センサ）を更に備えており、
照度センサ（環境照度測定センサ）の測定結果に基づき、画像形成装置によって形成される画像の輝度を制御する形態とすることができる。
【００３１】
更には、以上に説明した好ましい形態を含む本開示の表示装置等にあっては、
外部環境から調光装置を透過した光に基づく照度を測定する第２の照度センサ（便宜上、『透過光照度測定センサ』と呼ぶ場合がある）を更に備えており、
第２の照度センサ（透過光照度測定センサ）の測定結果に基づき、調光装置の光透過率を制御する形態とすることができる。
【００３２】
更には、以上に説明した好ましい形態を含む本開示の表示装置等にあっては、
外部環境から調光装置を透過した光に基づく照度を測定する第２の照度センサ（透過光照度測定センサ）を更に備えており、
第２の照度センサ（透過光照度測定センサ）の測定結果に基づき、画像形成装置によって形成される画像の輝度を制御する形態とすることができる。
【００３３】
以上のように、照度センサ（環境照度測定センサ）の測定結果に基づき調光装置の透過率を制御し、また、照度センサ（環境照度測定センサ）の測定結果に基づき画像形成装置によって形成される画像の輝度を制御し、また、第２の照度センサ（透過光照度測定センサ）の測定結果に基づき調光装置の透過率を制御し、また、第２の照度センサ（透過光照度測定センサ）の測定結果に基づき画像形成装置によって形成される画像の輝度を制御すれば、観察者が観察する画像に高いコントラストを与えることができるだけでなく、表示装置の置かれた周囲の環境の照度に依存して画像の観察状態の最適化を図ることができる。照度センサ（環境照度測定センサ、透過光照度測定センサ）は、周知の照度センサから構成すればよいし、照度センサの制御は周知の制御回路に基づき行えばよい。
【００３４】
ここで、第２の照度センサ（透過光照度測定センサ）を備えている本開示の表示装置等にあっては、第２の照度センサ（透過光照度測定センサ）は、光学装置よりも観察者側に配置されている形態とすることが望ましい。
【００３５】
以上に説明した種々の好ましい形態を含む本開示の表示装置等において、調光装置の最高光透過率は５０％であり、調光装置の最低光透過率は３０％以下である構成とすることができる。尚、調光装置の最低光透過率の下限値として１％を挙げることができる。
【００３６】
また、以上に説明した種々の好ましい形態、構成を含む本開示の表示装置等において、照度センサ（環境照度測定センサ）の測定結果が所定値（便宜上、『第１の照度測定値』と呼ぶ場合がある）以上になったとき、調光装置の光透過率を所定の値（便宜上、『第１の光透過率』と呼ぶ場合がある）以下とする構成とすることができる。あるいは又、照度センサ（環境照度測定センサ）の測定結果が所定値（便宜上、『第２の照度測定値』と呼ぶ場合がある）以下になったとき、調光装置の光透過率を所定の値（便宜上、『第２の光透過率』と呼ぶ場合がある）以上とする構成とすることができる。更に、環境照度測定センサの照度から鑑みて、透過光照度測定センサの測定結果が所望の照度になっていない場合、若しくは、更に一層の微妙な照度調整が望まれる場合には、第２の照度センサ（透過光照度測定センサ）の値をモニターしながら調光装置の光透過率を調整すればよい。ここで、第１の照度測定値として１０ルクスを挙げることができるし、第１の光透過率として１％乃至３０％のいずれかの値を挙げることができるし、第２の照度測定値として０．０１ルクスを挙げることができるし、第２の光透過率として５１％乃至９９％のいずれかの値を挙げることができる。また、環境照度測定センサの照度測定値が１×１０-3ルクス以下であった場合、例えば、調光装置の駆動電圧を制御して、駆動時間を短縮し、出来る限り迅速に調光装置の光透過率を増加させることが好ましい。
【００３７】
更には、以上に説明した種々の好ましい形態、構成を含む本開示の表示装置等において、場合によっては、調光装置を通過する光は調光装置によって所望の色に着色される構成とすることができる。そして、この場合、調光装置によって着色される色は可変である形態とすることができるし、あるいは又、調光装置によって着色される色は固定である形態とすることができる。尚、前者の場合、例えば、赤色に着色される調光装置と、緑色に着色される調光装置と、青色に着色される調光装置とを積層する形態とすればよい。また、後者の場合、調光装置によって着色される色として、限定するものではないが、茶色を例示することができる。
【００３８】
更には、以上に説明した種々の好ましい形態、構成を含む本開示の表示装置等において、場合によっては、調光装置が着脱自在に配設されている形態とすることができる。調光装置を着脱自在に配設するためには、例えば、透明なプラスチックから作製されたビスを用いて調光装置を例えばフレームに取り付け、あるいは又、フレームに溝を切っておき、この溝に調光装置を係合させ、あるいは又、フレームに磁石を取り付けることで調光装置をフレームに取り付けることができるし、フレームにスライド部を設け、このスライド部に調光装置を嵌め込んでもよい。また、調光装置にコネクタを取り付け、調光装置の光透過率を制御するための制御回路（例えば、画像形成装置を制御するための制御装置に含まれている）にこのコネクタ及び配線を介して調光装置を電気的に接続すればよい。
【００３９】
更には、以上に説明した種々の好ましい形態、構成を含む本開示の表示装置等において、光学装置は、
（ａ）入射された光が内部を全反射により伝播した後、出射される導光板、
（ｂ）導光板に入射された光が導光板の内部で全反射されるように、導光板に入射された光を偏向させる第１偏向手段、及び、
（ｃ）導光板の内部を全反射により伝播した光を導光板から出射させるために、導光板の内部を全反射により伝播した光を複数回に亙り偏向させる第２偏向手段、
を備えている形態とすることができる。尚、「全反射」という用語は、内部全反射、あるいは、導光板内部における全反射を意味する。以下においても同様である。そして、この場合、調光装置の射影像内に第２偏向手段が位置する形態とすることができ、あるいは又、第２偏向手段の射影像内に調光装置が位置する形態とすることもできる。そして、更には、前述したように、調光装置を構成する基板の一方（第１基板）によって第１偏向手段及び第２偏向手段が被覆されている形態とすることができる。
【００４０】
以上に説明した種々の好ましい形態、構成を含む本開示の表示装置等において、光学装置は半透過型（シースルー型）である。具体的には、少なくとも観察者の両眼に対向する光学装置の部分を半透過（シースルー）とし、これらの光学装置の部分を通して外景を眺めることができる。表示装置は、画像表示装置を１つ備えていてもよいし、２つ備えていてもよい。
【００４１】
ここで、第１偏向手段は、導光板に入射された光を反射し、第２偏向手段は、導光板の内部を全反射により伝播した光を、複数回に亙り、透過、反射する構成とすることができる。そして、この場合、第１偏向手段は反射鏡として機能し、第２偏向手段は半透過鏡として機能する構成とすることができる。
【００４２】
このような構成において、第１偏向手段は、例えば、合金を含む金属から構成され、導光板に入射された光を反射させる光反射膜（一種のミラー）や、導光板に入射された光を回折させる回折格子（例えば、ホログラム回折格子膜）から構成することができる。また、第２偏向手段は、誘電体積層膜が多数積層された多層積層構造体や、ハーフミラー、偏光ビームスプリッター、ホログラム回折格子膜から構成することができる。そして、第１偏向手段や第２偏向手段は、導光板の内部に配設されている（導光板の内部に組み込まれている）が、第１偏向手段においては、導光板に入射された平行光が導光板の内部で全反射されるように、導光板に入射された平行光が反射又は回折される。一方、第２偏向手段においては、導光板の内部を全反射により伝播した平行光が複数回に亙り反射又は回折され、導光板から平行光の状態で出射される。
【００４３】
あるいは又、第１偏向手段は、導光板に入射された光を回折し、第２偏向手段は、導光板の内部を全反射により伝播した光を、複数回に亙り、回折する構成とすることができる。そして、この場合、第１偏向手段及び第２偏向手段は回折格子素子から成る形態とすることができ、更には、回折格子素子は、反射型回折格子素子から成り、あるいは又、透過型回折格子素子から成り、あるいは又、一方の回折格子素子は反射型回折格子素子から成り、他方の回折格子素子は透過型回折格子素子から成る構成とすることができる。尚、反射型回折格子素子として、反射型体積ホログラム回折格子を挙げることができる。反射型体積ホログラム回折格子から成る第１偏向手段を、便宜上、『第１回折格子部材』と呼び、反射型体積ホログラム回折格子から成る第２偏向手段を、便宜上、『第２回折格子部材』と呼ぶ場合がある。
【００４４】
本開示における画像表示装置によって、単色（例えば、緑色）の画像表示を行うことができるが、カラーの画像表示を行う場合、第１回折格子部材あるいは第２回折格子部材を、異なるＰ種類（例えば、Ｐ＝３であり、赤色、緑色、青色の３種類）の波長帯域（あるいは、波長）を有するＰ種類の光の回折反射に対応させるために、反射型体積ホログラム回折格子から成るＰ層の回折格子層が積層されて成る構成とすることができる。各回折格子層には１種類の波長帯域（あるいは、波長）に対応する干渉縞が形成されている。あるいは又、異なるＰ種類の波長帯域（あるいは、波長）を有するＰ種類の光の回折反射に対応するために、１層の回折格子層から成る第１回折格子部材あるいは第２回折格子部材にＰ種類の干渉縞が形成されている構成とすることもできる。あるいは又、画角を例えば三等分して、第１回折格子部材あるいは第２回折格子部材を、各画角に対応する回折格子層が積層されて成る構成とすることができる。あるいは又、例えば、第１導光板に、赤色の波長帯域（あるいは、波長）を有する光を回折反射させる反射型体積ホログラム回折格子から成る回折格子層から構成された第１回折格子部材及び第２回折格子部材を配し、第２導光板に、緑色の波長帯域（あるいは、波長）を有する光を回折反射させる反射型体積ホログラム回折格子から成る回折格子層から構成された第１回折格子部材及び第２回折格子部材を配し、第３導光板に、青色の波長帯域（あるいは、波長）を有する光を回折反射させる反射型体積ホログラム回折格子から成る回折格子層から構成された第１回折格子部材及び第２回折格子部材を配し、これらの第１導光板、第２導光板及び第３導光板を隙間を開けて積層する構造を採用してもよい。そして、これらの構成を採用することで、各波長帯域（あるいは、波長）を有する光が第１回折格子部材あるいは第２回折格子部材において回折反射されるときの回折効率の増加、回折受容角の増加、回折角の最適化を図ることができる。反射型体積ホログラム回折格子が直接大気と接しないように、保護部材を配することが好ましい。
【００４５】
第１回折格子部材及び第２回折格子部材を構成する材料として、フォトポリマー材料を挙げることができる。反射型体積ホログラム回折格子から成る第１回折格子部材及び第２回折格子部材の構成材料や基本的な構造は、従来の反射型体積ホログラム回折格子の構成材料や構造と同じとすればよい。反射型体積ホログラム回折格子とは、＋１次の回折光のみを回折反射するホログラム回折格子を意味する。回折格子部材には、その内部から表面に亙り干渉縞が形成されているが、係る干渉縞それ自体の形成方法は、従来の形成方法と同じとすればよい。具体的には、例えば、回折格子部材を構成する部材（例えば、フォトポリマー材料）に対して一方の側の第１の所定の方向から物体光を照射し、同時に、回折格子部材を構成する部材に対して他方の側の第２の所定の方向から参照光を照射し、物体光と参照光とによって形成される干渉縞を回折格子部材を構成する部材の内部に記録すればよい。第１の所定の方向、第２の所定の方向、物体光及び参照光の波長を適切に選択することで、回折格子部材の表面における干渉縞の所望のピッチ、干渉縞の所望の傾斜角（スラント角）を得ることができる。干渉縞の傾斜角とは、回折格子部材（あるいは回折格子層）の表面と干渉縞の成す角度を意味する。第１回折格子部材及び第２回折格子部材を、反射型体積ホログラム回折格子から成るＰ層の回折格子層の積層構造から構成する場合、このような回折格子層の積層は、Ｐ層の回折格子層をそれぞれ別個に作製した後、Ｐ層の回折格子層を、例えば、紫外線硬化型接着剤を使用して積層（接着）すればよい。また、粘着性を有するフォトポリマー材料を用いて１層の回折格子層を作製した後、その上に順次粘着性を有するフォトポリマー材料を貼り付けて回折格子層を作製することで、Ｐ層の回折格子層を作製してもよい。
【００４６】
あるいは又、本開示における画像表示装置において、光学装置は、画像形成装置から出射された光が入射され、観察者の瞳に向かって出射される半透過ミラーから構成されている形態とすることができる。尚、画像形成装置から出射された光は、空気中を伝播して半透過ミラーに入射する構造としてもよいし、例えば、ガラス板やプラスチック板等の透明な部材（具体的には、後述する導光板を構成する材料と同様の材料から成る部材）の内部を伝播して半透過ミラーに入射する構造としてもよい。尚、半透過ミラーを、この透明な部材を介して画像形成装置に取り付けてもよいし、半透過ミラーを、この透明な部材とは別の部材を介して画像形成装置に取り付けてもよい。
【００４７】
以上に説明した各種の好ましい形態、構成を含む本開示における画像表示装置において、画像形成装置は、２次元マトリクス状に配列された複数の画素を有する形態とすることができる。尚、このような画像形成装置の構成を、便宜上、『第１の構成の画像形成装置』と呼ぶ。
【００４８】
第１の構成の画像形成装置として、例えば、反射型空間光変調装置及び光源から構成された画像形成装置；透過型空間光変調装置及び光源から構成された画像形成装置；有機ＥＬ（Electro Luminescence）、無機ＥＬ、発光ダイオード（ＬＥＤ）等の発光素子から構成された画像形成装置を挙げることができるが、中でも、反射型空間光変調装置及び光源から構成された画像形成装置とすることが好ましい。空間光変調装置として、ライト・バルブ、例えば、ＬＣＯＳ（Liquid Crystal On Silicon）等の透過型あるいは反射型の液晶表示装置、デジタルマイクロミラーデバイス（ＤＭＤ）を挙げることができ、光源として発光素子を挙げることができる。更には、反射型空間光変調装置は、液晶表示装置、及び、光源からの光の一部を反射して液晶表示装置へと導き、且つ、液晶表示装置によって反射された光の一部を通過させて光学系へと導く偏光ビームスプリッターから成る構成とすることができる。光源を構成する発光素子として、赤色発光素子、緑色発光素子、青色発光素子、白色発光素子を挙げることができるし、あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。画素の数は、画像表示装置に要求される仕様に基づき決定すればよく、画素の数の具体的な値として、３２０×２４０、４３２×２４０、６４０×４８０、１０２４×７６８、１９２０×１０８０等を例示することができる。
【００４９】
あるいは又、以上に説明した好ましい形態、構成を含む本開示における画像表示装置において、画像形成装置は、光源、及び、光源から出射された平行光を走査する走査手段を備えた形態とすることができる。尚、このような画像形成装置の構成を、便宜上、『第２の構成の画像形成装置』と呼ぶ。
【００５０】
第２の構成の画像形成装置における光源として発光素子を挙げることができ、具体的には、赤色発光素子、緑色発光素子、青色発光素子、白色発光素子を挙げることができるし、あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。第２の構成の画像形成装置における画素（仮想の画素）の数も、画像表示装置に要求される仕様に基づき決定すればよく、画素（仮想の画素）の数の具体的な値として、３２０×２４０、４３２×２４０、６４０×４８０、１０２４×７６８、１９２０×１０８０等を例示することができる。また、カラーの画像表示を行う場合であって、光源を赤色発光素子、緑色発光素子、青色発光素子から構成する場合、例えば、クロスプリズムを用いて色合成を行うことが好ましい。走査手段として、光源から出射された光を水平走査及び垂直走査する、例えば、二次元方向に回転可能なマイクロミラーを有するＭＥＭＳ（Micro Electro Mechanical Systems）やガルバノ・ミラーを挙げることができる。
【００５１】
第１の構成の画像形成装置あるいは第２の構成の画像形成装置において、光学系（出射光を平行光とする光学系であり、『平行光出射光学系』と呼ぶ場合があり、具体的には、例えば、コリメート光学系やリレー光学系）にて複数の平行光とされた光を導光板に入射させるが、このような、平行光であることの要請は、これらの光が導光板へ入射したときの光波面情報が、第１偏向手段と第２偏向手段を介して導光板から出射された後も保存される必要があることに基づく。尚、複数の平行光を生成させるためには、具体的には、例えば、平行光出射光学系における焦点距離の所（位置）に、例えば、画像形成装置の光出射部を位置させればよい。平行光出射光学系は、画素の位置情報を光学装置の光学系における角度情報に変換する機能を有する。平行光出射光学系として、凸レンズ、凹レンズ、自由曲面プリズム、ホログラムレンズを、単独、若しくは、組み合わせた、全体として正の光学的パワーを持つ光学系を例示することができる。平行光出射光学系と導光板との間には、平行光出射光学系から不所望の光が出射されて導光板に入射しないように、開口部を有する遮光部を配置してもよい。
【００５２】
導光板は、導光板の軸線（Ｘ軸）と平行に延びる２つの平行面（第１面及び第２面）を有している。光が入射する導光板の面を導光板入射面、光が出射する導光板の面を導光板出射面としたとき、第１面によって導光板入射面及び導光板出射面が構成されていてもよいし、第１面によって導光板入射面が構成され、第２面によって導光板出射面が構成されていてもよい。導光板を構成する材料として、石英ガラスやＢＫ７等の光学ガラスを含むガラスや、プラスチック材料（例えば、ＰＭＭＡ、ポリカーボネート樹脂、アクリル系樹脂、非晶性のポリプロピレン系樹脂、ＡＳ樹脂を含むスチレン系樹脂）を挙げることができる。導光板の形状は、平板に限定するものではなく、湾曲した形状を有していてもよい。
【００５３】
本開示の表示装置等において、フレームは、観察者の正面に配置されるフロント部と、フロント部の両端に蝶番を介して回動自在に取り付けられた２つのテンプル部とから成る構成とすることができる。尚、各テンプル部の先端部にはモダン部が取り付けられている。画像表示装置はフレームに取り付けられているが、具体的には、例えば、画像形成装置をテンプル部に取り付ければよい。また、フロント部と２つのテンプル部とが一体となった構成とすることもできる。即ち、本開示の表示装置等の全体を眺めたとき、フレームは、概ね通常の眼鏡と略同じ構造を有する。パッド部を含むフレームを構成する材料は、金属や合金、プラスチック、これらの組合せといった、通常の眼鏡を構成する材料と同じ材料から構成することができる。更には、フロント部にノーズパッドが取り付けられている構成とすることができる。即ち、本開示の表示装置等の全体を眺めたとき、フレーム及びノーズパッドの組立体は、リムが無い点を除き、通常の眼鏡と略同じ構造を有する。ノーズパッドも周知の構成、構造とすることができる。
【００５４】
また、本開示の表示装置等にあっては、デザイン上、あるいは、装着の容易性といった観点から、１つあるいは２つの画像形成装置からの配線（信号線や電源線等）が、テンプル部、及び、モダン部の内部を介して、モダン部の先端部から外部に延び、制御装置（制御回路あるいは制御手段）に接続されている形態とすることが望ましい。更には、各画像形成装置はヘッドホン部を備えており、各画像形成装置からのヘッドホン部用配線が、テンプル部、及び、モダン部の内部を介して、モダン部の先端部からヘッドホン部へと延びている形態とすることもできる。ヘッドホン部として、例えば、インナーイヤー型のヘッドホン部、カナル型のヘッドホン部を挙げることができる。ヘッドホン部用配線は、より具体的には、モダン部の先端部から、耳介（耳殻）の後ろ側を回り込むようにしてヘッドホン部へと延びている形態とすることが好ましい。また、フロント部の中央部分に撮像装置が取り付けられている形態とすることもできる。撮像装置は、具体的には、例えば、ＣＣＤあるいはＣＭＯＳセンサーから成る固体撮像素子とレンズから構成されている。撮像装置からの配線は、例えば、フロント部を介して、一方の画像表示装置（あるいは画像形成装置）に接続すればよく、更には、画像表示装置（あるいは画像形成装置）から延びる配線に含ませればよい。
【００５５】
以上に説明した種々の好ましい形態、構成を含む本開示の表示装置等の更なる変形例を、以下、説明する。
【００５６】
ところで、表示装置が、フレームに取り付けられた右眼用及び左眼用の２つの画像表示装置を備えている場合、観察者が外界の像と、画像表示装置において表示された字幕等の画像とを重畳して見るとき、外界の像（実像）に対する輻輳角（水平面における主光線交差角。以下においても同じ）と画像（画像表示装置において表示された虚像）に対する輻輳角との間に大きな差異があると、観察者に疲労が生じる。即ち、舞台やスクリーンといった観察対象物に対する観察者の観察位置に依存した輻輳角を調整することが必要とされる。
【００５７】
また、人間の目の視細胞には、錐体細胞と桿体細胞の２種類があり、解像度良く情報を取り入れることが可能な錐体細胞は中心窩に高密度に分布し、この位置で視力は最良となり、一方、桿体細胞が分布する網膜周辺の視力は中心視力に比べて低いことが知られている。そのため、注視している部分の視力は高いが、その周辺の視力は低くなる。ここで、外界の像に字幕等の画像を重畳する際、注視する外界の像と画像の表示位置が大きく離れていると、画像を視認し難くなり、また、逆に、画像に注視すると、外界の像を視認し難くなる。例えば、演劇において台詞を発する出演者の位置とその台詞を表示する字幕の表示位置とが大きく離れて重畳されると、このような問題が発生してしまう。
【００５８】
外界の像の色と字幕等の画像の表示色とが似ている場合、あるいは又、外界の像が複雑あるいは細かい場合（云い換えれば、外界の像の空間周波数が高い場合）、画像を視認し難くなるといった問題が生じる。このような問題を解決する手段が、例えば、特許第３７４４９８４号から周知である。ところで、演劇における演者は、常時、台詞を述べている訳ではないし、映画にあっても、出演者は、常時、台詞を述べている訳ではない。然るに、この特許公報に開示された手段を字幕表示に適用したとすれば、字幕を、常時、情報表示装置に表示することになり、情報表示装置における電力の浪費といった問題が生じる。
【００５９】
それ故、観察対象物に対する観察者の観察位置に依存した輻輳角の最適化を図り得ためには、フレームに取り付けられた右眼用及び左眼用の２つの画像表示装置を備えた表示装置において、少なくとも一方の画像表示装置を構成する画像形成装置への画像信号を制御することで、観察者の観察位置に依存して輻輳角を調整すればよい。尚、このような表示装置を、便宜上、『本開示における第１Ａの表示装置』と呼ぶ。
【００６０】
本開示における第１Ａの表示装置にあっては、あるいは又、後述する本開示における第２Ａの表示装置〜第２Ｄの表示装置にあっては、観察者の観察位置に依存して輻輳角の調整を行うが、即ち、表示装置から観察対象物までの距離に対応した輻輳角の調整を行うが、これによって、観察対象物と観察者（観客）との間の距離と、画像表示装置によって表示される画像の虚像距離とを等しくすることができ、あるいは又、出来るだけ等しくすることができる。それ故、観察対象物を眺める観察者（観客）が、左程、焦点を変更、変化させること無く、自然に画像表示装置によって表示される画像を眺める（観察する）ことができ、観察者に疲労が生じ難い。云い換えれば、このような状態が達成される限り、観察対象物と観察者（観客）との間の距離と、画像表示装置によって表示される画像の虚像距離とは等しいと云える。
【００６１】
また、観察対象物に対する観察者の観察位置に依存した表示装置における表示位置の最適化を図るためには、フレームに取り付けられた右眼用及び左眼用の２つの画像表示装置を備えた表示装置において、少なくとも一方の画像表示装置を構成する画像形成装置への画像信号を制御することで、該少なくとも一方の画像表示装置を構成する光学装置において表示される画像の位置を観察者の観察位置に依存して調整する。尚、このような表示装置を、便宜上、『本開示における第１Ｂの表示装置』と呼ぶ。
【００６２】
本開示における第１Ｂの表示装置にあっては、光学装置において表示される画像の位置を観察者の観察位置に依存して調整するので、観察者が外界の像に画像を重畳して見るとき、注視する外界の像と画像の表示位置が大きく離れることが無くなり、画像を容易に視認することが可能となる。
【００６３】
また、エネルギーの浪費を抑制し得る表示装置のためには、画像形成装置へ画像信号が入力されてから所定の時間が経過した後、画像形成装置における画像形成を停止する。尚、このような表示装置を、便宜上、『本開示における第１Ｃの表示装置』と呼ぶ。
【００６４】
本開示における第１Ｃの表示装置にあっては、画像形成装置へ画像信号が入力されてから所定の時間が経過した後、画像形成装置における画像形成を停止する。即ち、所定の時間経過後に表示装置における省電力モード、あるいは、スタンバイ及び休止モードへ移行するので、表示装置における電力の浪費といった問題が生じることがない。
【００６５】
あるいは又、観察対象物に対する観察者の観察位置に依存した輻輳角の最適化を図り得ためには、フレームに取り付けられた右眼用及び左眼用の２つの画像表示装置を備えた表示装置において、各画像表示装置は、画像形成装置から出射された光を平行光とする光学系（平行光出射光学系）を更に備え、
少なくとも一方の画像表示装置（即ち、右眼用の画像表示装置、あるいは、左眼用の画像表示装置、あるいは、右眼用及び左眼用の２つの画像表示装置。以下においても同様）は、画像形成装置の光軸と光学系の光軸とを水平方向に相対的に移動させる移動装置を更に備えており、観察者の観察位置に依存して、移動装置によって画像形成装置の光軸と光学系の光軸とを水平方向に相対的に移動させることで、輻輳角を調整する。尚、このような表示装置を、便宜上、『本開示における第２Ａの表示装置』と呼ぶ。
【００６６】
あるいは又、観察対象物に対する観察者の観察位置に依存した輻輳角の最適化を図り得ためには、フレームに取り付けられた右眼用及び左眼用の２つの画像表示装置を備えた表示装置において、各画像表示装置は、画像形成装置から出射された光を平行光とする光学系（平行光出射光学系）を更に備え、少なくとも一方の画像表示装置は、画像形成装置及び光学系を回動させる回動装置を更に備えており、観察者の観察位置に依存して、回動装置によって画像形成装置及び光学系を回動させることで、光学系から出射され、光学装置に入射する平行光の光学装置に対する入射角を変更し、以て、輻輳角を調整する。尚、このような表示装置を、便宜上、『本開示における第２Ｂの表示装置』と呼ぶ。
【００６７】
あるいは又、観察対象物に対する観察者の観察位置に依存した輻輳角の最適化を図り得ためには、フレームに取り付けられた右眼用及び左眼用の２つの画像表示装置を備えた表示装置において、少なくとも一方の画像表示装置を構成する光学系は液体レンズを備えており、観察者の観察位置に依存して、液体レンズの作動によって輻輳角を調整する。尚、このような表示装置を、便宜上、『本開示における第２Ｃの表示装置』と呼ぶ。
【００６８】
あるいは又、観察対象物に対する観察者の観察位置に依存した輻輳角の最適化を図り得ためには、フレームに取り付けられた右眼用及び左眼用の２つの画像表示装置を備えた表示装置において、少なくとも一方の画像表示装置を構成する光学系は液体プリズムを備えており、観察者の観察位置に依存して、液体プリズムの作動によって輻輳角を調整する。尚、このような表示装置を、便宜上、『本開示における第２Ｄの表示装置』と呼ぶ。
【００６９】
本開示における第１Ａの表示装置あるいは第１Ｂの表示装置にあっては、少なくとも一方の画像表示装置を構成する画像形成装置への画像信号を制御することで、該少なくとも一方の画像表示装置を構成する光学装置において表示される画像の左右への移動、上下への移動、及び、回転移動の任意の組合せを達成する形態とすることができる。画像のこれらの移動にあっては、例えば、光学装置に非表示領域を確保し、その部分を画像の移動用に割り当てればよい。
【００７０】
また、本開示における第２Ａの表示装置〜第２Ｄの表示装置にあっては、少なくとも一方の画像表示装置を構成する画像形成装置への画像信号を制御することで、更に、輻輳角を調整する形態とすることができる。ここで、少なくとも一方の画像表示装置を構成する画像形成装置への画像信号を制御することで、少なくとも一方の画像表示装置を構成する光学装置において表示される画像の左右への移動、上下への移動、及び、回転移動の任意の組合せを達成する形態とすることができる。画像のこれらの移動にあっては、例えば、光学装置に非表示領域を確保し、その部分を画像の移動用に割り当てればよい。このように、少なくとも一方の画像表示装置を構成する光学装置において表示される画像の位置を制御し、以て、２つの画像表示装置の相互の光学的な位置を調整する場合、具体的には、左眼用画像表示装置及び右眼用画像表示装置によって表示される画像が、所望の虚像距離あるいは虚像位置で一致するように、少なくとも一方の画像表示装置を構成する光学装置において表示される画像の位置を制御すればよい。より具体的には、観察者が表示装置を装着し、左眼用画像表示装置及び右眼用画像表示装置によって表示される画像が、所望の虚像距離あるいは虚像位置で一致するように、元々の画像信号に表示位置補正信号を加えればよい。そして、係る表示位置補正信号を表示装置（具体的には、表示装置に備えられた制御装置）に記憶させればよい。このような構成を採用することで、光学装置において表示される画像の位置を観察者の観察位置に依存して調整することが可能となり、観察者が外界の像に画像を重畳して見るとき、注視する外界の像と画像の表示位置が大きく離れることが無くなり、より一層容易に画像を視認することが可能となる。
【００７１】
そして、上記の好ましい形態を含む本開示における第１Ａの表示装置あるいは第１Ｂの表示装置にあっては、画像形成装置への画像信号に加え、観察者の観察位置に関する情報（以下、『観察者の観察位置情報』と呼ぶ）が、外部から表示装置に送出される形態とすることができるし、あるいは又、観察者の観察位置を測定する位置測定手段を更に備えている形態とすることもできる。
【００７２】
また、以上に説明した好ましい形態を含む本開示における第２Ａの表示装置〜第２Ｄの表示装置にあっては、画像形成装置への画像信号に加え、観察者の観察位置情報が、予め表示装置に与えられている形態とすることができる。あるいは又、観察者の観察位置情報が、外部から表示装置に送出される形態とすることができるし、あるいは、観察者の観察位置を測定する位置測定手段を更に備えている形態とすることもできる。
【００７３】
ここで、観察者の観察位置情報が外部から表示装置に送出される形態にあっては、無線によって観察者の観察位置情報を表示装置（具体的には、表示装置に備えられた制御装置）に送出すればよい。観察者の観察位置を測定する位置測定手段を更に備えている形態においては、位置測定手段として、具体的には、オートフォーカス機能付きカメラや撮像装置（例えば、観察対象物に赤外線・超音波などを照射し、その反射波が戻るまでの時間や照射角度により距離を検出するアクティブ方式の距離測定装置や、パッシブ方式の距離測定装置を有するカメラや撮像装置）、オートフォーカス機能付きカメラ用の距離測定装置（アクティブ方式の距離測定装置）を挙げることができる。あるいは又、表示装置にボタンやスイッチを設け、手動にて表示装置から観察対象物までの距離を設定してもよい。あるいは又、予め、観察者の観察位置情報を表示装置に設定しておく形態を採用することもできる。あるいは又、パーソナルコンピュータから観察者の観察位置情報を表示装置に与えてもよいし、例えば、チケットに印刷されたバーコード形式の座席情報や劇場情報（ホール情報やシアター情報等。以下においても同じ）、携帯電話に表示されたチケット情報に含まれる座席情報や劇場情報を適切な手段・方法で読み取り、係る座席情報や劇場情報に基づく観察者の観察位置情報を適切な手段によって表示装置に与えてもよい。
【００７４】
本開示における第１Ｃの表示装置において、画像形成装置における画像形成を停止するためには、即ち、表示装置における省電力モード、あるいは、スタンバイ及び休止モード（以下、これらのモードを総称して、『省電力モード等』と呼ぶ場合がある）への移行のためには、例えば、画像信号に、画像表示装置における画像表示時間を表す信号や、画像形成装置における画像形成の停止を指示する信号を加重すればよい。所定の時間として、例えば、画像形成装置に表示された字幕を通常の人が読む時間、あるいは、予め台詞の長さに応じて決められた字幕表示時間を挙げることができる。
【００７５】
以上に説明した好ましい形態を含む本開示における第２Ａの表示装置〜第２Ｄの表示装置にあっても、更には、画像形成装置へ画像信号が入力されてから所定の時間が経過した後、画像形成装置における画像形成を停止する形態とすることができる。そして、これによって、所定の時間経過後に表示装置における省電力モード、あるいは、スタンバイ及び休止モードへ移行することができるので、表示装置における電力、エネルギーの浪費といった問題が生じることがない。
【００７６】
更には、上記の各種の好ましい形態を含む本開示における第１Ａの表示装置〜第１Ｃの表示装置、第２Ａの表示装置〜第２Ｄの表示装置にあっては、画像形成装置への画像信号に加え、光学装置において表示すべき画像の輝度信号が、外部から表示装置に送出される形態とすることができる。このような形態にあっては、無線によって輝度信号を外部から表示装置に送出すればよい。
【００７７】
以上に説明した好ましい各種の形態を含む本開示における第１Ａの表示装置〜第１Ｃの表示装置、本開示における第２Ａの表示装置〜第２Ｄの表示装置において、画像信号によって光学装置において表示される画像は文字から構成されている。ここで、画像としての文字を表示するための画像信号（『文字データ』と呼ぶ場合がある）は、デジタル化されたデータであり、作業者によって、あるいは又、コンピュータ等による処理に基づき、予め作成しておけばよい。文字データのフォーマットは、使用する表示装置やシステムに依存して、適宜、選択すればよく、例えば、文字列から成るテキストデータとすることもできるし、文字列を画像とした画像データとすることもできる。
【００７８】
本開示における第１Ａの表示装置〜第１Ｃの表示装置、本開示における第２Ａの表示装置〜第２Ｄの表示装置にあっては、一定の位置に表示されている画像（例えば、字幕や虚像）を見続けることにより発生することによる観察者の瞳疲労の軽減のため、２つの光学装置によって形成される画像の位置（画像位置）、あるいは、２つの光学装置によって形成される画像（例えば、字幕や虚像）の２つの光学装置からの距離（画像距離）を、経時的に変化させる構成とすることができる。ここで、経時的に変化させるとは、例えば、５分乃至１０分に１回、画像の水平方向の位置を、例えば、画像形成装置における＋２画素分あるいは−１画素分、例えば、１分間乃至３分間に亙り、変化させた後、元に戻すことを意味する。
【００７９】
本開示における第１Ａの表示装置あるいは第１Ｂの表示装置にあっては、観察者が表示装置を装着し、左眼用画像表示装置及び右眼用画像表示装置によって表示される画像が、所望の虚像距離あるいは虚像位置で一致するように、元々の画像信号に表示位置補正信号を加えればよい。そして、係る表示位置補正信号を表示装置（具体的には、表示装置に備えられた制御装置）に記憶させてもよいし、元々の画像信号に表示位置補正信号を加重した画像信号を表示装置に送出してもよい。そして、上記の各種の好ましい形態を含む本開示における第１Ａの表示装置〜第１Ｃの表示装置、第２Ａの表示装置〜第２Ｄの表示装置において、画像信号は、無線によって表示装置に送られてくる形態とすることができる。ここで、このような形態において、画像信号は、例えば、制御装置にて受け取られ、画像表示のための処理が制御装置においてなされる。あるいは又、画像信号は、表示装置（制御装置）に記憶されている形態とすることもでき、この場合には、表示位置補正信号を表示装置に送出すればよい。そして、少なくとも一方の画像表示装置を構成する光学装置において表示される画像の位置を制御し、以て、２つの画像表示装置の相互の光学的な位置を調整するが、具体的には、左眼用画像表示装置及び右眼用画像表示装置によって表示される画像が、所望の虚像距離あるいは虚像位置で一致するように、少なくとも一方の画像表示装置を構成する光学装置において表示される画像の位置を制御すればよい。制御装置（制御回路、制御手段）は、周知の回路から構成することができる。
【００８０】
以上に説明した好ましい各種の形態、構成を含む本開示における第１Ａの表示装置〜第１Ｃの表示装置、本開示における第２Ａの表示装置〜第２Ｄの表示装置においては、
表示装置に備えられた制御装置は記憶手段を有し、この記憶手段には、画像を表示するための複数の画像信号（例えば、文字データ）から構成されたデータ群が記憶されており、
データ群を構成する各画像信号にはデータ識別符号が付されており、
外部から指定識別符号及び表示時間情報が所定の時間間隔で制御装置に送られ、
制御装置において、送られてきた指定識別符号とデータ識別符号が一致する画像信号を記憶手段から読み出し、送られてきた表示時間情報に相当する時間の間、該画像信号に基づく画像を表示装置において表示する構成とすることもできる。尚、「表示時間情報に相当する時間」を、本開示における第１Ｃの表示装置における『所定の時間』とすればよい。係る構成を、便宜上、『本開示における第３Ａの表示装置』と呼ぶ場合がある。
【００８１】
このような本開示における第３Ａの表示装置にあっては、外部から指定識別符号及び表示時間情報が所定の時間間隔で制御装置に送られ、制御装置において、送られてきた指定識別符号とデータ識別符号が一致する画像信号を記憶手段から読み出し、送られてきた表示時間情報に相当する時間の間、この画像信号に基づく画像を画像形成装置において表示する。従って、外部から送られてきた指定識別符号及び／又は表示時間情報の受信が制御装置において何らかの理由で失敗した場合でも、再度、あるいは、繰り返し、指定識別符号及び表示時間情報の受信を試行することができるので、指定識別符号及び表示時間情報を確実に受信することができる。その結果、例えば、複数の表示装置において指定識別符号及び表示時間情報を受信する場合でも、複数の表示装置において、確実に、同時に同じ画像の表示が可能となるし、表示装置において画像が表示できないという問題の発生を確実に回避することができる。
【００８２】
あるいは又、以上に説明した好ましい各種の形態、構成を含む本開示における第１Ａの表示装置〜第１Ｃの表示装置、本開示における第２Ａの表示装置〜第２Ｄの表示装置においては、
表示装置に備えられた制御装置は記憶手段を有し、この記憶手段には、画像を表示するための複数の画像信号（例えば、文字データ）から構成されたデータ群が記憶されており、
データ群を構成する各画像信号にはデータ識別符号が付されており、
各画像信号は、表示サイズが異なる複数の異サイズ・表示データから構成されており、
外部から指定識別符号が制御装置に送られ、
制御装置において、送られてきた指定識別符号とデータ識別符号が一致する画像信号の内、観察対象物と表示装置との間の距離に依存して、複数の異サイズ・表示データから１つの異サイズ・表示データを記憶手段から読み出し、該１つの異サイズ・表示データに基づく画像を表示装置において表示する構成とすることもできる。尚、係る構成を、便宜上、『本開示における第３Ｂの表示装置』と呼ぶ場合がある。
【００８３】
このような本開示における第３Ｂの表示装置にあっては、制御装置において、送られてきた指定識別符号とデータ識別符号が一致する画像信号の内、観察対象物と表示装置との間の距離に依存して、複数の異サイズ・表示データから１つの異サイズ・表示データを記憶手段から読み出し、この１つの異サイズ・表示データに基づく画像を画像形成装置において表示するので、観察対象物の目視される大きさと画像の大きさとの間に不釣り合いが生じ難い。
【００８４】
あるいは又、以上に説明した好ましい各種の形態、構成を含む本開示における第１Ａの表示装置〜第１Ｃの表示装置、本開示における第２Ａの表示装置〜第２Ｄの表示装置においては、
表示装置に備えられた制御装置は記憶手段を有し、この記憶手段には、画像を表示するための複数の画像信号（例えば、文字データ）から構成されたデータ群が記憶されており、
データ群を構成する各画像信号にはデータ識別符号が付されており、
各画像信号は、表示言語が異なる複数の異言語・表示データから構成されており、
外部から指定識別符号が制御装置に送られ、
制御装置において、送られてきた指定識別符号とデータ識別符号が一致する画像信号の内、複数の異言語・表示データから１つの異言語・表示データを記憶手段から読み出し、該１つの異言語・表示データに基づく画像を表示装置において表示する構成とすることもできる。尚、係る構成を、便宜上、『本開示における第３Ｃの表示装置』と呼ぶ場合がある。どのような言語を表示言語として選択するかの方法として、例えば、制御装置にボタンやスイッチを設け、手動にて表示言語として選択する方法を挙げることができる。
【００８５】
このような本開示における第３Ｃの表示装置にあっては、制御装置において、送られてきた指定識別符号とデータ識別符号が一致する画像信号の内、複数の異言語・表示データから１つの異言語・表示データを記憶手段から読み出し、この１つの異言語・表示データに基づく画像を画像形成装置において表示するので、観察者（観客）の使用する言語での画像表示を容易に行うことができる。
【００８６】
あるいは又、以上に説明した好ましい各種の形態、構成を含む本開示における第１Ａの表示装置〜第１Ｃの表示装置、本開示における第２Ａの表示装置〜第２Ｄの表示装置においては、
表示装置に備えられた制御装置は記憶手段を有し、この記憶手段には、画像を表示するための複数の画像信号（例えば、文字データ）から構成されたデータ群が記憶されており、
データ群を構成する各画像信号にはデータ識別符号が付されており、
外部から指定識別符号が制御装置に送られ、
制御装置において、送られてきた指定識別符号とデータ識別符号が一致する画像信号を記憶手段から読み出し、観察対象物と表示装置との間の距離に依存してデータ処理を行うことで、例えば輻輳角を制御した状態で該画像信号（データ処理が施された画像信号）に基づく画像を表示装置において表示する構成とすることもできる。尚、係る構成を、便宜上、『本開示における第３Ｄの表示装置』と呼ぶ場合がある。ここで、表示装置から観察対象物までの距離に基づき、少なくとも一方の画像表示装置を構成する画像形成装置への画像信号に対する画像処理を行えばよい。
【００８７】
このような本開示における第３Ｄの表示装置にあっては、表示装置から観察対象物までの距離に対応した輻輳角の調整を行うが、これによって、観察対象物と観察者（観客）との間の距離と、画像表示装置によって表示される画像の虚像距離とを等しくすることができ、あるいは又、出来るだけ等しくすることができ、観察対象物を眺める観察者（観客）が、左程、焦点を変更、変化させること無く、自然に画像表示装置によって表示される画像を眺める（観察する）ことができる。
【００８８】
以上に説明した好ましい各種の形態、構成を含む本開示における第２Ａの表示装置〜第２Ｄの表示装置においては、観察者の観察位置に依存して、また、観察対象物と表示装置との間の距離に依存して、光学装置において表示される表示画面（画像表示領域）の大きさ、表示画面（画像表示領域）の画角、表示画面の解像度を変更してもよい。尚、係る構成を、便宜上、『本開示における第２Ｅの表示装置』と呼ぶ場合がある。
【００８９】
尚、これらの本開示における第２Ａの表示装置〜第２Ｅの表示装置を、適宜、組み合わせることもできる。また、本開示における第３Ａの表示装置〜第３Ｄの表示装置を、適宜、組み合わせることもできる。これらの本開示における第２Ａの表示装置〜第２Ｅの表示装置、本開示における第３Ａの表示装置〜第３Ｄの表示装置において、制御装置それ自体は周知の回路構成とすればよいし、記憶手段それ自体も周知の記憶手段、例えば、メモリカードとすればよい。また、送信装置から指定識別符号及び表示時間情報が無線で送られてくる構成とすることができ、更には、送信装置は表示装置を備えており、表示装置には、指定識別符号、データ群、及び、各画像信号又は各表示データの全表示時間が表示される構成とすることができる。但し、これに限定するものではなく、有線とすることもできる。指定識別符号を制御装置に送るための送信装置それ自体は周知の送信装置とすればよいし、送信装置に備えられた表示装置も周知の表示装置とすればよい。
【００９０】
観察者の観察位置に依存して、本開示における第２Ａの表示装置においては移動装置を作動させ、本開示における第２Ｂの表示装置においては回動装置を作動させ、本開示における第２Ｃの表示装置においては液体レンズを作動させ、本開示における第２Ｄの表示装置においては液体プリズムを作動させるが、これらの作動は、観察者の観察位置情報に基づき、制御装置からの制御信号によって制御される。
【００９１】
本開示における第２Ａの表示装置においては、移動装置によって画像形成装置の光軸と光学系の光軸とを水平方向（Ｘ軸方向）に相対的に移動させるが、具体的には、一方の画像表示装置における画像形成装置の光軸と光学系の光軸との位置関係を固定したまま、他方の画像表示装置における画像形成装置の光軸と光学系の光軸の位置を水平方向（Ｘ軸方向）に相対的に移動させる形態を挙げることができる。あるいは又、両方の画像表示装置のそれぞれにおける画像形成装置の光軸と光学系の光軸の位置を水平方向（Ｘ軸方向）に相対的に移動させる形態を挙げることができる。このような形態にあっては、光学系から出射され、光学装置に入射する平行光の光学装置に対する入射角（後述する中心入射光線とＹＺ平面の成す角度であり、以下、『ＹＺ平面・入射角』と呼ぶ）に変化が生じる。そして、このような形態にあっては、画像形成装置及び光学系のいずれか一方を、例えばラックギア部から構成された移動用ガイド部に載置し、画像形成装置及び光学系のいずれか一方を、モータ及びピニオンギアによって移動用ガイド部上を移動させる方式を採用すればよいし、あるいは、画像形成装置及び光学系のいずれか一方を移動用ガイド部に載置し、画像形成装置及び光学系のいずれか一方を、圧電素子や超音波モータによって移動用ガイド部上を移動させる方式を採用すればよい。
【００９２】
本開示における第２Ｂの表示装置においては、回動装置によって画像形成装置及び光学系を回動させるが、具体的には、２つの画像表示装置のそれぞれにおける画像形成装置の光軸と光学系の光軸との位置関係を固定したまま、少なくとも一方の画像表示装置を、Ｚ軸を回動軸として、圧電素子やモータ、超音波モータを作動させることで、回動させればよい。このような形態にあっても、光学系から出射され、光学装置に入射する平行光の光学装置に対するＹＺ平面・入射角に変化が生じる。
【００９３】
本開示における第２Ｃの表示装置においては液体レンズを作動させるが、光学系を構成する係る液体レンズは、エレクトロウェッティング現象を利用した周知の液体レンズから構成すればよい。液体レンズの作動によって、光学系の光軸とＹ軸との関係を一定に保持したまま、光学系の光軸を水平方向（Ｘ軸方向）に移動させることができるし、あるいは又、ＹＺ平面に対する光学系の光軸の角度を変更することができる。このような形態にあっても、光学系から出射され、光学装置に入射する平行光の光学装置に対するＹＺ平面・入射角に変化が生じる。
【００９４】
本開示における第２Ｄの表示装置においては液体プリズムを作動させるが、光学系の一部を構成する係る液体プリズムは、エレクトロウェッティング現象を利用した周知の液体プリズムから構成すればよい。液体プリズムの作動によって、ＹＺ平面に対する光学系の光軸の角度を変更することができる。このような形態にあっても、光学系から出射され、光学装置に入射する平行光の光学装置に対するＹＺ平面・入射角に変化が生じる。
【００９５】
ここで、データ群の数は本質的に任意であるし、データ群を構成する画像信号（例えば、文字データ）の数、画像信号（文字データ）を構成する表示データの数も本質的に任意である。画像信号あるいは表示データのデータ構造として、例えば、文字列から成るテキストデータとすることもできるし、文字列を画像とした画像データとすることもできる。表示サイズが異なる表示データとして、フォントサイズの異なる文字列から成るテキストデータとすることもできるし、フォントサイズの異なる文字列を画像とした画像データとすることもできる。表示データにおける表示言語は、本質的には任意である。画像信号あるいは表示データに所定の信号処理を施すことで、画像信号を得ることができる。
【００９６】
指定識別符号及びデータ識別符号は、画像信号を識別できる符号であれば、如何なる符号とすることもでき、例えば、数字やアルファベット、数字とアルファベットの組合せを例示することができる。
【００９７】
外部から指定識別符号及び表示時間情報が所定の時間間隔で制御装置に送られるが、ここで、全表示時間をＴtotal、表示時間情報をＴInf、所定の時間間隔をＴintとすると、
ＴInf（ｍ）＝Ｔtotal−（ｍ−１）×Ｔint
で表すことができる。尚、『ｍ』は正の整数であり、外部から指定識別符号及び表示時間情報が制御装置に送られてくる回数を表す。例えば、
Ｔtotal＝１０．０秒
Ｔint  ＝０．１秒
とすると、第１回目（ｍ＝１）に外部から指定識別符号及び表示時間情報が制御装置に送られてきたときの表示時間情報ＴInf（ｍ）は、
ＴInf（１）＝１０．０秒
である。また、第２回目（ｍ＝２）、第１１回目（ｍ＝１１）に外部から指定識別符号及び表示時間情報が制御装置に送られてきたときの表示時間情報ＴInf（ｍ）は、
ＴInf（２）  ＝９．９秒
ＴInf（１１）＝９．０秒
である。そして、これらの表示時間情報ＴInf（ｍ）に相当する時間の間、画像信号あるいは１つの表示データに基づく画像を画像形成装置において表示する。
【００９８】
ここで、一旦、画像形成装置において画像の表示が開始された場合には、それ以降に外部から同じ指定識別符号及び異なる表示時間情報が制御装置に送られてきても、制御装置はこれらの指定識別符号及び表示時間情報を無視して、画像を表示し続ければよい。このような動作にあっては、制御装置において、一種のフラグ（受信完了フラグ）を立てればよい。一方、第１回目から第（ｍ’−１）回目まで、外部からの指定識別符号及び／又は表示時間情報の受信に制御装置が何らかの理由で失敗し、第ｍ’回目に、初めて、外部からの指定識別符号及び表示時間情報の受信に制御装置が成功した場合、
ＴInf（ｍ’）＝Ｔtotal−（ｍ’−１）×Ｔint
の時間の間、画像信号あるいは１つの表示データに基づく画像を画像形成装置において表示すればよい。
【００９９】
第１回目（ｍ＝１）の指定識別符号及び表示時間情報の送出の指示は、例えば、作業者が行ってもよいし、コンピュータ等の制御に基づき行ってもよいし、観察対象物の動きや、観察対象物である演劇者の声の変化、観察対象物の占める環境の変化（例えば、照明や音響の変化）等に基づき行ってもよい。
【０１００】
画像形成装置の中心から出射され、光学系の画像形成装置側節点を通過した光線を『中心光線』と呼び、中心光線の内、光学装置に垂直に入射するものを『中心入射光線』と呼ぶ。そして、中心入射光線が光学装置に入射する点を光学装置中心点とし、光学装置中心点を通過し、光学装置の軸線方向と平行な軸線をＸ軸、光学装置中心点を通過し、光学装置の法線と一致する軸線をＹ軸とする。本開示の表示装置等における水平方向とは、Ｘ軸と平行な方向であり、以下、『Ｘ軸方向』と呼ぶ場合もある。ここで、光学系は、画像形成装置と光学装置との間に配置され、画像形成装置から出射された光を平行光とする。そして、光学系にて平行光とされた光束が、光学装置に入射され、導光され、出射される。また、第１偏向手段の中心点を、『光学装置中心点』とする。
【０１０１】
第１Ａの表示装置〜第１Ｃの表示装置、本開示における第２Ａの表示装置〜第２Ｄの表示装置にあっては、画像表示装置において、限定するものではないが、中心入射光線は、ＸＹ平面と０度以外の角度（θ）で交わる構成とすることができ、これによって、画像表示装置を眼鏡型のフレームの取付部に取り付けるときの画像表示装置の取付け角度に対する制限が少なくなり、高いデザイン自由度を得ることができる。そして、この場合、中心入射光線はＹＺ平面に含まれる形態とすることが、画像表示装置の取り扱いや設定、取付けの容易さといった観点から、好ましい。また、光学系の光軸は、ＹＺ平面に含まれ、且つ、ＸＹ平面と０度以外の角度で交わる構成とすることができ、あるいは又、光学系の光軸は、ＹＺ平面と平行であり、且つ、ＸＹ平面と平行であり、且つ、画像形成装置の中心から外れた位置を通過する構成とすることができる。また、ＸＹ平面が水平面と一致すると仮定したとき、中心入射光線がＸＹ平面と交わる角度θは仰角である構成とすることができる。即ち、ＸＹ平面の下側から中心入射光線がＸＹ平面に向い、ＸＹ平面と衝突する構成とすることができる。そして、この場合、ＸＹ平面は垂直面と０度以外の角度で交わることが好ましく、更には、ＸＹ平面は垂直面と角度θ’で交わることが好ましい。尚、θ’の最大値として、限定するものではないが、５度を挙げることができる。ここで、水平面とは、観察者が、水平の方向に位置する対象物（例えば、水平方向、無限遠方の対象物、地平線や水平線）を眺めたときの視線（『観察者の水平方向視線』）が含まれ、且つ、水平に位置する観察者の２つの瞳が含まれる平面である。また、垂直面は、この水平面に対して垂直な平面である。あるいは又、観察者が、水平の方向に位置する対象物（例えば、水平方向、無限遠方の対象物、地平線や水平線）を眺めたとき、光学装置から出射され、観察者の瞳に入射する中心入射光線は俯角をなす形態とすることができる。水平面に対する係る俯角として、例えば、５度乃至４５度を例示することができる。
【０１０２】
以上に説明した種々の変形例を含む本開示の表示装置等は、例えば、動画や静止画の表示；映画等の字幕の表示；映像に同期した映像に関する説明文やクローズド・キャプションの表示；芝居や歌舞伎、能、狂言、オペラ、音楽会、バレー、各種演劇、遊園地（アミューズメントパーク）、美術館、観光地、行楽地、観光案内等における観察対象物に関する各種説明、その内容や進行状況、背景等を説明するための説明文等の表示に用いることができるし、また、文字表示装置としても機能し、各種装置等の観察対象物の運転、操作、保守、分解時等における各種説明や、記号、符号、印、標章、図案等の表示；人物や物品等の観察対象物に関する各種説明や、記号、符号、印、標章、図案等の表示；クローズド・キャプションの表示に用いることができる。芝居や歌舞伎、能、狂言、オペラ、音楽会、バレー、各種演劇、遊園地（アミューズメントパーク）、美術館、観光地、行楽地、観光案内等にあっては、適切なタイミングで観察対象物に関連した画像としての文字を表示装置において表示すればよい。具体的には、例えば、映画等の進行状況に応じて、あるいは又、芝居等の進行状況に応じて、所定のスケジュール、時間配分に基づき、作業者の操作によって、あるいは、コンピュータ等の制御下、画像信号が表示装置に送出され、あるいは又、指定識別符号が制御装置に送出され、画像が表示装置にて表示される。また、各種装置、人物や物品等の観察対象物に関する各種説明の表示を行う場合、表示装置に撮像装置を配設し、撮像装置によって各種装置、人物や物品等の観察対象物を撮影し、表示装置において撮影内容を解析することで、予め作成しておいた各種装置、人物や物品等の観察対象物に関する各種説明の表示を表示装置にて行うことができる。あるいは又、本開示の表示装置等は、立体視ディスプレイ装置として用いることもできる。この場合、必要に応じて、光学装置に偏光板や偏光フィルムを着脱自在に取り付け、あるいは、光学装置に偏光板や偏光フィルムを貼り合わせればよい。
【０１０３】
画像形成装置への画像信号には、上述したとおり、画像信号（例えば、文字データ）だけでなく、例えば、表示すべき画像に関する輝度データ（輝度情報）、又は、色度データ（色度情報）、又は、輝度データ及び色度データを含めることができる。輝度データは、光学装置を通して眺めた観察対象物を含む所定の領域の輝度に対応した輝度データとすることができるし、色度データは、光学装置を通して眺めた観察対象物を含む所定の領域の色度に対応した色度データとすることができる。このように、画像に関する輝度データを含めることで、表示される画像の輝度（明るさ）の制御を行うことができるし、画像に関する色度データを含めることで、表示される画像の色度（色）の制御を行うことができるし、画像に関する輝度データ及び色度データを含めることで、表示される画像の輝度（明るさ）及び色度（色）の制御を行うことができる。画像表示装置を通して眺めた観察対象物を含む所定の領域の輝度に対応した輝度データとする場合、画像表示装置を通して眺めた観察対象物を含む所定の領域の輝度の値が高くなるほど、画像の輝度の値が高くなるように（即ち、画像がより明るく表示されるように）、輝度データの値を設定すればよい。また、画像表示装置を通して眺めた観察対象物を含む所定の領域の色度に対応した色度データとする場合、画像表示装置を通して眺めた観察対象物を含む所定の領域の色度と、表示すべき画像の色度とが、おおよそ補色関係となるように色度データの値を設定すればよい。補色とは、色相環（color circle）で正反対に位置する関係の色の組み合わせ指す。赤に対しての緑、黄に対しての紫、青に対しての橙など、相補的な色のことでもある。或る色に別の色を適宜の割合で混合して、光の場合は白、物体の場合は黒というように、彩度低下を引き起こす色についても云うが、並列した際の視覚的効果の相補性と混合した際の相補性は異なる。余色、対照色、反対色ともいう。但し、反対色は補色が相対する色を直接に指示するのに対し、補色の指示する範囲はやや広い。補色同士の色の組み合わせは互いの色を引き立て合う相乗効果があり、これは補色調和といわれる。
【実施例１】
【０１０４】
実施例１は、本開示の第１の態様に係る表示装置に関する。実施例１の画像表示装置の概念図を図１に示し、実施例１の表示装置（具体的には、頭部装着型ディスプレイ，ＨＭＤ）を上方から眺めた模式図を図２に示し、側方から眺めた模式図を図３Ａに示し、光学装置及び調光装置の部分を正面から眺めた模式図を図３Ｂに示し、実施例１の表示装置における調光装置の挙動を模式的に示す調光装置の模式的な断面図を図４Ａ及び図４Ｂに示す。尚、図３Ａにおいて、遮光部材を点線で示す。【０１０５】
実施例１あるいは後述する実施例２〜実施例１１の表示装置は、
（イ）観察者（例えば、観客）の頭部に装着される眼鏡型のフレーム１０、及び、
（ロ）フレーム１０に取り付けられた画像表示装置１００，２００，３００，４００，５００、
を備えている。尚、実施例１あるいは後述する実施例２〜実施例１１の表示装置は、具体的には、２つの画像表示装置を備えた両眼型としたが、１つ備えた片眼型としてもよい。また、画像形成装置１１１，２１１は、例えば、単色の画像を表示する。【０１０６】
そして、実施例１あるいは後述する実施例２〜実施例１１における画像表示装置１００，２００，３００，４００，５００は、
（Ａ）画像形成装置１１１，２１１、及び、
（Ｂ）画像形成装置１１１，２１１から出射された光が入射され、導光され、出射される光学装置１２０，３２０，５２０、
を備えている。更には、
（Ｃ）画像形成装置１１１，２１１から出射された光を平行光とする光学系（平行光出射光学系）１１２，２５４、
を備えており、光学系１１２，２５４にて平行光とされた光束が光学装置１２０，３２０，５２０に入射され、導光され、出射される。【０１０７】
そして、実施例１あるいは後述する実施例２〜実施例１１において、光学装置１２０，３２０，５２０の画像形成装置１１１，２１１が配された側とは反対側には、外部から入射する外光の光量を調整する調光装置７００が配設されている。具体的には、一種の光シャッタである調光装置７００は、接着剤７０７を用いて、光学装置１２０，３２０，５２０（具体的には、導光板１２１，３２１を保護する保護部材（保護板）１２６，３２６あるいは半透過ミラー５２０）に固定されている。また、調光装置７００は、観察者とは反対側の光学装置１２０，３２０，５２０の領域に配置されている。尚、保護部材（保護板）１２６，３２６は、接着部材１２７，３２７によって導光板１２１，３２１の第２面１２３，３２３に接着されている。【０１０８】
実施例１あるいは後述する実施例２〜実施例８、実施例１０〜実施例１１における光学装置１２０，３２０は、
（ａ）入射された光が内部を全反射により伝播した後、出射される導光板１２１，３２１、
（ｂ）導光板１２１，３２１に入射された光が導光板１２１，３２１の内部で全反射されるように、導光板１２１，３２１に入射された光を偏向させる第１偏向手段１３０，３３０、及び、
（ｃ）導光板１２１，３２１の内部を全反射により伝播した光を導光板１２１，３２１から出射させるために、導光板１２１，３２１の内部を全反射により伝播した光を複数回に亙り偏向させる第２偏向手段１４０，３４０、
を備えている。そして、調光装置７００の射影像内に第２偏向手段１４０，３４０が位置する。更には、調光装置７００を構成する基板の一方（第１基板７０１）によって、第１偏向手段１３０，３３０及び第２偏向手段１４０，３４０は被覆されている。光学装置１２０，３２０は、シースルー型（半透過型）である。【０１０９】
ここで、実施例１にあっては、第１偏向手段１３０及び第２偏向手段１４０は導光板１２１の内部に配設されている。そして、第１偏向手段１３０は、導光板１２１に入射された光を反射し、第２偏向手段１４０は、導光板１２１の内部を全反射により伝播した光を、複数回に亙り、透過、反射する。即ち、第１偏向手段１３０は反射鏡として機能し、第２偏向手段１４０は半透過鏡として機能する。より具体的には、導光板１２１の内部に設けられた第１偏向手段１３０は、アルミニウム（Ａｌ）から成り、導光板１２１に入射された光を反射させる光反射膜（一種のミラー）から構成されている。一方、導光板１２１の内部に設けられた第２偏向手段１４０は、誘電体積層膜が多数積層された多層積層構造体から構成されている。誘電体積層膜は、例えば、高誘電率材料としてのＴｉＯ2膜、及び、低誘電率材料としてのＳｉＯ2膜から構成されている。誘電体積層膜が多数積層された多層積層構造体に関しては、特表２００５−５２１０９９に開示されている。図面においては６層の誘電体積層膜を図示しているが、これに限定するものではない。誘電体積層膜と誘電体積層膜との間には、導光板１２１を構成する材料と同じ材料から成る薄片が挟まれている。尚、第１偏向手段１３０においては、導光板１２１に入射された平行光が導光板１２１の内部で全反射されるように、導光板１２１に入射された平行光が反射（又は回折）される。一方、第２偏向手段１４０においては、導光板１２１の内部を全反射により伝播した平行光が複数回に亙り反射（又は回折）され、導光板１２１から平行光の状態で、観察者の瞳２１に向かって出射される。【０１１０】
第１偏向手段１３０は、導光板１２１の第１偏向手段１３０を設ける部分１２４を切り出すことで、導光板１２１に第１偏向手段１３０を形成すべき斜面を設け、係る斜面に光反射膜を真空蒸着した後、導光板１２１の切り出した部分１２４を第１偏向手段１３０に接着すればよい。また、第２偏向手段１４０は、導光板１２１を構成する材料と同じ材料（例えば、ガラス）と誘電体積層膜（例えば、真空蒸着法にて成膜することができる）とが多数積層された多層積層構造体を作製し、導光板１２１の第２偏向手段１４０を設ける部分１２５を切り出して斜面を形成し、係る斜面に多層積層構造体を接着し、研磨等を行って、外形を整えればよい。こうして、導光板１２１の内部に第１偏向手段１３０及び第２偏向手段１４０が設けられた光学装置１２０を得ることができる。【０１１１】
ここで、実施例１あるいは後述する実施例２〜実施例８、実施例１０〜実施例１１において、光学ガラスやプラスチック材料から成る導光板１２１，３２１は、導光板１２１，３２１の内部全反射による光伝播方向（Ｘ軸）と平行に延びる２つの平行面（第１面１２２，３２２及び第２面１２３，３２３）を有している。第１面１２２，３２２と第２面１２３，３２３とは対向している。そして、光入射面に相当する第１面１２２，３２２から平行光が入射され、内部を全反射により伝播した後、光出射面に相当する第１面１２２，３２２から出射される。但し、これに限定するものではなく、第２面１２３，３２３によって光入射面が構成され、第１面１２２，３２２によって光出射面が構成されていてもよい。【０１１２】
実施例１あるいは後述する実施例７において、画像形成装置１１１は、第１の構成の画像形成装置であり、２次元マトリクス状に配列された複数の画素を有する。具体的には、画像形成装置１１１は、反射型空間光変調装置１５０、及び、白色光を出射する発光ダイオードから成る光源１５３から構成されている。各画像形成装置１１１全体は、筐体１１３（図１では、一点鎖線で示す）内に納められており、係る筐体１１３には開口部（図示せず）が設けられており、開口部を介して光学系（平行光出射光学系，コリメート光学系）１１２から光が出射される。反射型空間光変調装置１５０は、ライト・バルブとしてのＬＣＯＳから成る液晶表示装置（ＬＣＤ）１５１、及び、光源１５３からの光の一部を反射して液晶表示装置１５１へと導き、且つ、液晶表示装置１５１によって反射された光の一部を通過させて光学系１１２へと導く偏光ビームスプリッター１５２から構成されている。液晶表示装置１５１は、２次元マトリクス状に配列された複数（例えば、６４０×４８０個）の画素（液晶セル）を備えている。偏光ビームスプリッター１５２は、周知の構成、構造を有する。光源１５３から出射された無偏光の光は、偏光ビームスプリッター１５２に衝突する。偏光ビームスプリッター１５２において、Ｐ偏光成分は通過し、系外に出射される。一方、Ｓ偏光成分は、偏光ビームスプリッター１５２において反射され、液晶表示装置１５１に入射し、液晶表示装置１５１の内部で反射され、液晶表示装置１５１から出射される。ここで、液晶表示装置１５１から出射した光の内、「白」を表示する画素から出射した光にはＰ偏光成分が多く含まれ、「黒」を表示する画素から出射した光にはＳ偏光成分が多く含まれる。従って、液晶表示装置１５１から出射され、偏光ビームスプリッター１５２に衝突する光の内、Ｐ偏光成分は、偏光ビームスプリッター１５２を通過し、光学系１１２へと導かれる。一方、Ｓ偏光成分は、偏光ビームスプリッター１５２において反射され、光源１５３に戻される。光学系１１２は、例えば、凸レンズから構成され、平行光を生成させるために、光学系１１２における焦点距離の所（位置）に画像形成装置１１１（より具体的には、液晶表示装置１５１）が配置されている。【０１１３】
フレーム１０は、観察者の正面に配置されるフロント部１１と、フロント部１１の両端に蝶番１２を介して回動自在に取り付けられた２つのテンプル部１３と、各テンプル部１３の先端部に取り付けられたモダン部（先セル、耳あて、イヤーパッドとも呼ばれる）１４から成る。また、ノーズパッド（図示せず）が取り付けられている。即ち、フレーム１０及びノーズパッドの組立体は、基本的には、通常の眼鏡と略同じ構造を有する。更には、各筐体１１３が、取付け部材１９によって、着脱自在に、テンプル部１３に取り付けられている。フレーム１０は、金属又はプラスチックから作製されている。尚、各筐体１１３は、取付け部材１９によってテンプル部１３に着脱できないように取り付けられていてもよい。また、眼鏡を所有し、装着している観察者に対しては、観察者の所有する眼鏡のフレームのテンプル部に、各筐体１１３を取付け部材１９によって着脱自在に取り付けてもよい。また、各筐体１１３を、テンプル部１３の外側に取り付けてもよいし、テンプル部１３の内側に取り付けてもよい。【０１１４】
更には、一方の画像形成装置１１１Ａから延びる配線（信号線や電源線等）１５が、テンプル部１３、及び、モダン部１４の内部を介して、モダン部１４の先端部から外部に延び、制御装置（制御回路、制御手段）１８に接続されている。更には、各画像形成装置１１１Ａ，１１１Ｂはヘッドホン部１６を備えており、各画像形成装置１１１Ａ，１１１Ｂから延びるヘッドホン部用配線１７が、テンプル部１３、及び、モダン部１４の内部を介して、モダン部１４の先端部からヘッドホン部１６へと延びている。ヘッドホン部用配線１７は、より具体的には、モダン部１４の先端部から、耳介（耳殻）の後ろ側を回り込むようにしてヘッドホン部１６へと延びている。このような構成にすることで、ヘッドホン部１６やヘッドホン部用配線１７が乱雑に配置されているといった印象を与えることがなく、すっきりとした表示装置とすることができる。【０１１５】
実施例１における調光装置７００は、光透過制御材料層７０５が液晶材料層から成る光シャッタから構成されている。即ち、調光装置７００は、
光学装置１２０と対向する透明な第１基板７０１、及び、第１基板７０１と対向する透明な第２基板７０３、
第１基板７０１及び第２基板７０３のそれぞれに設けられた電極７０２，７０４、並びに、
第１基板７０１と第２基板７０３との間に封止された光透過制御材料層７０５、
から構成されている。ここで、第１基板７０１及び第２基板７０３はプラスチック材料から成る。また、第１電極７０２及び第２電極７０４は、インジウム−スズ複合酸化物（ＩＴＯ）から構成された透明電極から成り、スパッタリング法といったＰＶＤ法とリフトオフ法との組合せに基づき形成されている。また、光透過制御材料層７０５は、具体的には、ＴＮ（ツイステッド・ネマチック）型液晶材料から成る液晶材料層から構成されている。第１電極７０２及び第２電極７０４はパターニングされておらず、所謂ベタ電極である。第１電極７０２及び第２電極７０４は、図示しないコネクタ、配線を介して制御装置１８に接続されている。２枚の基板７０１，７０３の外縁部は、封止剤７０６によって封止されている。更には、調光装置７００の第１基板７０１と保護部材１２６（導光板１２１を保護する）とは、接着剤７０７によって接着されている。また、第１基板７０１の外面、第２基板７０３の外面には偏光フィルムが貼り合わされているが、これらの偏光フィルムの図示は省略した。尚、調光装置７００の第１基板７０１を導光板１２１よりも短い長さとし、調光装置７００の第１基板７０１を保護部材１２６に対して接着剤７０７によって固定する。接着剤７０７は、第１基板７０１の外縁部に配されている。以下に説明する実施例１〜実施例４においても同様とする。尚、観察者側から、光学装置１２０、調光装置７００の順に配されている。
【０１１６】
実施例１の表示装置にあっては、画像形成装置１１１Ａ，１１１Ｂから出射された光が入射される光学装置１２０の領域、具体的には、第１偏向手段１３０が設けられた領域には、光学装置１２０への外光の入射を遮光する遮光部材７１０が配されている。ここで、遮光部材７１０の光学装置１２０への射影像内に、画像形成装置１１１Ａ，１１１Ｂから出射された光が入射される光学装置１２０の領域が含まれる。また、遮光部材７１０の光学装置１２０への射影像内に、調光装置７００の端部の光学装置１２０への射影像が含まれる。
【０１１７】
実施例１において、遮光部材７１０は、光学装置１２０の画像形成装置１１１Ａ，１１１Ｂが配された側とは反対側に、光学装置１２０と離間して配されている。遮光部材７１０は、例えば、不透明なプラスチック材料から作製されており、遮光部材７１０は、画像表示装置１１１Ａ，１１１Ｂの筐体１１３から一体に延び、あるいは又、画像表示装置１１１Ａ，１１１Ｂの筐体１１３に取り付けられ、あるいは又、フレーム１０から一体に延び、あるいは又、フレーム１０に取り付けられている。尚、図示した例では、遮光部材７１０は、画像表示装置１１１Ａ，１１１Ｂの筐体１１３から一体に延びている。【０１１８】
調光装置７００の光透過率は、第１電極７０２及び第２電極７０４に印加する電圧によって制御することができる。具体的には、例えば、第２電極７０４を接地した状態で、第１電極７０２に電圧を印加すると、光透過制御材料層７０５を構成する液晶材料層における液晶の配列状態が変化し、液晶材料層の光透過率が変化する。（図４Ａ及び図４Ｂ参照）。第１電極７０２及び第２電極７０４に印加する電圧は制御装置１８に設けられた制御ノブを観察者が操作することにより行うことができる。即ち、光学装置１２０，３２０からの画像を観察者が観察し、調光装置７００の光透過率を調整することで、画像のコントラスト向上を図ればよい。尚、種々の試験の結果、調光装置７００の最高光透過率は５０％であり、最低光透過率は３０％以下（好ましくは、１％以上、３０％以下）であることが望ましいことが判った。【０１１９】
実施例１の表示装置にあっては、画像形成装置から出射された光が入射される光学装置の領域には、光学装置への外光の入射を遮光する遮光部材が配されている。従って、調光装置の作動によって外光の入射光量に変化が生じても、そもそも、画像形成装置から出射された光が入射される光学装置の領域、具体的には、第１偏向手段１３０には外光が入射しないので、不所望の迷光等が発生し、表示装置における画像表示品質の低下を招くことが無い。
【実施例２】
【０１２０】
実施例２は、実施例１の変形である。概念図を図５に示すように、実施例２の表示装置においては、実施例１と異なり、遮光部材７２０は、画像形成装置１１１Ａ，１１１Ｂが配された側とは反対側の光学装置１２０の部分に配されている。具体的には、不透明なインクを、光学装置１２０（具体的には、保護部材１２６の内面）に印刷することで、遮光部材７２０を形成することができる。以上の点を除き、実施例２の表示装置は、実施例１の表示装置と同様の構成、構造を有するので、詳細な説明は省略する。尚、実施例２の遮光部材７２０と実施例１の遮光部材７１０とを組み合わせることもできる。尚、遮光部材７２０を、保護部材１２６の外面に形成してもよい。
【実施例３】
【０１２１】
実施例３も、実施例１の変形である。概念図を図６あるいは図７に示すように、実施例３の表示装置においては、実施例１、実施例２と異なり、遮光部材７３０は、調光装置７００に配されている。具体的には、不透明なインクを、調光装置７００に印刷することで、遮光部材７３０を形成することができる。尚、図６に示す例では、遮光部材７３０は、調光装置７００の第１基板７０１の外面に形成されており、図７に示す例では、遮光部材７３０は、調光装置７００の第１基板７０１の内面に形成されている。以上の点を除き、実施例３の表示装置は、実施例１の表示装置と同様の構成、構造を有するので、詳細な説明は省略する。尚、実施例３の遮光部材７３０と実施例１の遮光部材７１０とを組み合わせることもできるし、実施例３の遮光部材７３０と実施例２の遮光部材７２０とを組み合わせることもできるし、実施例３の遮光部材７３０と実施例１の遮光部材７１０と実施例２の遮光部材７２０とを組み合わせることもできる。
【実施例４】
【０１２２】
実施例４は、実施例１〜実施例３の変形である。実施例１〜実施例３にあっては、光透過制御材料層７０５を液晶材料層から構成した。一方、概念図を図８に示すように、実施例４の表示装置にあっては、調光装置７００’は、光透過制御材料層７０５’が無機エレクトロルミネッセンス材料層から成る光シャッタから構成されている。ここで、無機エレクトロルミネッセンス材料層を構成する材料として、酸化タングステン（ＷＯ3）を用いた。また、調光装置７００’を構成する第１基板７０１’及び第２基板７０３’を、ソーダライムガラス、白板ガラス等の透明なガラス基板から構成し、第２基板７０３’を第１基板７０１’よりも薄くした。具体的には、第２基板７０３’の厚さを０．２ｍｍ、第１基板７０１’の厚さを０．４ｍｍとした。以上の点を除き、実施例４の表示装置は、実施例１〜実施例３の表示装置と同様の構成、構造を有するので、詳細な説明は省略する。尚、調光装置７００’の第１基板７０１’と保護部材１２６とは、実施例１と同様に接着剤７０７によって接着されている。
【実施例５】
【０１２３】
実施例５は、本開示の第２の態様に係る表示装置に関し、また、実施例４の変形に関する。概念図を図９に示すように、実施例５の表示装置において、調光装置７００”は、
光学装置１２０と対向する第１基板７０１”、及び、第１基板７０１”と対向する第２基板７０３”、
第１基板７０１”及び第２基板７０３”のそれぞれに設けられた電極７０２”，７０４”、並びに、
第１基板７０１”と第２基板７０３”との間に封止された光透過制御材料層７０５”、
から成る。そして、第１基板７０１”は、光学装置１２０の構成部材（具体的には、保護部材１２６）を兼ねている。即ち、第１基板７０１”と保護部材１２６とは共通の部材であり、共用されている。【０１２４】
このように、実施例５にあっては、調光装置７００”を構成する第１基板７０１”が光学装置１２０の構成部材（保護部材１２６）を兼ねているので、表示装置全体の重量の減少を図ることができ、表示装置の使用者に不快感を感じさせる虞が無い。【０１２５】
以上の点を除き、実施例５の表示装置は、実施例４の表示装置と同様の構成、構造を有するので、詳細な説明は省略する。また、実施例５の表示装置における遮光部材は、実施例１〜実施例３の表示装置における調光装置と同様の構成、構造とすることができるので、詳細な説明は省略する。
【実施例６】
【０１２６】
実施例６は、実施例１〜実施例５の変形である。実施例６の表示装置（頭部装着型ディスプレイ）における画像表示装置２００の概念図を図１０に示すように、実施例６にあっては、画像形成装置２１１は、第２の構成の画像形成装置から構成されている。即ち、光源２５１、及び、光源２５１から出射された平行光を走査する走査手段２５３を備えている。より具体的には、画像形成装置２１１は、
（イ）光源２５１、
（ロ）光源２５１から出射された光を平行光とするコリメート光学系２５２、
（ハ）コリメート光学系２５２から出射された平行光を走査する走査手段２５３、及び、
（ニ）走査手段２５３によって走査された平行光をリレーし、出射するリレー光学系２５４、
から構成されている。尚、画像形成装置２１１全体が筐体２１３（図１０では、一点鎖線で示す）内に納められており、係る筐体２１３には開口部（図示せず）が設けられており、開口部を介してリレー光学系２５４から光が出射される。そして、各筐体２１３が、取付け部材１９によって、着脱自在に、テンプル部１３に取り付けられている。【０１２７】
光源２５１は、白色を発光する発光素子から構成されている。そして、光源２５１から出射された光は、全体として正の光学的パワーを持つコリメート光学系２５２に入射し、平行光として出射される。そして、この平行光は、全反射ミラー２５６で反射され、マイクロミラーを二次元方向に回転自在とし、入射した平行光を２次元的に走査することができるＭＥＭＳから成る走査手段２５３によって水平走査及び垂直走査が行われ、一種の２次元画像化され、仮想の画素（画素数は、例えば、実施例１と同じとすることができる）が生成される。そして、仮想の画素からの光は、周知のリレー光学系から構成されたリレー光学系（平行光出射光学系）２５４を通過し、平行光とされた光束が光学装置１２０に入射する。【０１２８】
リレー光学系２５４にて平行光とされた光束が入射され、導光され、出射される光学装置１２０は、実施例１にて説明した光学装置と同じ構成、構造を有するので、詳細な説明は省略する。また、実施例６の表示装置も、上述したとおり、画像形成装置２１１が異なる点を除き、実質的に、実施例１〜実施例５の表示装置と同じ構成、構造を有するので、詳細な説明は省略する。
【実施例７】
【０１２９】
実施例７も実施例１〜実施例５の変形である。実施例７の表示装置（頭部装着型ディスプレイ）における画像表示装置３００の概念図を図１１に示す。また、反射型体積ホログラム回折格子の一部を拡大して示す模式的な断面図を図１２に示す。実施例７にあっては、画像形成装置１１１は、実施例１と同様に、第１の構成の画像形成装置から構成されている。また、光学装置３２０は、第１偏向手段及び第２偏向手段の構成、構造が異なる点を除き、基本的な構成、構造は、実施例１の光学装置１２０と同じである。【０１３０】
実施例７にあっては、第１偏向手段及び第２偏向手段は、導光板３２１の表面（具体的には、導光板３２１の第２面３２３）に配設されている。そして、第１偏向手段は、導光板３２１に入射された光を回折し、第２偏向手段は、導光板３２１の内部を全反射により伝播した光を、複数回に亙り、回折する。ここで、第１偏向手段及び第２偏向手段は、回折格子素子、具体的には反射型回折格子素子、より具体的には反射型体積ホログラム回折格子から成る。以下の説明において、反射型体積ホログラム回折格子から成る第１偏向手段を、便宜上、『第１回折格子部材３３０』と呼び、反射型体積ホログラム回折格子から成る第２偏向手段を、便宜上、『第２回折格子部材３４０』と呼ぶ。【０１３１】
そして、実施例７あるいは後述する実施例８にあっては、第１回折格子部材３３０及び第２回折格子部材３４０は、１層の回折格子層が積層されて成る構成としている。尚、フォトポリマー材料から成る各回折格子層には、１種類の波長帯域（あるいは、波長）に対応する干渉縞が形成されており、従来の方法で作製されている。回折格子層（回折光学素子）に形成された干渉縞のピッチは一定であり、干渉縞は直線状であり、Ｚ軸に平行である。尚、第１回折格子部材３３０及び第２回折格子部材３４０の軸線はＸ軸と平行であり、法線はＹ軸と平行である。【０１３２】
図１２に反射型体積ホログラム回折格子の拡大した模式的な一部断面図を示す。反射型体積ホログラム回折格子には、傾斜角φを有する干渉縞が形成されている。ここで、傾斜角φとは、反射型体積ホログラム回折格子の表面と干渉縞の成す角度を指す。干渉縞は、反射型体積ホログラム回折格子の内部から表面に亙り、形成されている。干渉縞は、ブラッグ条件を満たしている。ここで、ブラッグ条件とは、以下の式（Ａ）を満足する条件を指す。式（Ａ）中、ｍは正の整数、λは波長、ｄは格子面のピッチ（干渉縞を含む仮想平面の法線方向の間隔）、Θは干渉縞へ入射する角度の余角を意味する。また、入射角ψにて回折格子部材に光が侵入した場合の、Θ、傾斜角φ、入射角ψの関係は、式（Ｂ）のとおりである。【０１３３】
ｍ・λ＝２・ｄ・ｓｉｎ（Θ）    （Ａ）
Θ＝９０°−（φ＋ψ）          （Ｂ）【０１３４】
第１回折格子部材３３０は、上述したとおり、導光板３２１の第２面３２３に配設（接着）されており、第１面３２２から導光板３２１に入射されたこの平行光が導光板３２１の内部で全反射されるように、導光板３２１に入射されたこの平行光を回折反射する。更には、第２回折格子部材３４０は、上述したとおり、導光板３２１の第２面３２３に配設（接着）されており、導光板３２１の内部を全反射により伝播したこの平行光を、複数回、回折反射し、導光板３２１から平行光のまま第１面３２２から出射する。【０１３５】
そして、導光板３２１にあっても、平行光が内部を全反射により伝播した後、出射される。このとき、導光板３２１が薄く導光板３２１の内部を進行する光路が長いため、各画角によって第２回折格子部材３４０に至るまでの全反射回数は異なっている。より詳細に述べれば、導光板３２１に入射する平行光のうち、第２回折格子部材３４０に近づく方向の角度をもって入射する平行光の反射回数は、第２回折格子部材３４０から離れる方向の角度をもって導光板３２１に入射する平行光の反射回数よりも少ない。これは、第１回折格子部材３３０において回折反射される平行光であって、第２回折格子部材３４０に近づく方向の角度をもって導光板３２１に入射する平行光の方が、これと逆方向の角度をもって導光板３２１に入射する平行光よりも、導光板３２１の内部を伝播していく光が導光板３２１の内面と衝突するときの導光板３２１の法線と成す角度が小さくなるからである。また、第２回折格子部材３４０の内部に形成された干渉縞の形状と、第１回折格子部材３３０の内部に形成された干渉縞の形状とは、導光板３２１の軸線に垂直な仮想面に対して対称な関係にある。第１回折格子部材３３０及び第２回折格子部材３４０の導光板３２１とは対向していない面は、保護部材（保護板）３２６で覆われており、第１回折格子部材３３０及び第２回折格子部材３４０に損傷が生じることを防止している。尚、導光板３２１と保護部材３２６とは、外周部において、接着剤３２７によって接着されている。また、第１面３２２に透明な保護フィルムを貼り合わせ、導光板３２１を保護してもよい。【０１３６】
後述する実施例８における導光板３２１も、基本的には、以上に説明した導光板３２１の構成、構造と同じ構成、構造を有する。【０１３７】
実施例７の表示装置は、上述したとおり、光学装置３２０が異なる点を除き、実質的に、実施例１〜実施例５の表示装置と同じ構成、構造を有するので、詳細な説明は省略する。
【実施例８】
【０１３８】
実施例８は、実施例７の変形である。実施例８の表示装置（頭部装着型ディスプレイ）における画像表示装置の概念図を図１３に示す。実施例８の画像表示装置４００における光源２５１、コリメート光学系２５２、走査手段２５３、平行光出射光学系（リレー光学系２５４）等は、実施例６と同じ構成、構造（第２の構成の画像形成装置）を有する。また、実施例８における光学装置３２０は、実施例７における光学装置３２０と同じ構成、構造を有する。実施例８の表示装置は、以上の相違点を除き、実質的に、実施例１〜実施例５の表示装置と同じ構成、構造を有するので、詳細な説明は省略する。
【実施例９】
【０１３９】
実施例９も、実施例１〜実施例８における画像表示装置の変形である。実施例９の表示装置を正面から眺めた模式図を図１４に示し、上方から眺めた模式図を図１５に示す。尚、図１４においては、遮光部材の図示を省略した。【０１４０】
実施例９にあっては、画像表示装置５００を構成する光学装置５２０は、画像形成装置１１１Ａ，１１１Ｂから出射された光が入射され、観察者の瞳２１に向かって出射される半透過ミラーから構成されている。尚、実施例９にあっては、画像形成装置１１１Ａ，１１１Ｂから出射された光は、ガラス板やプラスチック板等の透明な部材５２１の内部を伝播して光学装置５２０（半透過ミラー）に入射する構造としているが、空気中を伝播して光学装置５２０に入射する構造としてもよい。また、画像形成装置は、実施例６において説明した画像形成装置２１１とすることもできる。【０１４１】
各画像形成装置１１１Ａ，１１１Ｂは、フロント部１１に、例えば、ビスを用いて取り付けられている。また、部材５２１が各画像形成装置１１１Ａ，１１１Ｂに取り付けられ、光学装置５２０（半透過ミラー）が部材５２１に取り付けられ、調光装置７００が光学装置５２０（半透過ミラー）に取り付けられている。また、遮光部材はフレームに取り付けられている。実施例９の表示装置は、以上の相違点を除き、実質的に、実施例１〜実施例８の表示装置と同じ構成、構造を有するので、詳細な説明は省略する。
【実施例１０】
【０１４２】
実施例１０も、実施例１〜実施例５の変形である。実施例１０の表示装置を上方から眺めた模式図を図１６Ａに示す。また、照度センサを制御する回路の模式図を図１６Ｂに示す。【０１４３】
実施例１０の表示装置は、表示装置の置かれた環境の照度を測定する照度センサ（環境照度測定センサ）８０１を更に備えており、照度センサ（環境照度測定センサ）８０１の測定結果に基づき、調光装置７００の光透過率を制御する。併せて、あるいは、独立して、照度センサ（環境照度測定センサ）８０１の測定結果に基づき、画像形成装置１１１，２１１によって形成される画像の輝度を制御する。周知の構成、構造を有する環境照度測定センサ８０１は、例えば、遮光部材７１０の外面、あるいは又、遮光部材７１０を設けずに遮光部材７２０等を設ける場合には、光学装置１２０，３２０の外側端部や、調光装置の外側端部に配置すればよい。環境照度測定センサ８０１は、図示しないコネクタ及び配線を介して制御装置１８に接続されている。制御装置１８には、環境照度測定センサ８０１を制御する回路が含まれる。この環境照度測定センサ８０１を制御する回路は、環境照度測定センサ８０１からの測定値を受け取り、照度を求める照度演算回路、照度演算回路によって求められた照度の値を標準値の比較する比較演算回路、比較演算回路によって求められた値に基づき、調光装置７００及び／又は画像形成装置１１１，２１１を制御する環境照度測定センサ制御回路から構成されているが、これらの回路は周知の回路から構成することができる。調光装置７００の制御にあっては、調光装置７００の光透過率の制御を行い、一方、画像形成装置１１１，２１１の制御にあっては、画像形成装置１１１，２１１によって形成される画像の輝度の制御を行う。尚、調光装置７００における光透過率の制御と画像形成装置１１１，２１１における画像の輝度の制御は、それぞれ、独立して行ってもよいし、相関を付けて行ってもよい。【０１４４】
例えば、照度センサ（環境照度測定センサ）８０１の測定結果が所定値（第１の照度測定値）以上になったとき、調光装置７００の光透過率を所定の値（第１の光透過率）以下とする。一方、照度センサ（環境照度測定センサ）８０１の測定結果が所定値（第２の照度測定値）以下になったとき、調光装置７００の光透過率を所定の値（第２の光透過率）以上とする。ここで、第１の照度測定値として１０ルクスを挙げることができるし、第１の光透過率として１％乃至３０％のいずれかの値を挙げることができるし、第２の照度測定値として０．０１ルクスを挙げることができるし、第２の光透過率として５１％乃至９９％のいずれかの値を挙げることができる。
【０１４５】
尚、実施例１０における照度センサ（環境照度測定センサ）８０１を、実施例２〜実施例９において説明した表示装置に適用することができる。また、表示装置が撮像装置を備えている場合、撮像装置に備えられた露出測定用の受光素子から照度センサ（環境照度測定センサ）８０１を構成することもできる。【０１４６】
実施例１０あるいは次に述べる実施例１１の表示装置にあっては、照度センサ（環境照度測定センサ）の測定結果に基づき、調光装置の光透過率を制御し、また、照度センサ（環境照度測定センサ）の測定結果に基づき、画像形成装置によって形成される画像の輝度を制御し、また、第２の照度センサ（透過光照度測定センサ）の測定結果に基づき、調光装置の光透過率を制御し、また、第２の照度センサ（透過光照度測定センサ）の測定結果に基づき、画像形成装置によって形成される画像の輝度を制御するので、観察者が観察する画像に高いコントラストを与えることができるだけでなく、表示装置の置かれた周囲の環境の照度に依存して画像の観察状態の最適化を図ることができる。
【実施例１１】
【０１４７】
実施例１１も、実施例１〜実施例５の変形である。実施例１１の表示装置を上方から眺めた模式図を図１７Ａに示す。また、照度センサを制御する回路の模式図を図１７Ｂに示す。【０１４８】
実施例１１の表示装置は、外部環境から調光装置を透過した光に基づく照度を測定する、即ち、環境光が調光装置を透過して所望の照度まで調整されて入射しているかを測定する第２の照度センサ（透過光照度測定センサ）８０２を更に備えており、第２の照度センサ（透過光照度測定センサ）８０２の測定結果に基づき、調光装置７００の光透過率を制御する。併せて、あるいは、独立して、また、第２の照度センサ（透過光照度測定センサ）８０２の測定結果に基づき、画像形成装置１１１，２１１によって形成される画像の輝度を制御する。周知の構成、構造を有する透過光照度測定センサ８０２は、光学装置１２０，３２０，５２０よりも観察者側に配置されている。具体的には、透過光照度測定センサ８０２は、例えば、導光板１２１，３２１の観察者側の面に配置すればよい。透過光照度測定センサ８０２は、図示しないコネクタ及び配線を介して制御装置１８に接続されている。制御装置１８には、透過光照度測定センサ８０２を制御する回路が含まれる。この透過光照度測定センサ８０２を制御する回路は、透過光照度測定センサ８０２からの測定値を受け取り、照度を求める照度演算回路、照度演算回路によって求められた照度の値を標準値の比較する比較演算回路、比較演算回路によって求められた値に基づき、調光装置７００及び／又は画像形成装置１１１，２１１を制御する透過光照度測定センサ制御回路から構成されているが、これらの回路は周知の回路から構成することができる。調光装置７００の制御にあっては、調光装置７００の光透過率の制御を行い、一方、画像形成装置１１１，２１１の制御にあっては、画像形成装置１１１，２１１によって形成される画像の輝度の制御を行う。尚、調光装置７００における光透過率の制御と画像形成装置１１１，２１１における画像の輝度の制御は、それぞれ、独立して行ってもよいし、相関を付けて行ってもよい。更に、透過光照度測定センサ８０２の測定結果が環境照度測定センサ８０１の照度から鑑みて所望の照度まで制御できていない場合、即ち、透過光照度測定センサ８０２の測定結果が所望の照度になっていない場合、若しくは、更に一層の微妙な照度調整が望まれる場合には、透過光照度測定センサ８０２の値をモニターしながら調光装置の光透過率を調整すればよい。【０１４９】
尚、実施例１１における第２の照度センサ（透過光照度測定センサ）８０２を、実施例２〜実施例９において説明した表示装置に適用することができる。あるいは又、実施例１１における第２の照度センサ（透過光照度測定センサ）８０２と実施例１０における環境照度測定センサ８０１とを組み合わせてもよく、この場合、種々の試験を行い、調光装置７００における光透過率の制御と画像形成装置１１１，２１１における画像の輝度の制御を、それぞれ、独立して行ってもよいし、相関を付けて行ってもよい。
【実施例１２】
【０１５０】
以下の実施例１２〜実施例２５においては、実施例１〜実施例１１の表示装置の変形例を説明する。尚、実施例１２〜実施例２５に関する図面において、調光装置の図示は省略した。【０１５１】
実施例１２は、実施例１〜実施例１１の表示装置の変形であり、具体的には、本開示における第１Ａの表示装置〜第１Ｂの表示装置、より具体的には、字幕を表示する表示装置（字幕表示装置）に関する。実施例１２の表示装置において、例えば画像表示装置を構成する導光板における光の伝播を模式的に図１８に示す。更には、実施例１２の表示装置を観察者の頭部に装着した状態を上方から眺めた図（但し、画像表示装置のみを示し、フレーム等の図示は省略）を図１９に示し、実施例１２の表示装置を使用している状態の概念図を図２０及び図２１に示す。また、実施例１２の表示装置を構成する制御装置１８の概念図を図２２に示し、実施例１２における画像信号の一例を図２３Ａに示す。【０１５２】
尚、実施例１２あるいは後述する実施例１３〜実施例１９において、画像形成装置１１１，２１１の中心から出射され、光学系１１２，２５４の画像形成装置側節点を通過した光線（中心光線）の内、光学装置１２０，３２０，５２０に垂直に入射する中心入射光線ＣＬが光学装置１２０，３２０，５２０に入射する点を光学装置中心点Ｏとし、光学装置中心点Ｏを通過し、光学装置１２０，３２０，５２０の軸線方向と平行な軸線をＸ軸、光学装置中心点Ｏを通過し、光学装置１２０，３２０，５２０の法線と一致する軸線をＹ軸とする。尚、第１偏向手段１３０，３３０の中心点が、光学装置中心点Ｏである。【０１５３】
フロント部１１の中央部分には、ＣＣＤあるいはＣＭＯＳセンサーから成る固体撮像素子とレンズ（これらは図示せず）とから構成された撮像装置（図示せず）が、適切な取付部材（図示せず）によって取り付けられている。撮像装置からの信号は、撮像装置から延びる配線（図示せず）を介して、画像形成装置１１１Ａ，２１１に送出される。【０１５４】
配線（信号線や電源線等）１５は、上述したとおり、制御装置（制御回路）１８に接続されている。制御装置１８には、画像信号（例えば、文字データ）が無線によって送られてくる。そして、制御装置１８において、画像信号（文字データ）には画像表示（例えば、字幕表示）のための処理がなされる。制御装置１８は周知の回路から構成することができる。【０１５５】
図２２に示すように、制御装置１８は、後述する文字データ無線送信装置３２を介して無線によって送られてくる画像信号（コマンドを含む）を受信するコマンド受信回路１８Ａ、コマンド受信回路１８Ａからの画像信号を受け取り、各種の解析及び処理を行う信号処理回路１８Ｂ、信号処理回路１８Ｂからの各種データを受け取り、各種の信号を送出するタイミング調整回路１８Ｃ、タイミング調整回路１８Ｃからの各種の信号を受け取り、表示位置から画像を再生するようタイミングを調整し、配線１５を介して画像信号を各画像形成装置１１１（１１１Ａ，１１１Ｂ），２１１へと送出する送信回路１８Ｄから構成されている。制御装置１８は、更に、受信した画像信号を表示するためのタイミング信号を発生するタイミング発生回路１８Ｅを備えており、タイミング発生回路１８Ｅからの各種タイミングクロック、タイミング信号に基づいて、タイミング調整回路１８Ｃにおいてタイミングの調整が図られる。【０１５６】
図２３Ａに示すように、画像信号は、例えば、コマンド開始フラグである「ＳＹＮＣ」、コマンド種別特定ＩＤである「ＭＳＧ＿ＩＤ」、コマンド全体の長さを示すデータ「ＬＥＮＧ」、画像の水平方向表示開始位置を示すデータ「ＰＯＳ＿Ｘ」、画像の垂直方向表示開始位置を示すデータ「ＰＯＳ＿Ｙ」、表示すべき画像のデータ「ＤＡＴＡ」、及び、コマンドエラーチェック「ＦＣＳ」から構成されている。【０１５７】
実施例１２の表示装置における画像（例えば、字幕）の表示について、以下、説明する。【０１５８】
即ち、実施例１２の表示装置にあっては、少なくとも一方の画像表示装置（実施例１２においては、右眼用及び左眼用の２つの画像表示装置１００，２００，３００，４００，５００）を構成する画像形成装置１１１，２１１への画像信号（文字データ、入力画像信号、入力画像データ）を制御することで、観察者の観察位置に依存して輻輳角を調整し、あるいは又、この少なくとも一方の画像表示装置を構成する光学装置において表示される画像の位置を観察者の観察位置に依存して調整する。尚、実施例１２においては、輻輳角の調整と、観察者の観察位置に依存した画像の位置の調整の両方を行うが、いずれか一方のみを行ってもよい。【０１５９】
具体的には、無線で（場合によっては有線で）、画像信号を制御装置１８に送る。そして、制御装置１８において、画像信号に対して画像表示のための処理が行われ、データ「ＤＡＴＡ」に基づき、画像形成装置１１１，２１１において画像（字幕）を生成する。この画像は、光学系１１２，２５４、光学装置１２０，３２０，５２０を介して、最終的に、表示装置を装着した観察者（観客）の両眼に到達する。【０１６０】
そして、左眼用及び右眼用の画像表示装置１００，２００，３００，４００，５００によって表示される画像が、所望の位置（例えば、舞台の所望の位置やスクリーン）と一致するように（重なり合うように）、制御装置１８を介して、具体的には、制御装置１８に配置されたスイッチ（図示せず）を用いて、光学装置１２０，３２０，５２０に表示された画像を左右、上下に移動させ、また、回転移動させる。即ち、例えば、図１９における点「Ａ」が所望の位置となるように、光学装置１２０，３２０，５２０に表示された画像を左右、上下に移動させ、また、回転移動させる。このように、制御装置１８に配置されたスイッチの操作によって、画像信号の制御が行われる。即ち、制御装置１８内で表示位置補正信号が生成され、画像信号に表示位置補正信号が加えられる。【０１６１】
左眼用及び右眼用の画像表示装置１００，２００，３００，４００，５００によって表示される画像が、所望の位置において、左右にずれている状態を模式的に図２４Ａに示し、上下にずれている状態を模式的に図２４Ｂに示し、回転した状態でずれている状態を模式的に図２４Ｃに示す。ここで、図２４Ａ、図２４Ｂ及び図２４Ｃにおける右手側の図は、右眼用の画像表示装置１００，２００，３００，４００，５００によって表示される画像を示し、図２４Ａ、図２４Ｂ及び図２４Ｃにおける左手側の図は、左眼用の画像表示装置１００，２００，３００，４００，５００によって表示される画像を示す。また、図２４Ａ、図２４Ｂ及び図２４Ｃにおける右手側の図における点線は、左眼用の画像表示装置１００，２００，３００，４００，５００によって表示される画像を重ね合わせて示すものである。【０１６２】
ここで、画像（文字）の水平方向の移動のためには、表示位置補正信号として、画像信号に基づく画像の水平方向の位置を＋ｉ画素あるいは−ｉ画素分、変える信号を制御装置１８において生成すればよい。あるいは又、水平同期信号のタイミングを＋ｉ画素あるいは−ｉ画素分、変える信号を制御装置１８において生成すればよい。また、画像（文字）の垂直方向の移動のためには、表示位置補正信号として、画像信号に基づく画像の垂直方向の位置を＋ｊ画素あるいは−ｊ画素分、変える信号を制御装置１８において生成すればよく、あるいは又、垂直同期信号のタイミングを＋ｊ画素あるいは−ｊ画素分、変える信号を制御装置１８において生成すればよい。即ち、画像のメモリ読み出し位置を、タイミング的に、遅らす、又は、早めることにより実現することができ、あるいは、垂直同期信号と水平同期信号のタイミングをずらすことによって実現することができる。更には、画像（文字）の回転移動のためには、周知の方法に基づく画像の回転のための信号を表示位置補正信号として、制御装置１８において生成すればよい。【０１６３】
そして、左眼用及び右眼用の画像表示装置１００，２００，３００，４００，５００によって表示される画像が所望の位置で一致したときの（重なり合ったときの）表示位置補正信号を制御装置１８に記憶させる。このような操作は、例えば、制御装置１８に設けられたボタン（図示せず）を用いることで行うことができる。そして、このような操作は、例えば、観察者が座席に着席した後、一度、行えばよい。また、このような操作には、例えば、図２４Ａ、図２４Ｂ及び図２４Ｃに示したような水平の方向に延びる線、垂直方向に延びる線、斜め方向に延びる線の組合せといった、一種のテストパターンを用いればよい。こうして、少なくとも一方の画像表示装置１００，２００，３００，４００，５００を構成する光学装置１２０，３２０，５２０において表示される画像の位置を制御し、以て、２つの画像表示装置１００，２００，３００，４００，５００における２つの画像の相互の位置を調整することができる。即ち、輻輳角の調整と、観察者の観察位置に依存した画像の位置の調整の両方を行うことができる。【０１６４】
表示位置補正信号は、上述したとおり、制御装置（制御回路、制御手段）１８に記憶される。制御装置１８には、例えば、周知の構成を有する文字データ再生装置３１や画像データ及び文字データ再生装置３１’によって再生された画像信号（文字データ）が、文字データ無線送信装置３２を介して無線によって送られてくる。画像信号の送出の開始は、例えば、映画等の進行状況に応じて、あるいは又、芝居等の進行状況に応じて、所定のスケジュール、時間配分に基づき、作業者の操作によって、あるいは、コンピュータ等の制御下、行えばよい。そして、制御装置１８において、画像信号に対して画像表示のための処理がなされる。即ち、制御装置１８において画像信号（具体的には、データ「ＰＯＳ＿Ｘ」，「ＰＯＳ＿Ｙ」）に表示位置補正信号が加えられる。こうして、表示装置から観察対象物までの距離に基づき、少なくとも一方の画像表示装置（実施例１２においては、右眼用及び左眼用の２つの画像表示装置１００，２００，３００，４００，５００）を構成する画像形成装置１１１，２１１への画像信号を制御することで、即ち、右眼用及び左眼用の２つの画像表示装置１００，２００，３００，４００，５００によって得られる２つの画像の水平方向の距離（間隔）を調整することで、表示装置から観察対象物までの距離に対応した輻輳角の調整を行うことができる。具体的には、例えば、表示装置から観察対象物までの距離が遠くなるほど、輻輳角を小さくすればよい。また、右眼用及び左眼用の２つの画像表示装置１００，２００，３００，４００，５００によって得られる２つの画像を平行移動させることで、画像表示装置１００，２００，３００，４００，５００を構成する光学装置１２０，３２０，５２０において表示される画像の位置を観察者の観察位置に依存して調整することができる。具体的には、例えば、表示装置に対して観察対象物が垂直方向に或る角度を持った位置にある場合（例えば、映画館で前の席の方に座るとスクリーンを見上げる格好になる場合）、表示される画像（字幕）の位置を上方に移動させることで、観察者が外界の像（観察対象物）に画像を重畳して見るとき、注視する外界の像と画像の表示位置が大きく離れることが無くなり、画像を容易に視認することが可能となる。あるいは又、映画や舞台等では予め決められたシナリオに即して公演が進行する。従って、画像を重畳するときのスクリーンや舞台の像（観察対象物）を予測することが可能である。また、台詞を述べる登場人物等といった音声発生源に基づき、スクリーンや舞台における登場人物等の位置を予測することも可能である。それ故、このような予測に基づき、画像表示装置１００，２００，３００，４００，５００を構成する光学装置１２０，３２０，５２０において表示される画像の位置を観察者の観察位置に依存して調整することで、光学装置１２０，３２０，５２０において、視認性の良い位置に画像（字幕）を表示することが可能となる。【０１６５】
あるいは又、画像形成装置１１１，２１１への画像信号に加え、観察者（表示装置）から観察対象物までの観察位置情報（距離情報）が、外部から表示装置に送出される構成としてもよい。このような信号のフォーマットの概念図の一例を図２５Ａに示す。そして、このような構成にあっては、この観察位置情報（距離情報）に基づき、画像信号に基づく画像の水平方向の位置を＋ｋ画素分あるいは−ｋ画素分、変える信号（表示位置補正信号、輻輳角制御信号）を制御装置１８において生成すればよい。画像の水平方向の位置を１画素、変化させると、輻輳角がどの程度、変化し、あるいは又、虚像距離がどの程度、変化するかを、予め、調べておき、制御装置１８にこれらの関係を記憶しておけばよい。尚、この信号に、画像の水平方向の位置を＋ｉ画素あるいは−ｉ画素分、変える表示位置補正信号、画像の垂直方向の位置を＋ｊ画素あるいは−ｊ画素分、変える表示位置補正信号、更には、画像の回転のための表示位置補正信号が加重されて、画像形成装置１１１，２１１へ送出される構成とすることもできる。このように、観察位置情報（あるいは、左右の画像シフト量）によって、右眼用及び左眼用の２つの画像表示装置１００，２００，３００，４００，５００によって得られる２つの画像を移動させることで、虚像を所望の位置に配することができる。即ち、画像表示装置１００，２００，３００，４００，５００を構成する光学装置１２０，３２０，５２０において表示される２つの画像の水平方向の距離（間隔）を調整することで、表示装置から観察対象物までの距離に対応した輻輳角の調整を行うことができる。また、右眼用及び左眼用の２つの画像表示装置１００，２００，３００，４００，５００によって得られる２つの画像を平行移動させることで、虚像を所望の位置に配することができる。即ち、画像表示装置１００，２００，３００，４００，５００を構成する光学装置１２０，３２０，５２０において表示される画像の位置を観察者の観察位置に依存して調整することができる。【０１６６】
図２５Ｂに基づき、表示装置から観察対象物までの距離に対応した輻輳角の調整の説明を行う。ここで、画像表示装置によって表示される画像信号に基づく画像（文字）の虚像距離を『ａ』とし、このときの画像に対する輻輳角（Ｘ軸方向）を『α』とする。また、『γ』を、虚像距離ａから『ｃ』だけ遠ざかった場合の画像における輻輳角とし、『β』を、虚像距離ａから『ｂ』だけ近づいた場合の画像における輻輳角とする。更には、左右の瞳間距離を『Ｄ』とする。ここで、仮に、
Ｄ＝６１．５ｍｍ
ａ＝４０００ｍｍ
とすると、
α＝５３分（５３’）
となる。【０１６７】
画像形成装置における１画素を、３分（３’）と定義する。ここで、画像表示位置を、所定の位置から水平方向に１画素分、内側にずらしたとすると、
β＝５６分（５６’）
となり、
ｂ＝２２５ｍｍ
となる。一方、画像表示位置を、所定の位置から水平方向に１画素分、外側にずらしたとすると、
γ＝５０分（５０’）
となり、
ｃ＝２２８ｍｍ
となる。また、
ａ＝８０００ｍｍ
とした場合は、１画素分、画像をシフトさせると、虚像距離を約１ｍ、シフトさせることができる。【０１６８】
このように、画像表示位置を所定の位置から水平方向に所望の画素分、ずらすことで、輻輳角の調整を行うことができる。云い換えれば、右眼用及び左眼用の２つの画像表示装置１００，２００，３００，４００，５００を構成する画像形成装置１１１，２１１への画像信号を、表示位置補正信号によって制御することで、表示装置から観察対象物までの距離に対応した輻輳角の正確な調整を行うことができ、その結果、観察対象物と観察者（観客）との間の距離と、画像表示装置によって表示される画像（字幕）の虚像距離とを等しくすることができ、あるいは又、出来るだけ等しくすることができ、観察対象物を眺める観察者（観客）が、左程、焦点を変更、変化させること無く、自然に画像表示装置によって表示される画像を眺めることができる。【０１６９】
尚、虚像距離をａ、輻輳角αは、以下の関係が成立することが望ましい。
ａ×ｔａｎ（α／２）＝Ｄ／２
ここで、Ｄ（単位：ｍｍ）は、例えば、
５６≦Ｄ≦７４
を満足する。αの値が０である場合、「ａ」の値は無限大である。但し、観察者の移動速度に応じて虚像距離ａと輻輳角αとが独立して算出される訳ではなく、どちらか一方の対応関係のみが規定されることで、他方は自動的に決定される。【０１７０】
表示装置から観察対象物までの距離を測定する位置測定手段（距離測定装置）を更に備えており、位置測定手段（距離測定装置）によって観察位置情報（距離情報）を得る構成としてもよい。位置測定手段（距離測定装置）として、例えば、撮像装置を、オートフォーカス機能付き撮像装置（パッシブ方式の距離測定装置を有する撮像装置）とすればよい。あるいは又、制御装置１８にボタンやスイッチを設け、手動にて表示装置から観察対象物までの距離を設定してもよい。これらの構成によっても、制御装置１８内で適切な表示位置補正信号が生成され、画像信号に表示位置補正信号が加えられる。あるいは又、映画館や劇場等において観察者（観客）が着席する座席の位置に応じて輻輳角や、光学装置において表示される画像（字幕）の位置、虚像位置、虚像距離が予め設定された表示装置を、観察者（観客）に貸し出してもよい。このような構成にあっては、予め、適切な表示位置補正信号が決定され、制御装置１８内に記憶されており、画像信号に表示位置補正信号が加えられる。【０１７１】
表示装置を例えば劇場にて使用する場合、芝居等におけるその内容や進行状況、背景等を説明するための説明文を画像として表示装置に表示すればよいが、虚像距離を所望の距離とすることが要求される。即ち、観劇者の座る位置によって、観察対象物と観察者（観客）との間の距離と、画像表示装置によって表示される画像（例えば文字）の虚像距離が変化する。従って、観劇者の位置に依存して、虚像距離の最適化を図る必要があるが、実施例１２の表示装置にあっては、上述したとおり、表示装置から観察対象物までの距離に対応した輻輳角の最適化が図られているので、観劇者の位置に依存して虚像距離が最適化されている。また、場面によって、虚像距離を変化させたい場合があるが、このような場合、観察者（表示装置）から観察対象物までの観察位置情報（距離情報）を外部から表示装置に送出することで、容易に対処することができる。【０１７２】
あるいは又、観察者（観客、使用者）が、虚像距離を所望の距離に設定したり、虚像位置を所望の位置に設定することも可能である。具体的には、制御装置１８にスイッチやボタンを配し、これを観察者が操作することにより、所望の距離あるいは位置に虚像を配置させることが可能である。例えば、背景が変化した場合、任意に虚像距離や虚像位置を変更することが可能である。このような操作は、例えば、画像信号に基づき自動的に行うことができるし、あるいは又、観察対象物の観察時、適宜、観察者が行えばよく、このような操作は、具体的には、制御装置１８において画像信号に表示位置補正信号、輻輳角制御信号を加える操作である。あるいは又、後述する移動装置４０を作動させる操作である。そして、これによって、観客が視線を余り動かさずに、例えば、画像（例えば、字幕等の文字）を確実に読むことが可能となるし、観客のそれぞれに適した画像（例えば、字幕等、より具体的には、例えば、異なる言語に基づく字幕等）を、容易に、同時に表示することができる。【０１７３】
画像信号はデジタル化されたデータであり、表示の前に、予め、作成されている。画像の表示位置は、観察対象物を眺めたときに邪魔にならない位置とすればよい。また、画像の表示は、具体的には、上述したとおり、例えば、所定のスケジュール、時間配分等に基づき、あるいは又、観察対象物の進行状況に応じて、文字データ再生装置３１や画像データ及び文字データ再生装置３１’に備えられたコンピュータ（図示せず）の制御下、文字データ無線送信装置３２によって制御装置１８に無線にて送出される。【０１７４】
実施例１２の表示装置において、画像信号として、文字データだけでなく、表示すべき文字に関する輝度データや色度データを含めれば、画像（例えば、字幕等）の文字が、文字の背景に依存して視認し難くなることを確実に防止することができる。尚、輝度データとして、画像表示装置を通して眺めた観察対象物（登場人物や背景等）を含む所定の領域（例えば、舞台全体の下方三分の一に相当する領域）の輝度に対応した輝度データを例示することができる。また、色度データとして、画像表示装置を通して眺めた観察対象物を含む所定の領域の色度に対応した色度データとすることができる。特に、半透過型（シースルー型）の光学装置越しに見るスクリーンや舞台等の明るさと、光学装置に表示される文字の明るさや色のバランスが一定の範囲にないと、字幕やスクリーン、舞台等を良好に観察することが困難となる場合があるが、表示すべき文字の明るさや色をスクリーンや舞台等に合わせることができ、文字を良好に視認することができる。即ち、観察者（観客）が眺めた観察対象物等の説明等のための文字が、文字の背景に依存して視認し難くなることを確実に防止することが可能である。そして、実施例１２の表示装置の使用においては、例えば、観劇にあっては、適切なタイミングで観察対象物に関連した文字（例えば、劇の状況や背景に関する説明文、登場人物の説明文、登場人物の会話等）を画像表示装置１００，２００，３００，４００，５００において表示すればよい。具体的には、例えば、芝居の進行状況に応じて、作業者の操作によって、あるいは、コンピュータ等の制御下、文字データを画像表示装置１００，２００，３００，４００，５００に送出し、文字を画像表示装置１００，２００，３００，４００，５００にて表示すればよい。【０１７５】
更には、虚像位置が固定されると、目が疲れると云われている。焦点が固定されると、眼球の動きが少なくなるためである。それ故、適度に虚像距離を変化させ、あるいは、虚像位置を動かすことにより、目の疲れを低減させる効果がある。即ち、２つの光学装置によって形成される虚像位置、あるいは、２つの光学装置によって形成される虚像の２つの光学装置からの距離（虚像距離）を、経時的に変化させてもよい。具体的には、例えば、５分に１回、画像の水平方向の位置を、例えば、画像形成装置における＋２画素分、例えば、１分間に亙り、変化させた後、元に戻せばよい。
【実施例１３】
【０１７６】
実施例１３は、本開示における第１Ｃの表示装置に関する。実施例１３の表示装置の基本的な構成、構造は、実施例１２の表示装置の基本的な構成、構造と同様とすることができるので、詳細な説明は省略する。【０１７７】
実施例１３の表示装置にあっては、画像形成装置へ画像信号が入力されてから所定の時間が経過した後、画像形成装置における画像形成を停止する。画像形成装置における画像形成を停止するためには、即ち、表示装置における省電力モード等への移行のためには、画像信号に、画像表示装置における画像表示時間を表す信号や、画像形成装置における画像形成の停止を指示する信号を加重する。【０１７８】
このような実施例１３における画像信号の一例を図２３Ｂに示すが、図２３Ａに示した実施例１２における画像信号に、画像表示装置における画像表示時間を表す信号である画像表示時間を示すデータ「ＴＩＭＥ」が加わっている。制御装置１８においては、データ「ＴＩＭＥ」の時間長さ（Ｔ秒）だけ、画像表示装置において画像（字幕）を表示し、その後、画像表示装置において画像（字幕）の表示を中止し、更には、コマンド受信回路１８Ａのみを動作させ、コマンド受信回路１８Ａからの指令に基づき、信号処理回路１８Ｂ、タイミング調整回路１８Ｃ、送信回路１８Ｄ及びタイミング発生回路１８Ｅの動作を停止させる省電力モード等へ移行する。そして、コマンド受信回路１８Ａが再び画像信号を受け取ったならば、コマンド受信回路１８Ａからの指令に基づき、信号処理回路１８Ｂ、タイミング調整回路１８Ｃ、送信回路１８Ｄ及びタイミング発生回路１８Ｅの動作を再開する。【０１７９】
このように、実施例１３の表示装置にあっては、画像形成装置へ画像信号が入力されてから所定の時間が経過した後、画像形成装置における画像形成を停止する。即ち、所定の時間経過後に表示装置における省電力モード等へ移行するので、表示装置における電力の浪費といった問題が生じることがない。
【実施例１４】
【０１８０】
実施例１４は、実施例１２〜実施例１３における画像表示装置の変形である。実施例１４の表示装置において、画像表示装置を構成する導光板等の配置状態を示す概念図を、図２６Ａ及び図２６Ｂに示し、実施例１４における表示装置を横から眺めた模式図を図２７に示す。尚、図２７において、調光装置や遮光部材の図示を省略した。【０１８１】
実施例１２〜実施例１３にあっては、図１８に示したように、画像表示装置１００，３００において、画像形成装置１１１，２１１の中心から出射され、光学系１１２，２５４の画像形成装置側節点を通過した中心入射光線ＣＬは、導光板１２１，３２１に垂直に衝突する設計となっている。即ち、中心入射光線ＣＬは、導光板１２１，３２１へ、入射角０度で入射する設計となっている。そして、この場合、表示される画像の中心は、導光板１２１，３２１の第１面１２２，３２２の垂線方向に一致する。【０１８２】
即ち、画像表示装置１００で代表させるこのような画像表示装置にあっては、図１８に示したように、コリメート光学系１１２の光軸上にある画像形成装置１１１，２１１の中心から出射する中心入射光線ＣＬは、コリメート光学系１１２にて略平行光に変換された後、導光板１２１の第１面（入射面）１２２に垂直に入射する。そして、第１偏向手段１３０により第１面１２２と第２面１２３との間で全反射されながら、伝播方向Ａに沿って進む。続いて、この中心入射光線ＣＬは、第２偏向手段１４０により反射、回折され、導光板１２１の第１面１２２から垂直に出射され、観察者（観客）の瞳２１に達する。【０１８３】
シースルー型の表示装置において、観察者（観客）が、水平の方向に位置する観察対象物を眺めたときに、光学装置１２０，３２０，５２０が邪魔にならないようにするためには、観察者の水平の方向の視線（観察者の水平方向視線）よりも、光学装置１２０，３２０，５２０を下側にずらして配置することが好ましい。このような場合、画像表示装置１００，３００、全体を、観察者の水平方向視線の下側に配置する。ところで、このような構成にあっては、図２９に示すように、画像表示装置１００、全体を、角度θ”だけ傾ける必要があり、観察者の頭部への装着のための眼鏡型のフレームの取付部（テンプル部）との関係から、画像表示装置１００を傾けることができる角度θ”が制限されたり、デザイン自由度が低くなる場合がある。それ故、観察者の水平方向視線の邪魔にならないように、高い自由度での配置を可能とし、しかも、高いデザイン自由度を有する画像表示装置とすることが、一層、望ましい。【０１８４】
実施例１４にあっては、中心入射光線ＣＬは、ＸＹ平面と０度以外の角度（θ）で交わる構成とした。更には、中心入射光線ＣＬはＹＺ平面に含まれる構成とした。更には、実施例１４あるいは後述する実施例１５において、光学系１１２，２５４の光軸は、ＹＺ平面に含まれ、且つ、ＸＹ平面と０度以外の角度、具体的には、角度θで交わる（図２６Ａ及び図２６Ｂ参照）。また、実施例１４あるいは後述する実施例１５において、ＸＹ平面が水平面と一致すると仮定したとき、中心入射光線ＣＬがＸＹ平面と交わる角度θは仰角である。即ち、ＸＹ平面の下側から中心入射光線ＣＬがＸＹ平面に向い、ＸＹ平面と衝突する。そして、ＸＹ平面は垂直面と０度以外の角度、具体的には、角度θで交わる。【０１８５】
実施例１４にあっては、θ＝５度とした。より具体的には、このような構成にあっては、中心入射光線ＣＬ（図２７では、点線で示す）は、水平面に含まれる。そして、光学装置１２０，３２０，５２０は、垂直面に対して角度θだけ傾いている。云い換えれば、光学装置１２０，３２０，５２０は、水平面に対して角度（９０−θ）度だけ傾いている。また、光学装置１２０，３２０，５２０から出射される中心入射光線ＣＬ’（図２７では、一点鎖線で示す）は、水平面に対して角度２θだけ傾いている。即ち、観察者が、水平の方向、無限遠方の対象物を眺めたとき、光学装置１２０，３２０，５２０から出射され、観察者の瞳に入射する中心入射光線ＣＬ’は俯角θ’（＝２θ）をなす（図２７参照）。中心入射光線ＣＬ’が光学装置１２０，３２０，５２０の法線と成す角度はθである。図２６Ａあるいは後述する図２８Ａにおいては、光学装置１２０，３２０，５２０から中心入射光線ＣＬ’が出射される点を「Ｏ’」で示し、点Ｏ’を通過するＸ軸、Ｙ軸、Ｚ軸と平行な軸線をＸ’軸、Ｙ’軸、Ｚ’軸で表している。【０１８６】
実施例１４の画像表示装置にあっては、中心入射光線ＣＬは、ＸＹ平面と０度以外の角度（θ）で交わる。ここで、光学装置から出射され、観察者（観客）の瞳に入射する中心入射光線ＣＬ’は俯角θ’をなすが、
θ’＝２θ
の関係にある。一方、図２９に示した例にあっては、同じ俯角を得ようとする場合、画像表示装置の全体を角度θ”だけ傾ける必要があるが、ここで、θ”とθの関係は、
θ”＝２θ
であり、結局、図２９に示した例にあっては、光学装置を垂直面に対して２θだけ、傾けなければならない。一方、実施例１４にあっては、光学装置を垂直面に対してθだけ、傾ければよいし、画像形成装置を水平に保持すればよい。従って、画像表示装置を眼鏡型のフレームの取付部に取り付けるときの画像表示装置の取付け角度に対する制限が少なく、高いデザイン自由度を得ることができる。また、光学装置の垂直面に対する傾きが、図２９に示した例よりも小さいので、外光が光学装置にて反射し、観察者（観客）の瞳に入射するといった現象が生じ難い。それ故、より高品質の画像の表示を行うことができる。【０１８７】
実施例１４の表示装置は、以上の相違点を除き、実施例１２〜実施例１３の表示装置と同じ構成、構造を有するので、詳細な説明は省略する。
【実施例１５】
【０１８８】
実施例１５は、実施例１４における画像表示装置の変形である。実施例１５における画像表示装置を構成する導光板等の配置状態を示す概念図を図２８Ａ及び図２８Ｂに示す。ここで、実施例１５にあっては、光学系（平行光出射光学系，コリメート光学系）１１２の光軸は、ＹＺ平面と平行であり、ＸＹ平面と平行であり、且つ、画像形成装置１１１，２１１の中心から外れた位置を通過する。このような構成とすることで、中心入射光線ＣＬは、ＹＺ平面に含まれ、しかも、ＸＹ平面と仰角θをなして交わる。実施例１５の表示装置は、以上の相違点を除き、実施例１２〜実施例１４の表示装置と同じ構成、構造を有するので、詳細な説明は省略する。
【実施例１６】
【０１８９】
実施例１６〜実施例１９は、実施例１２〜実施例１５にて説明した表示装置の変形であり、実施例１６は、本開示における第３Ａの表示装置に関する。実施例１６あるいは後述する実施例１７〜実施例１９の表示装置の基本的な構成、構造は、実施例１２〜実施例１５にて説明した表示装置の基本的な構成、構造と同様とすることができるので、詳細な説明は省略する。【０１９０】
実施例１６の表示装置にあっても、演劇において演劇者の会話等を字幕として表示装置において表示する。周知の回路構成から構成された制御装置６１８に備えられたメモリカードから成る記憶手段（図示せず）にはデータ群が記憶されている。ここで、実施例１６において、データ群は、演劇での演劇者の会話等を、例えば、１場面、１場面、編集した、文字列を画像とした画像データである文字データの集合体とした。画像データ（画像信号）のファイル形式は本質的に任意である。図３０に、データ群を構成する画像信号（文字データ）のデータ構造を概念的に図示する。ここで、データ群を構成する各文字データには指定識別符号が付されている。指定識別符号は、例えば数字から成る。【０１９１】
実施例１６における送信装置（送信手段）６５１のシステム構成ブロック図、及び、表示装置における制御装置６１８のシステム構成ブロック図を、それぞれ、図３１Ａ及び図３１Ｂに示し、実施例１６における送信装置６５１での送信処理の流れを説明する図を図３２に示し、実施例１６における制御装置６１８での受信処理の流れを説明する図を図３３に示す。【０１９２】
周知の回路構成から成る送信装置６５１には、例えば、パーソナルコンピュータ６５２、及び、周知の液晶表示装置から成る表示装置６５３が備えられている。そして、この表示装置６５３には、図３４Ａ及び図３４Ｂに示すように、例えば、指定識別符号、データ群を構成する複数の文字データ、及び、各文字データの全表示時間、更には、輝度情報が表示されている。尚、この表示装置６５３には、更に、文字データを構成する表示データ（異サイズ・表示データや異言語・表示データ）を表示する領域が設けられているし、送信装置６５１からの各種情報を受信する表示装置の台数を表示する領域も設けられている。更には、全表示時間Ｔtotalに対する表示時間情報ＴInfの割合を「横棒」によって表示する領域も設けられている。「指定識別符号等の表示領域」において、斜線を付した部分はカーソルが置かれ、表示色が反転した行を示している。【０１９３】
そして、演劇において演劇者の或る会話が開始する直前、外部から指定識別符号及び表示時間情報が所定の時間間隔で制御装置６１８に送られる。尚、表示時間情報に相当する時間は、本開示における第１Ｃの表示装置あるいは本開示における第３Ａの表示装置における所定の時間に相当する。具体的には、例えば、パーソナルコンピュータ６５２に備えられたポインティングデバイスやキーボード（これらは図示せず）を作業者が操作することで、表示装置６５３に表示された指定識別符号、データ群を構成する複数の文字データ、及び、各文字データの全表示時間が表示された行を指定することで、パーソナルコンピュータ６５２は、指定された指定識別符号及び全表示時間を読み出し、表示時間情報を求め、表示パケットを作成し、同期信号と共に、指定識別符号及び表示時間情報を、表示装置における制御装置６１８に向けて送信する。尚、ポインティングデバイスとして、例えば、ジョイスティック、ポインティング・スティック（トラックポイント）、タッチパッド、タッチパネル、スタイラスペン、データグローブ、トラックボール、ペンタブレット、マウス、ライトペン、ジョイパッドを例示することができる。【０１９４】
具体的には、前述したとおり、表示時間情報ＴInfは、全表示時間Ｔtotal及び所定の時間間隔Ｔintを用いて、
ＴInf（ｍ）＝Ｔtotal−（ｍ−１）×Ｔint
で表すことができる。そして、外部（送信装置６５１）から、指定識別符号及び表示時間情報ＴInfが所定の時間間隔Ｔintで制御装置６１８に送られる。例えば、
Ｔtotal＝１０．０秒
Ｔint  ＝０．１秒
とすると、第１回目（ｍ＝１）に外部（送信装置６５１）から指定識別符号及び表示時間情報が制御装置６１８に送られてきたときの表示時間情報ＴInf（ｍ）は、
ＴInf（１）＝１０．０秒
である。【０１９５】
送信装置６５１内では、ＴInf＝０（秒）となったかを調べ、ＴInfが０秒ではない場合、タイマー待ちとして、ＴInfをＴint（具体的には、０．１秒）だけ減じ、Ｔint（具体的には、０．１秒）が経過した後、再び、今度は、
ＴInf（２）＝９．９秒
として、指定識別符号及び表示時間情報ＴInf（２）を送出する。これを、ＴInf＝０（秒）となるまで、繰り返す。【０１９６】
制御装置６１８においては、指定識別符号及びデータ識別符号を受信すると、送られてきた指定識別符号とデータ識別符号が一致する文字データを記憶手段から読み出す。そして、送られてきた表示時間情報ＴInfに相当する時間の間、この文字データに基づく画像を画像形成装置１１１，２１１において表示する。ここで、画像形成装置１１１，２１１において画像の表示が開始された場合には、それ以降に外部（送信装置６５１）から同じ指定識別符号及び異なる表示時間情報ＴInfが制御装置６１８に送られてきても、制御装置６１８はこれらの指定識別符号及び表示時間情報ＴInfを無視して、画像を表示し続ける。このような動作にあっては、制御装置６１８において、フラグ（受信完了フラグ）を立てればよい。一方、第１回目から第（ｍ’−１）回目まで、送信装置６５１からの指定識別符号及び／又は表示時間情報ＴInfの受信に制御装置６１８が何らかの理由で失敗し、第ｍ’回目に、初めて、送信装置６５１からの指定識別符号及び表示時間情報ＴInf（ｍ’）の受信に制御装置６１８が成功した場合、
ＴInf（ｍ’）＝Ｔtotal−（ｍ’−１）×Ｔint
の時間の間、文字データに基づく画像を画像形成装置１１１，２１１において表示する。【０１９７】
このように、実施例１６にあっては、外部から送られてきた指定識別符号及び／又は表示時間情報の受信が制御装置１８において失敗した場合でも、再度、あるいは、繰り返し、指定識別符号及び表示時間情報の受信を試行することができる。それ故、指定識別符号及び表示時間情報を確実に受信することができる。その結果、例えば、複数の表示装置において指定識別符号及び表示時間情報を受信する場合でも、複数の表示装置において、確実に、同時に同じ画像の表示が可能となるし、表示装置において画像が表示できないという問題の発生を確実に回避することができる。【０１９８】
実施例１６においては、更に、輝度情報によって輝度を制御した状態で、画像を画像形成装置１１１，２１１において表示することができる。具体的には、指定識別符号及び表示時間情報に加え、光学装置において表示すべき画像の輝度情報を、外部（送信装置６５１）から表示装置に送出することで、表示される画像の視認性を高めることができる。【０１９９】
尚、実施例１６にあっては（あるいは後述する実施例１７〜実施例１９の表示装置にあっては、必要に応じて）、
制御装置１８に備えられた記憶手段には、画像（例えば、字幕）を表示するための複数の文字データから構成されたデータ群が記憶されており、
データ群を構成する各文字データにはデータ識別符号が付されており、
制御装置１８は、外部から所定の時間間隔で送られてきた指定識別符号及び表示時間情報を受け取り、送られてきた指定識別符号とデータ識別符号が一致する文字データを記憶手段から読み出し、
送られてきた表示時間情報に相当する時間の間、この文字データに基づく画像が画像形成装置において表示される構成とすることができる。
【実施例１７】
【０２００】
実施例１７は、本開示における第３Ｂの表示装置に関する。実施例１７にあっては、実施例１６において説明した表示装置、画像表示装置を適用することができる。但し、実施例１７においては、観察対象物と表示装置との間の距離を設定するために、制御装置６１８に切換えボタン（図３１Ｂ参照）やスイッチが設けられている。そして、観察者（観客）の座る座席に応じて、手動にて、即ち、切換えボタンやスイッチを操作することで、表示装置から観察対象物までの距離を設定する。一例として、表示装置から観察対象物までの距離として、「近距離」、「中距離」、「遠距離」、「遠々距離」といった４種類の距離の設定を例示することができる。【０２０１】
実施例１７の表示装置にあっては、実施例１６と同様に、制御装置６１８に備えられた記憶手段には、複数の文字データから構成されたデータ群が記憶されており、データ群を構成する各文字データにはデータ識別符号が付されている。【０２０２】
但し、実施例１６と異なり、各文字データは、表示サイズが異なる複数の異サイズ・表示データから構成されている。具体的には、実施例１７にあっては、表示サイズが異なる表示データとして、フォントサイズの異なる文字列を画像とした画像データとする。尚、１つの異サイズ・表示データのデータ構造は、図３０に示したと同様とすることができ、各文字データには、実施例１６と同様に、データ識別符号が付されている。【０２０３】
実施例１７にあっても、実施例１６と同様に、外部（送信装置６５１）から指定識別符号が制御装置６１８に送られる。そして、制御装置６１８において、送られてきた指定識別符号とデータ識別符号が一致する文字データの内、観察対象物と表示装置との間の距離に依存して、具体的には、制御装置６１８に設けられた切換えボタンやスイッチを操作することで設定された表示装置から観察対象物までの距離に依存して、複数の異サイズ・表示データから１つの異サイズ・表示データを記憶手段から読み出し、この１つの異サイズ・表示データに基づく画像を画像形成装置において表示する。【０２０４】
実施例１７にあっても、実施例１６と同様に、外部（送信装置６５１）から指定識別符号及び表示時間情報ＴInfが所定の時間間隔Ｔintで制御装置６１８に送られ、送られてきた表示時間情報ＴInfに相当する時間の間、画像を画像形成装置において表示する画像表示方法とすることもできる。【０２０５】
表示装置から観察対象物までの距離情報が、外部から表示装置に無線によって送出される構成とすることもできる。あるいは又、表示装置から観察対象物までの距離を測定する距離測定装置を表示装置は更に備えており、距離測定装置によって距離情報を得る構成とすることもできる。距離測定装置として、例えば、撮像装置を、オートフォーカス機能付き撮像装置（パッシブ方式の距離測定装置を有する撮像装置）とすればよい。【０２０６】
このように、実施例１７の表示装置にあっては、制御装置１８において、送られてきた指定識別符号とデータ識別符号が一致する文字データの内、観察対象物と表示装置との間の距離に依存して、複数の異サイズ・表示データから１つの異サイズ・表示データを記憶手段から読み出し、この１つの異サイズ・表示データに基づく画像を画像形成装置において表示するので、観察対象物の目視される大きさと画像の大きさとの間に不釣り合いが生じ難い。【０２０７】
尚、実施例１７の表示装置にあっては、
制御装置１８に備えられた記憶手段には、複数の文字データから構成されたデータ群が記憶されており、
データ群を構成する各文字データにはデータ識別符号が付されており、
各文字データは、表示サイズが異なる複数の異サイズ・表示データから構成されており、
制御装置１８は、外部から送られてきた指定識別符号を受け取り、送られてきた指定識別符号とデータ識別符号が一致する文字データの内、観察対象物と表示装置との間の距離に依存して、複数の異サイズ・表示データから１つの異サイズ・表示データを記憶手段から読み出し、
この１つの異サイズ・表示データに基づく画像が画像形成装置において表示される構成とすることができる。【０２０８】
また、実施例１６にて説明した表示装置と実施例１７にて説明した表示装置とを組み合わせることができる。即ち、実施例１６にて説明した表示装置において、
各文字データは、表示サイズが異なる複数の異サイズ・表示データから構成されており、
制御装置１８は、送られてきた指定識別符号とデータ識別符号が一致する文字データの内、観察対象物と表示装置との間の距離に依存して、複数の異サイズ・表示データから１つの異サイズ・表示データを記憶手段から読み出し、
この１つの異サイズ・表示データに基づく画像が画像形成装置において表示される構成とすることができる。
【実施例１８】
【０２０９】
実施例１８は、本開示における第３Ｃの表示装置に関する。実施例１８にあっても、実施例１６において説明した表示装置、画像表示装置を適用することができる。そして、実施例１８の表示装置にあっても、実施例１６と同様に、制御装置６１８に備えられた記憶手段には、複数の文字データから構成されたデータ群が記憶されており、データ群を構成する各文字データにはデータ識別符号が付されている。【０２１０】
但し、実施例１６と異なり、各文字データは、表示言語が異なる複数の異言語・表示データから構成されている。例えば、言語として、中国語、韓国語、英語等を挙げることができる。具体的には、実施例１８にあっては、表示言語が異なるが異なる表示データとして、異なる言語の文字列を画像とした画像データとする。尚、１つの異言語・表示データのデータ構造は、図３０に示したと同様とすることができ、各文字データには、実施例１６と同様に、データ識別符号が付されている。【０２１１】
実施例１８にあっても、実施例１６と同様に、外部（送信装置６５１）から指定識別符号が制御装置６１８に送られる。そして、制御装置６１８において、送られてきた指定識別符号とデータ識別符号が一致する文字データの内、複数の異言語・表示データから１つの異言語・表示データを記憶手段から読み出し、この１つの異言語・表示データに基づく画像を画像形成装置において表示する。制御装置６１８に切換えボタン（図３１Ｂ参照）やスイッチを設け、手動にて表示言語を選択すればよい。【０２１２】
このように、実施例１８の表示装置にあっては、制御装置１８において、送られてきた指定識別符号とデータ識別符号が一致する文字データの内、複数の異言語・表示データから１つの異言語・表示データを記憶手段から読み出し、この１つの異言語・表示データに基づく画像を画像形成装置において表示するので、観察者（観客）の使用する言語での画像表示を容易に行うことができる。【０２１３】
実施例１８にあっても、実施例１６にて説明した表示装置を適用することができる。具体的には、実施例１８において、実施例１６と同様に、制御装置６１８において、送られてきた指定識別符号とデータ識別符号が一致する文字データの内、複数の異言語・表示データから１つの異言語・表示データを記憶手段から読み出し、この１つの異言語・表示データに基づく画像を画像形成装置において表示する。即ち、外部（送信装置６５１）から指定識別符号及び表示時間情報ＴInfが所定の時間間隔Ｔintで制御装置６１８に送られ、送られてきた表示時間情報ＴInfに相当する時間の間、画像を画像形成装置において表示する。【０２１４】
また、実施例１８の表示装置と実施例１７の表示装置とを組み合わせることもできる。即ち、各異サイズ・表示データは、表示言語が異なる複数の異言語・表示データから構成されており、制御装置６１８において、送られてきた指定識別符号とデータ識別符号が一致する文字データの内、観察対象物と表示装置との間の距離に依存して、複数の異サイズ・表示データから１つの異サイズ・表示データを選択し、更に、この１つの異サイズ・表示データにおいて、複数の異言語・表示データから１つの異言語・表示データを記憶手段から読み出し、この１つの異言語・表示データに基づく画像を画像形成装置において表示してもよい。そして、この場合、外部（送信装置６５１）から指定識別符号及び表示時間情報ＴInfが所定の時間間隔Ｔintで制御装置６１８に送られ、送られてきた表示時間情報ＴInfに相当する時間の間、画像を画像形成装置において表示する。【０２１５】
尚、実施例１８の表示装置にあっては、
制御装置１８に備えられた記憶手段には、複数の文字データから構成されたデータ群が記憶されており、
データ群を構成する各文字データにはデータ識別符号が付されており、
各文字データは、表示言語が異なる複数の異言語・表示データから構成されており、
制御装置１８は、外部から送られてきた指定識別符号を受け取り、送られてきた指定識別符号とデータ識別符号が一致する文字データの内、複数の異言語・表示データから１つの異言語・表示データを記憶手段から読み出し、
この１つの異言語・表示データに基づく画像が画像形成装置において表示される構成とすることができる。【０２１６】
また、実施例１６にて説明した表示装置と実施例１８にて説明した表示装置とを組み合わせることができる。即ち、実施例１６にて説明した表示装置において、
各文字データは、表示言語が異なる複数の異言語・表示データから構成されており、
制御装置１８は、送られてきた指定識別符号とデータ識別符号が一致する文字データの内、複数の異言語・表示データから１つの異言語・表示データを記憶手段から読み出し、
この１つの異言語・表示データに基づく画像が画像形成装置において表示される構成とすることができる。【０２１７】
また、実施例１７にて説明した表示装置と実施例１８にて説明した表示装置とを組み合わせることができる。即ち、実施例１７にて説明した表示装置において、
各異サイズ・表示データは、表示言語が異なる複数の異言語・表示データから構成されており、
制御装置１８は、送られてきた指定識別符号とデータ識別符号が一致する文字データの内、観察対象物と表示装置との間の距離に依存して、複数の異サイズ・表示データから１つの異サイズ・表示データを選択し、更に、この１つの異サイズ・表示データにおいて、複数の異言語・表示データから１つの異言語・表示データを記憶手段から読み出し、
この１つの異言語・表示データに基づく画像が画像形成装置において表示される構成とすることができる。【０２１８】
また、実施例１６にて説明した表示装置と実施例１７、実施例１８にて説明した表示装置とを組み合わせることができる。即ち、実施例１６にて説明した表示装置において、
各異サイズ・表示データは、表示言語が異なる複数の異言語・表示データから構成されており、
制御装置１８は、送られてきた指定識別符号とデータ識別符号が一致する文字データの内、観察対象物と表示装置との間の距離に依存して、複数の異サイズ・表示データから１つの異サイズ・表示データを選択し、更に、この１つの異サイズ・表示データにおいて、複数の異言語・表示データから１つの異言語・表示データを記憶手段から読み出し、
この１つの異言語・表示データに基づく画像が画像形成装置において表示される構成とすることができる。
【実施例１９】
【０２１９】
実施例１９は、本開示における第３Ｄの表示装置に関する。実施例１９にあっても、実施例１６において説明した表示装置、画像表示装置を適用することができる。【０２２０】
そして、実施例１９の表示装置にあっても、実施例１６と同様に、制御装置６１８に備えられた記憶手段には、複数の文字データから構成されたデータ群が記憶されており、データ群を構成する各文字データにはデータ識別符号が付されている。尚、各文字データは、実施例１６にて説明したと同様のデータ構造を有し、実施例１６と同様に、データ識別符号が付されている。【０２２１】
実施例１９にあっても、実施例１６と同様に、外部（送信装置６５１）から指定識別符号が制御装置６１８に送られる。そして、制御装置６１８において、送られてきた指定識別符号とデータ識別符号が一致する文字データを記憶手段から読み出し、観察対象物と表示装置との間の距離に依存してデータ処理を行うことで、輻輳角を制御した状態でこの文字データに基づく画像を画像形成装置において表示する。尚、表示装置から観察対象物までの距離に基づき、少なくとも一方の画像表示装置を構成する画像形成装置への文字データに対する画像処理を行えばよいが、実施例１９においては、両方の画像表示装置を構成する画像形成装置への文字データに対する画像処理を行う。【０２２２】
即ち、実施例１９の表示装置にあっては、
制御装置１８に備えられた記憶手段には、複数の文字データから構成されたデータ群が記憶されており、
データ群を構成する各文字データにはデータ識別符号が付されており、
制御装置１８は、外部から送られてきた指定識別符号を受け取り、送られてきた指定識別符号とデータ識別符号が一致する文字データを記憶手段から読み出し、観察対象物と表示装置との間の距離に依存してデータ処理を行い、
輻輳角を制御した状態で、この文字データに基づく画像が画像形成装置において表示される構成とすることができる。【０２２３】
実施例１９にあっても、実施例１６にて説明した表示装置を適用することができる。具体的には、実施例１９において、実施例１６と同様に、制御装置６１８において、送られてきた指定識別符号とデータ識別符号が一致する文字データを記憶手段から読み出し、この文字データに基づく画像を画像形成装置において表示するが、外部（送信装置６５１）から指定識別符号及び表示時間情報ＴInfが所定の時間間隔Ｔintで制御装置６１８に送られ、送られてきた表示時間情報ＴInfに相当する時間の間、画像を画像形成装置において表示する。【０２２４】
また、実施例１７にて説明した表示装置と実施例１９にて説明した表示装置とを組み合わせることができる。即ち、実施例１７にて説明した表示装置において、
各文字データは、表示サイズが異なる複数の異サイズ・表示データから構成されており、
制御装置１８は、送られてきた指定識別符号とデータ識別符号が一致する文字データの内、観察対象物と表示装置との間の距離に依存して、複数の異サイズ・表示データから１つの異サイズ・表示データを記憶手段から読み出し、観察対象物と表示装置との間の距離に依存したデータ処理を行い、
輻輳角を制御した状態で、この１つの異サイズ・表示データに基づく画像が画像形成装置において表示される構成とすることができる。【０２２５】
また、実施例１７にて説明した表示装置と実施例１８、実施例１９にて説明した表示装置とを組み合わせることができる。即ち、実施例１７にて説明した表示装置において、
各異サイズ・表示データは、表示言語が異なる複数の異言語・表示データから構成されており、
制御装置１８は、送られてきた指定識別符号とデータ識別符号が一致する文字データの内、観察対象物と表示装置との間の距離に依存して、複数の異サイズ・表示データから１つの異サイズ・表示データを選択し、更に、この１つの異サイズ・表示データにおいて、複数の異言語・表示データから１つの異言語・表示データを記憶手段から読み出し、観察対象物と表示装置との間の距離に依存したデータ処理を行い、
輻輳角を制御した状態で、この１つの異言語・表示データに基づく画像が画像形成装置において表示される構成とすることができる。【０２２６】
また、実施例１８にて説明した表示装置と実施例１９にて説明した表示装置とを組み合わせることができる。即ち、実施例１８にて説明した表示装置において、
各文字データは、表示言語が異なる複数の異言語・表示データから構成されており、
制御装置１８は、送られてきた指定識別符号とデータ識別符号が一致する文字データの内、観察対象物と表示装置との間の距離に依存して、複数の異言語・表示データから１つの異言語・表示データを記憶手段から読み出し、観察対象物と表示装置との間の距離に依存したデータ処理を行い、
輻輳角を制御した状態で、この１つの異言語・表示データに基づく画像が画像形成装置において表示される構成とすることができる。
【実施例２０】
【０２２７】
実施例２０も、実施例１〜実施例１１の表示装置の変形であり、具体的には、本開示における第２Ａの表示装置、より具体的には、字幕を表示する表示装置（字幕表示装置）に関する。実施例２０の表示装置における表示装置及び画像表示装置の概念図を図３５Ａ、図３５Ｂに示す。尚、画像形成装置の光軸と光学系の光軸を水平方向（Ｘ軸方向）に移動させる前の状態を模式的に図３５Ａに示し、移動させた後の状態を模式的に図３５Ｂに示す。また、実施例２０の表示装置において、画像表示装置を構成する導光板における光の伝播を模式的に図３６に示す。尚、実施例２０の表示装置を使用している状態の概念図は図２０及び図２１に示したと同様であるし、実施例２０の表示装置を構成する制御装置の概念図は図２２に示したと同様である。更には、実施例２０における画像信号の一例は、図２３Ａに示したと同様である。【０２２８】
実施例２０の表示装置（字幕表示装置）あるいは後述する実施例２１〜実施例２５の表示装置にあっては、観察者の観察位置に依存して、移動装置４０を作動させ、回動装置４３を作動させ、液体レンズ４４を作動させ、液体プリズム４５を作動させるが、これらの作動は、観察者の観察位置情報（あるいは、左右の画像シフト量）に基づき、制御装置１８からの制御信号によって制御される。ここで、観察者の観察位置情報として、例えば、映画館や劇場等において観察者（観客）が着席する座席の位置や劇場情報を例示することができる。【０２２９】
そして、実施例２０あるいは後述する実施例２１の表示装置１００，２００，３００，４００，５００においては、移動装置４０によって画像形成装置１１１（１１１Ａ，１１１Ｂ），２１１の光軸と光学系１１２，２５４の光軸とを水平方向（Ｘ軸方向）に相対的に移動させる。具体的には、図３５Ａ、図３５Ｂ及び図３６に概念図を示すように、２つの画像表示装置１００，２００，３００，４００，５００のそれぞれにおける画像形成装置１１１，２１１の光軸と光学系１１２，２５４の光軸の位置を水平方向（Ｘ軸方向）に相対的に移動させればよい。即ち、画像形成装置１１１，２１１及び光学系１１２，２５４のいずれか一方（例えば、光学系１１２，２５４）を、ラックギア部から構成された移動用ガイド部４２に載置し、画像形成装置１１１，２１１及び光学系１１２，２５４のいずれか一方（例えば、光学系１１２，２５４）を、モータ及びピニオンギア４１によって移動用ガイド部４２上を移動させる。あるいは、画像形成装置及び光学系のいずれか一方を移動用ガイド部に載置し、画像形成装置及び光学系のいずれか一方を圧電素子や超音波モータによって移動用ガイド部上を移動させればよい。このような構成にあっては、光学系１１２，２５４から出射され、光学装置１２０，３２０，５２０に入射する平行光の光学装置１２０，３２０，５２０に対するＹＺ平面・入射角に変化が生じる。即ち、ＹＺ平面に対する光学系１１２，２５４の光軸の角度に変化が生じる。尚、図３６において、画像形成装置１１１，２１１の光軸と光学系１１２，２５４の光軸を水平方向（Ｘ軸方向）に移動させる前の中心入射光線を実線で示し、移動させた後の中心入射光線を点線で示す。ここで、図３５Ａから図３５Ｂに示す状態に画像形成装置１１１，２１１、光学系１１２，２５４を移動させることで、輻輳角の値は大きくなり、虚像距離は短くなる。即ち、虚像が観察者（観客）に近づく。即ち、例えば、図１９における点「Ａ」が所望の位置となるように、画像形成装置１１１，２１１又は光学系１１２，２５４を水平方向（Ｘ軸方向）に相対的に移動させる。尚、画像形成装置１１１，２１１の移動にあっては、画像形成装置１１１，２１１の全体を移動させてもよいし、画像形成装置１１１，２１１の構成要素の一部（例えば、液晶表示装置１５１や走査手段２５３等）を移動させてもよい。【０２３０】
ここで、観察者の観察位置に関する情報（観察者の観察位置情報）が、例えば、予め、パーソナルコンピュータから表示装置に与えられている。あるいは又、例えば、チケットに印刷されたバーコード形式の座席情報や劇場情報、携帯電話に表示されたチケット情報に含まれる座席情報や劇場情報を適切な手段・方法で読み取り、座席情報や劇場情報に基づく観察者の観察位置情報を適切な手段によって表示装置に与えてもよい。そして、この観察者の観察位置情報に基づき、制御装置１８は、モータ及びピニオンギア４１等を作動させて、画像形成装置１１１，２１１及び／又は光学系１１２，２５４を水平方向（Ｘ軸方向）に相対的に移動させることで、輻輳角を調整する。具体的には、例えば、表示装置から観察対象物までの距離が遠くなるほど、輻輳角を小さくすればよい。表示装置から観察対象物までの距離が無限大のとき、輻輳角は０度である。【０２３１】
このように、観察位置情報（あるいは、左右の画像シフト量）に基づき、右眼用及び左眼用の２つの画像表示装置１００，２００，３００，４００，５００によって得られる２つの画像を移動させることで、虚像を所望の位置に配することができる。即ち、画像表示装置１００，２００，３００，４００，５００を構成する光学装置１２０，３２０，５２０において表示される２つの画像の水平方向の距離（間隔）、あるいは、ＹＺ平面・入射角を調整することで、表示装置から観察対象物までの距離に対応した輻輳角の調整を行うことができる。
【実施例２１】
【０２３２】
実施例２１は、本開示における第２Ｂの表示装置に関する。実施例２１の表示装置の概念図を図３７Ａ及び図３７Ｂに示す。実施例２１の表示装置にあっては、少なくとも一方の画像表示装置（実施例２１にあっては、右眼用及び左眼用の２つの画像表示装置のそれぞれ）は、画像形成装置１１１，２１１及び光学系１１２，２５４を回動させる回動装置４３を更に備えており、観察者の観察位置に依存して、回動装置４３によって画像形成装置１１１，２１１及び光学系１１２，２５４を回動させることで、光学系１１２，２５４から出射され、光学装置１２０，３２０に入射する平行光の光学装置１２０，３２０に対する入射角（ＹＺ平面・入射角）を変更し、即ち、ＹＺ平面に対する光学系１１２，２５４の光軸の角度を変更し、以て、輻輳角（水平面における主光線交差角）を調整する。ここで、図３７Ａから図３７Ｂに示す状態に画像形成装置１１１，２１１、光学系１１２，２５４を移動させることで、輻輳角の値は大きくなり、虚像距離は短くなる。即ち、虚像が観察者（観客）に近づく。【０２３３】
尚、回動装置４３によって画像形成装置１１１，２１１及び光学系１１２，２５４を回動させるが、具体的には、２つの画像表示装置のそれぞれにおける画像形成装置１１１，２１１の光軸と光学系１１２，２５４の光軸との位置関係を固定したまま、少なくとも一方の画像表示装置を、適切な位置に配置したＺ軸を回動軸として、圧電素子やモータ、超音波モータを作動させることで、回動させればよい。このような形態にあっては、光学系１１２，２５４から出射され、光学装置１２０，３２０に入射する平行光の光学装置１２０，３２０に対するＹＺ平面・入射角に変化が生じる。即ち、ＹＺ平面に対する光学系１１２，２５４の光軸の角度に変化が生じる。場合によっては、光学装置１２０，３２０も併せて回動させてもよい。
【実施例２２】
【０２３４】
実施例２２は、本開示における第２Ｃの表示装置に関する。実施例２２の表示装置にあっては、少なくとも一方の画像表示装置（実施例２２にあっては、右眼用及び左眼用の２つの画像表示装置のそれぞれ）を構成する光学系１１２，２５４は液体レンズ４４を備えており、観察者の観察位置に依存して、液体レンズ４４の作動によって輻輳角（水平面における主光線交差角）を調整する。光学系１１２，２５４を構成する係る液体レンズ４４は、エレクトロウェッティング現象を利用した周知の液体レンズから構成されている。液体レンズ４４の作動によって、光学系１１２，２５４の光軸とＹ軸との関係を一定に保持したまま、光学系１１２，２５４の光軸を水平方向（Ｘ軸方向）に移動させることができるし、あるいは又、ＹＺ平面に対する光学系の光軸の角度を変更することができる。これによって、光学系１１２，２５４から出射され、光学装置１２０，３２０に入射する平行光の光学装置１２０，３２０に対するＹＺ平面・入射角に変化が生じる。即ち、ＹＺ平面に対する光学系１１２，２５４の光軸の角度に変化が生じる。【０２３５】
液体レンズ４４の原理を、図３８Ａ、図３８Ｂ、図３８Ｃ、図３９Ａ、図３９Ｂ及び図３９Ｃの原理図を参照して説明する。尚、図３８Ａは、図３８Ｂの矢印Ａ−Ａに沿った模式的な断面図であり、図３８Ｂは、図３８Ａの矢印Ｂ−Ｂに沿った模式的な断面図（但し、第１の液体の図示は省略）であり、図３８Ｃ、図３９Ａ、図３９Ｂ及び図３９Ｃは、図３８Ａの矢印Ｃ−Ｃに沿った模式的な断面図である。尚、液体レンズのｘｙ平面で切断したときの形状は模式的な形状であり、実際の形状とは異なっている。【０２３６】
図３８Ａ、図３８Ｂ、図３８Ｃ、図３９Ａ、図３９Ｂ及び図３９Ｃに示す原理図を示す液体レンズ（便宜上、『原理的液体レンズ』と呼ぶ）は、ハウジングを備えている。このハウジングは、
第１側面部材５１、
第１側面部材５１と対向した第２側面部材５２、
第１側面部材５１の一端部と第２側面部材５２の一端部とを結ぶ第３側面部材５３、
第１側面部材５１の他端部と第２側面部材５２の他端部とを結ぶ第４側面部材５４、
第１側面部材５１、第２側面部材５２、第３側面部材５３及び第４側面部材５４の頂面に取り付けられた天板５５、及び、
第１側面部材５１、第２側面部材５２、第３側面部材５３及び第４側面部材５４の底面に取り付けられた底板５６、
から成り、このハウジングによって１つのレンズ室が構成されている。レンズ室は、軸線が第１側面部材５１及び第２側面部材５２の延びる方向（ｚ方向）に延びる円柱レンズとしての液体レンズを構成する第１の液体６５及び第２の液体６６によって占められている。【０２３７】
そして、天板５５の部分の内面には、液体レンズを構成する第１電極（以下、単に、『第１電極６１』と呼ぶ）が設けられており、第１側面部材５１の内面には、液体レンズを構成する第２電極（以下、単に、『第２電極６２』と呼ぶ）が設けられており、第２側面部材５２の内面には、液体レンズを構成する第３電極（以下、単に、『第３電極６３』と呼ぶ）が設けられている。ここで、図３８Ａ、図３８Ｂ及び図３８Ｃに示す状態にあっては、第１電極６１、第２電極６２、第３電極６３には電圧を印加していない。【０２３８】
この状態から、第１電極６１、第２電極６２、第３電極６３に適切な電圧を印加すると、図３９Ａ、図３９Ｂあるいは図３９Ｃに示す状態に第１の液体６５と第２の液体６６の界面の状態が変化する。ここで、図３９Ａに示す状態は、第２電極６２と第３電極６３に同じ電圧を印加したときの状態を示し、レンズ室内で形成される液体レンズのｘｙ平面で切断したときの形状は、光軸ＯＡに対して対称である。また、図３９Ｂ及び図３９Ｃに示す状態は、第２電極６２と第３電極６３に異なる電圧を印加したときの状態を示し、レンズ室内で形成される液体レンズのｘｙ平面で切断したときの形状は、光軸ＯＡに対して非対称である。尚、第２電極６２と第３電極６３との間の電位差は、図３９Ｃに示す状態の方が、図３９Ｂに示す状態よりも大きい。図３９Ｂ及び図３９Ｃに示すように、第２電極６２と第３電極６３との間の電位差に応じて、液体レンズの光学パワーを変化させることができるし、液体レンズの光軸ＯＡ（点線で表示する）をｚ方向と直交するｙ方向に移動させることができる。あるいは又、これらの原理図に示す液体レンズを複数、並置し、各液体レンズの第２電極６２と第３電極６３に印加する電圧を適切に制御することで、液体レンズ全体としての光軸を移動させることができるし、液体レンズ全体としての光軸の傾きを変化させることができるし、液体レンズ全体としてフレネルレンズを構成することができる。【０２３９】
実施例２２における実用的な液体レンズ４４の模式的な断面図を、図４０、図４１Ａ、図４１Ｂ、図４１Ｃ、図４２Ａ、図４２Ｂに示す。尚、図４０は、図３８Ｂの矢印Ａ−Ａに沿ったと同様の模式的な断面図であり、図４１Ａ、図４１Ｂ、図４１Ｃ、図４２Ａ、図４２Ｂは、図４０の矢印Ｃ−Ｃに沿った模式的な断面図である。また、図４０の矢印Ｂ−Ｂに沿った模式的な断面図は、図３８Ｂに示したと同様である。【０２４０】
液体レンズ４４は、
（Ａ）第１側面部材５１、
第１側面部材５１と対向した第２側面部材５２、
第１側面部材５１の一端部と第２側面部材５２の一端部とを結ぶ第３側面部材５３、
第１側面部材５１の他端部と第２側面部材５２の他端部とを結ぶ第４側面部材５４、
第１側面部材５１、第２側面部材５２、第３側面部材５３及び第４側面部材５４の頂面に取り付けられた天板５５、及び、
第１側面部材５１、第２側面部材５２、第３側面部材５３及び第４側面部材５４の底面に取り付けられた底板５６、
を備えたハウジング５０、並びに、
（Ｂ）それぞれが、第１側面部材５１と第２側面部材５２との間に平行に配置された、（Ｍ−１）個の隔壁部材５７、
を備えている。【０２４１】
そして、実施例２２における液体レンズ４４にあっては、Ｍ個（＝５個）のレンズ室５８（５８1，５８2，５８3，５８4，５８5）が並置されている。ここで、各レンズ室５８（５８1，５８2，５８3，５８4，５８5）は、軸線が隔壁部材５７の延びる方向と平行な方向（ｚ方向）である円柱レンズとしての液体レンズを構成する第１の液体６５及び第２の液体６６によって占められている。【０２４２】
第１番目のレンズ室５８1は、第１側面部材５１、第３側面部材５３、第１番目の隔壁部材５７、第４側面部材５４、天板５５、及び、底板５６から構成されている。そして、第１番目のレンズ室５８1を構成する天板５５の部分の内面には、第１電極６１が設けられており、第１番目のレンズ室５８1を構成する第１側面部材５１の部分の内面には、第２電極６２が設けられており、第１番目のレンズ室５８1を構成する第１番目の隔壁部材５７の部分の内面には、第３電極６３が設けられている。【０２４３】
また、第（ｍ＋１）番目のレンズ室５８(m+1)は、第ｍ番目（但し、ｍ＝１，２・・・Ｍ−２）の隔壁部材５７、第３側面部材５３、第（ｍ＋１）番目の隔壁部材５７、第４側面部材５４、天板５５、及び、底板５６から構成されている。そして、第（ｍ＋１）番目のレンズ室５８(m+1)を構成する天板５５の部分の内面には、第１電極６１が設けられており、第（ｍ＋１）番目のレンズ室５８(m+1)を構成する第ｍ番目の隔壁部材５７の部分の内面には、第２電極６２が設けられており、第（ｍ＋１）番目のレンズ室５８(m+1)を構成する第（ｍ＋１）番目の隔壁部材５７の部分の内面には、第３電極６３が設けられている。【０２４４】
更には、第Ｍ番目のレンズ室５８M（＝５８5）は、第（Ｍ−１）番目の隔壁部材５７、第３側面部材５３、第２側面部材５２、第４側面部材５４、天板５５、及び、底板５６から構成されている。そして、第Ｍ番目のレンズ室５８M（＝５８5）を構成する天板５５の部分の内面には、第１電極６１が設けられており、第Ｍ番目のレンズ室５８M（＝５８5）を構成する第（Ｍ−１）番目の隔壁部材５７の部分の内面には、第２電極６２が設けられており、第Ｍ番目のレンズ室５８M（＝５８5）を構成する第２側面部材５２の部分の内面には、第３電極６３が設けられている。【０２４５】
尚、図示した例では、各レンズ室毎に第１電極６１が設けられているが、天板５５の内面に１枚の第１電極６１を設けてもよい。【０２４６】
実施例２２における液体レンズ４４にあっては、少なくとも第１の液体６５と第２の液体６６との界面が位置する第１側面部材５１、第２側面部材５２及び隔壁部材５７のそれぞれの表面には、撥水処理が施されている。また、隔壁部材５７の底面は底板５６まで延びており、隔壁部材５７の頂面は天板５５まで延びている。ハウジング５０の外形形状は、ｚ方向に長辺、ｙ方向に短辺を有する矩形形状である。そして、底板５６から光が入射し、天板５５から光が出射する。【０２４７】
第１の液体６５と第２の液体６６とは、不溶、不混合であり、第１の液体６５と第２の液体６６との界面がレンズ面を構成する。ここで、第１の液体６５は導電性を有し、第２の液体６６は絶縁性を有し、第１電極６１は第１の液体６５と接しており、第２電極６２は絶縁膜６４を介して第１の液体６５及び第２の液体６６と接しており、第３電極６３は絶縁膜６４を介して第１の液体６５及び第２の液体６６と接している。また、天板５５、底板５６、及び、第１電極６１は、液体レンズ４４に入射する光に対して透明な材料から構成されている。【０２４８】
より具体的には、天板５５、底板５６、第１側面部材５１、第２側面部材５２、第３側面部材５３、第４側面部材５４及び隔壁部材５７は、ガラス、あるいは、アクリル系樹脂等の樹脂から作製されている。また、導電性を有する第１の液体６５は塩化リチウム水溶液から成り、密度は１．０６グラム／ｃｍ3であり、屈折率は１．３４である。一方、絶縁性を有する第２の液体６６はシリコーンオイル（モメンティブ・パフォーマンス・マテリアルズ・ジャパン合同会社製ＴＳＦ４３７）から成り、密度は１．０２グラム／ｃｍ3であり、屈折率は１．４９である。また、第１電極６１はＩＴＯから成り、第２電極６２及び第３電極６３は、例えば、金、アルミニウム、銅、銀等の金属電極から成る。更には、絶縁膜６４は、ポリパラキシレンや酸化タンタル、酸化チタン等の金属酸化物から成る。尚、絶縁膜６４の上に撥水処理層（図示せず）が設けられている。撥水処理層はポリパラキシリレンやフッ素系のポリマーから成る。第１電極６１の表面に親水処理を施し、第３側面部材５３や第４側面部材５４の内面に撥水処理を施すことが好ましい。【０２４９】
そして、実施例２２にあっては、光学系１１２，２５４を構成するために、図４０に示した液体レンズ４４を２つ、重ね合わせる。具体的には、下側の液体レンズ４４のｙ方向と、上側の液体レンズ４４のｙ方向とが直交するように、しかも、下側の液体レンズ４４のｚ方向と、上側の液体レンズ４４のｚ方向とが直交するように、重ね合わせる。そして、例えば、下側の液体レンズ４４のｙ方向がＸ軸方向と平行となり、ｘ方向がＹ軸の方向と平行となるように、重ね合わせた２つの液体レンズ４４を、図１に示した光学系１１２の所に配置させる。【０２５０】
第１電極６１、第２電極６２及び第３電極６３は、図示しない接続部を介して、外部の制御回路に接続され、所望の電圧が印加される構成、構造となっている。そして、第１電極６１、第２電極６２及び第３電極６３に電圧を印加すると、第１の液体６５と第２の液体６６との界面によって構成されたレンズ面が、図４１Ａに示す下に凸の状態から、図４１Ｂに示す上に凸の状態に向かって変化する。レンズ面の変化状態は、Lippman-Young の式に基づき、電極６１，６２，６３に印加する電圧によって変化する。図４１Ｂに示した例においては、第２電極６２と第３電極６３に同じ電圧を印加している。それ故、レンズ室内で形成される液体レンズのｘｙ平面で切断したときの形状は、液体レンズの光軸に対して対称である。重ね合わせた２つの液体レンズ４４の内、上側の液体レンズ４４に対して、このような制御を行えばよい。【０２５１】
また、図４１Ｃ、図４２Ａ及び図４２Ｂに示す状態は、第２電極６２と第３電極６３とに異なる電圧を印加したときの状態を示すが、レンズ室内で形成される液体レンズのｘｙ平面で切断したときの形状は、液体レンズの光軸に対して非対称である。ここで、図４１Ｃに示す状態にあっては、液体レンズ４４としてフレネルレンズが構成される。重ね合わせた２つの液体レンズ４４の内、上側の液体レンズ４４に対して、このような制御を行ってもよい。【０２５２】
一方、図４２Ａ及び図４２Ｂに示す状態にあっては、液体レンズの光軸をｚ方向と直交するｙ方向（Ｘ軸方向）に移動させている。図４２Ａあるいは図４２Ｂに示す状態とすることで、液体レンズ４４から出射された光の進行方向を変化させることができるし、あるいは又、液体レンズ４４全体としての光軸のｘ方向に対する傾きを制御することができる。即ち、重ね合わせた２つの液体レンズ４４の内、下側の液体レンズ４４に対して、このような制御を行うことで、液体レンズの光軸をＸ軸方向に移動させることができるし、あるいは又、液体レンズの光軸をＹ軸方向に対して傾けることができる。そして、第２電極６２と第３電極６３との間の電位差に応じて、液体レンズの光学パワーを変化させることができる。ここで、図４２Ａに示す状態にあっては、各第２電極６２には同じ電圧を印加し、各第３電極６３には同じ電圧を印加している。一方、図４２Ｂに示す状態にあっては、第２電極６２及び第３電極６３毎に異なる電圧を印加しており、液体レンズ４４全体として一種のフレネルレンズが構成される。【０２５３】
尚、第１電極６１、第２電極６２及び第３電極６３に電圧を印加し、円柱レンズが光学パワーを発揮しているとき、ｘｚ平面（あるいは、ｘｚ平面と平行な平面）における円柱レンズの光学パワーは実質的に０であり、ｘｙ平面における円柱レンズの光学パワーは有限の値である。ここで、『液体レンズ全体としての光軸』とは、液体レンズ４４をｘｙ平面において切断したときに液体レンズ４４全体として得られる仮想レンズ（液体レンズ４４全体としての１枚のレンズ）の２つの仮想光学表面の曲率中心を結んだ線である。【０２５４】
第２電極６２を共通の配線に接続し、第３電極６３を共通の配線に接続し、各第２電極６２には同じ電圧を印加し、各第３電極６３には同じ電圧を印加する構成とすることができる。あるいは又、第２電極６２を共通の配線に接続し、第３電極６３を個別の配線に接続して個別に異なる電圧を印加する構成とすることもできるし、第３電極６３を共通の配線に接続し、第２電極６２を個別の配線に接続して個別に異なる電圧を印加する構成とすることもできるし、第２電極６２、第３電極６３共、個別の配線に接続して個別に異なる電圧を印加する構成とすることもできる。
【実施例２３】
【０２５５】
実施例２３は、本開示における第２Ｄの表示装置に関する。実施例２３の表示装置にあっては、少なくとも一方の画像表示装置（実施例２３にあっては、右眼用及び左眼用の２つの画像表示装置のそれぞれ）を構成する光学系１１２，２５４は液体プリズム４５を備えており、観察者の観察位置に依存して、液体プリズム４５の作動によって輻輳角（水平面における主光線交差角）を調整する。光学系１１２，２５４の一部を構成する係る液体プリズム４５は、エレクトロウェッティング現象を利用した周知の液体プリズムから構成されている。液体プリズム４５の作動によって、ＹＺ平面に対する光学系１１２，２５４の光軸の角度を変更することができる。このような形態にあっては、光学系１１２，２５４から出射され、光学装置１２０，３２０に入射する平行光の光学装置１２０，３２０に対するＹＺ平面・入射角に変化が生じる。即ち、ＹＺ平面に対する光学系１１２，２５４の光軸の角度に変化が生じる。【０２５６】
図４３に概念図を示すように、液体プリズム４５の構成、構造は、図３８Ａ、図３８Ｂ及び図３８Ｃに示した原理的液体レンズと同様の構成、構造とすればよいので、詳細な説明は省略するが、原理的液体レンズと異なる点は、第１の液体６５と第２の液体６６との界面によってレンズ面が構成されるのではなく、プリズムの平坦な斜面が構成される点にあり、このような構成は、第１の液体６５と第２の液体６６との適切な選択によって達成することができる。そして、液体プリズム４５を、例えば、図１に示した表示装置における光学系１１２と導光板１２１との間に、ｙ方向がＸ軸方向と平行となり、ｘ方向がＹ軸の方向と平行となるように、配置すればよい。
【実施例２４】
【０２５７】
実施例２４は、実施例２０〜実施例２３の表示装置の変形である。実施例２４の表示装置にあっては、少なくとも一方の画像表示装置（実施例２４においても、右眼用及び左眼用の２つの画像表示装置１００，２００，３００，４００，５００のそれぞれ）を構成する画像形成装置１１１（１１１Ａ，１１１Ｂ），２１１への画像信号（文字データ、入力画像信号、入力画像データ）を制御することで、実施例２０〜実施例２３における輻輳角の調整に加えて、観察者の観察位置に依存した更に精密な輻輳角の調整を行い、あるいは又、この少なくとも一方の画像表示装置を構成する光学装置において表示される画像の位置を観察者の観察位置に依存して調整する。尚、実施例２４においては、輻輳角の調整と、観察者の観察位置に依存した画像の位置の調整の両方を行うが、いずれか一方のみを行ってもよい。【０２５８】
具体的には、無線で（場合によっては有線で）、テスト用の画像信号を制御装置１８に送る。そして、制御装置１８において、画像信号に対して画像表示のための処理が行われ、テスト用の画像信号に基づき、画像形成装置１１１，２１１において画像（字幕）を生成する。この画像は、光学系１１２，２５４、光学装置１２０，３２０，５２０を介して、最終的に、表示装置を装着した観察者（観客）の両眼に到達する。【０２５９】
そして、左眼用及び右眼用の画像表示装置１００，２００，３００，４００，５００によって表示される画像が、所望の位置（例えば、舞台の所望の位置やスクリーン）と一致するように（重なり合うように）、制御装置１８を介して、具体的には、制御装置１８に配置されたスイッチ（図示せず）を用いて、光学装置１２０，３２０，５２０に表示された画像を左右、上下に移動させ、また、回転移動させる。即ち、例えば、図１９における点「Ａ」が所望の位置となるように、光学装置１２０，３２０，５２０に表示された画像を左右、上下に移動させ、また、回転移動させる。このように、制御装置１８に配置されたスイッチの操作によって、画像信号の制御（補正）が行われる。即ち、制御装置１８内で表示位置補正信号が生成され、画像信号に表示位置補正信号が加えられる。【０２６０】
左眼用及び右眼用の画像表示装置１００，２００，３００，４００，５００によって表示される画像が、所望の位置において、左右にずれている状態、上下にずれている状態、回転した状態でずれている状態は、図２４Ａ、図２４Ｂ及び図２４Ｃに示したと同様である。そして、画像（文字）の移動のためには、実施例１２において説明したと同様の操作、処理を行えばよい。こうして、少なくとも一方の画像表示装置１００，２００，３００，４００，５００を構成する光学装置１２０，３２０，５２０において表示される画像の位置を制御し、以て、２つの画像表示装置１００，２００，３００，４００，５００における２つの画像の相互の位置を調整することができる。即ち、より精密な輻輳角の調整と、観察者の観察位置に依存した画像の位置の調整の両方を行うことができる。尚、画像形成装置１１１，２１１への画像信号に加え、観察者（表示装置）から観察対象物までの観察位置情報（距離情報）が、外部から表示装置に送出される。このような信号のフォーマットの概念図の一例は、図２５Ｂに示したと同様である。【０２６１】
このように、画像表示位置を所定の位置から所望の画素分、ずらすことで、より精密な輻輳角の調整を行うことができる。云い換えれば、右眼用及び左眼用の２つの画像表示装置１００，２００，３００，４００，５００を構成する画像形成装置１１１，２１１への画像信号を、表示位置補正信号によって制御することで、表示装置から観察対象物までの距離に対応した、より精密な輻輳角の調整を行うことができ、その結果、観察対象物と観察者（観客）との間の距離と、画像表示装置によって表示される画像（字幕）の虚像距離とを、より精密に等しくすることができる。【０２６２】
尚、実施例２４あるいは後述する実施例２５にあっては、観察者の観察位置に依存して、また、観察対象物と表示装置との間の距離に依存して、制御装置１８の制御下、光学装置において表示される表示画面（画像表示領域）の大きさ、表示画面（画像表示領域）の画角、表示画面の解像度を変更してもよい。
【実施例２５】
【０２６３】
実施例２５は、実施例２０〜実施例２４の表示装置の変形である。実施例２５の表示装置の基本的な構成、構造は、実施例２０〜実施例２３の表示装置の基本的な構成、構造と同様とすることができるので、詳細な説明は省略する。【０２６４】
実施例２５の表示装置にあっては、画像形成装置へ画像信号が入力されてから所定の時間が経過した後、画像形成装置における画像形成を停止する。画像形成装置における画像形成を停止するためには、即ち、表示装置における省電力モード等への移行のためには、画像信号に、画像表示装置における画像表示時間を表す信号や、画像形成装置における画像形成の停止を指示する信号を加重する。【０２６５】
このような実施例２５における画像信号の一例は、図２３Ｂに示したと同様であり、図２３Ａに示した実施例２０における画像信号に、画像表示装置における画像表示時間を表す信号である画像表示時間を示すデータ「ＴＩＭＥ」が加わっている。そして、制御装置１８においては、実施例１３において説明したと同様の処理、操作を行う。このように、実施例２５の表示装置にあっては、画像形成装置へ画像信号が入力されてから所定の時間が経過した後、画像形成装置における画像形成を停止する。即ち、所定の時間経過後に表示装置における省電力モード等へ移行するので、表示装置における電力の浪費といった問題が生じることがない。【０２６６】
尚、以上に説明した実施例２０〜実施例２５の表示装置に対して、実施例１６〜実施例１９において説明した表示装置を適用することができ、これらの場合における表示装置は、本開示における第３Ａの表示装置〜第３Ｄの表示装置に該当する。【０２６７】
以上、本開示を好ましい実施例に基づき説明したが、本開示はこれらの実施例に限定するものではない。実施例において説明した表示装置（頭部装着型ディスプレイ）、画像表示装置の構成、構造は例示であり、適宜変更することができる。例えば、導光板に表面レリーフ型ホログラム（米国特許第２００４００６２５０５Ａ１参照）を配置してもよい。光学装置３２０にあっては、回折格子素子を透過型回折格子素子から構成することもできるし、あるいは又、第１偏向手段及び第２偏向手段の内のいずれか一方を反射型回折格子素子から構成し、他方を透過型回折格子素子から構成する形態とすることもできる。あるいは又、回折格子素子を、反射型ブレーズド回折格子素子とすることもできる。【０２６８】
光学装置の光が出射される領域に、調光装置が着脱自在に配設されていてもよい。このように、調光装置を着脱自在に配設するためには、例えば、透明なプラスチックから作製されたビスを用いて調光装置を光学装置に取り付け、調光装置の光透過率を制御するための制御回路（例えば、画像形成装置を制御するための制御装置１８に含まれている）にコネクタ及び配線を介して接続すればよい。【０２６９】
実施例２０〜実施例２５において説明した移動装置、回動装置、液体レンズ、液体プリズムの構成、構造も例示であり、適宜、変更することができる。例えば、実施例２０において説明した表示装置と実施例２５において説明した表示装置とを組み合わせてもよい。【０２７０】
輻輳角を調整すると同時に、例えば、図１９における点「Ａ」に光学系１１２，２５４の焦点が合うように、即ち、光学系１１２，２５４の焦点距離を可変とするために、光学系１１２，２５４を液体レンズから構成してもよい。このような液体レンズの模式的な模式的な断面図を図４４に示し、平面図を図４５に示すが、液体レンズはフレネルレンズから構成され、リング状のレンズ室が同心に配置されている。【０２７１】
即ち、液体レンズは、
（Ａ）終端部を有していない、所謂エンドレスの外壁部材７９、
外壁部材７９の頂面に取り付けられた天板７５、及び、
外壁部材７９の底面に取り付けられた底板７６、
を備えたハウジング、並びに、
（Ｂ）終端部を有しておらず、外壁部材７９と同心に配置された（Ｎ−１）個の隔壁部材７７、
を備えている。尚、ハウジングの外形形状は円形である。そして、（Ｎ−１）個の環状レンズ室、及び、第（Ｎ−１）番目の隔壁部材７７によって囲まれた中央レンズ室を有している。ここで、図示した例にあっては、Ｎ＝３とした。各レンズ室７８（７８1．７８2，７８3）は、液体レンズを構成する第１の液体６５及び第２の液体６６によって占められている。【０２７２】
第１番目のレンズ室（環状レンズ室）７８1は、外壁部材７９、第１番目の隔壁部材７７、天板７５、及び、底板７６から構成されている。そして、第１番目のレンズ室７８1を構成する天板７５の部分の内面には、液体レンズを構成する第１電極（以下、単に、『第１電極８１』と呼ぶ）が設けられており、第１番目のレンズ室７８1を構成する外壁部材７９の部分の内面には、液体レンズを構成する第２電極（以下、単に、『第２電極８２』と呼ぶ）が設けられており、第１番目のレンズ室７８1を構成する第１番目の隔壁部材７７の部分の内面には、液体レンズを構成する第３電極（以下、単に、『第３電極８３』と呼ぶ）が設けられている。【０２７３】
第（ｎ＋１）番目のレンズ室（環状レンズ室）７８(n+1)は、第ｎ番目（但し、ｎ＝１，２・・・Ｎ−２）の隔壁部材７７、第（ｎ＋１）番目の隔壁部材７７、天板７５、及び、底板７６から構成されている。そして、第（ｎ＋１）番目のレンズ室７８(n+1)を構成する天板７５の部分の内面には、第１電極８１が設けられており、第（ｎ＋１）番目のレンズ室７８(n+1)を構成する第ｎ番目の隔壁部材７７の部分の内面には、第２電極８２が設けられており、第（ｎ＋１）番目のレンズ室７８(n+1)を構成する第（ｎ＋１）番目の隔壁部材７７の部分の内面には、第３電極８３が設けられている。【０２７４】
第Ｎ番目のレンズ室７８Nに相当する中央レンズ室７８3を構成する天板７５の部分の内面には、第１電極８１が設けられており、中央レンズ室７８3を構成する第（Ｎ−１）番目の隔壁部材７７の部分の内面には、第３電極８３が設けられている。【０２７５】
尚、図示した例では、各レンズ室毎に第１電極８１が設けられているが、天板７５の内面に１枚の第１電極８１を設けてもよい。【０２７６】
この液体レンズにおいては、少なくとも第１の液体６５と第２の液体６６との界面が位置する外壁部材７９及び隔壁部材７７のそれぞれの表面には、実施例２２と同様に、撥水処理が施されている。底板７６から光が入射し、天板７５から光が出射する。そして、各レンズ室７８1，７８2，７８3において、第２電極８２に印加する電圧と第３電極８３に印加する電圧とを異ならせることで、液体レンズの光学パワーを変化させる。あるいは又、各レンズ室７８1，７８2，７８3において、第２電極８２に印加する電圧と第３電極８３に印加する電圧とを異ならせることで、液体レンズ全体としてフレネルレンズが構成される。【０２７７】
更には、実施例１〜実施例２５において説明した画像表示装置を、以下に説明するように、変形することも可能である。即ち、図４６に、例えば、実施例１あるいは実施例７の表示装置における光学装置及び調光装置の部分を正面から眺めた模式図を示すように、第２偏向手段１４０，３４０の射影像内に調光装置７００が位置する形態とすることもできる。ここで、調光装置７００に対向する光学装置１２０，３２０の部分に、例えば、映像に同期した映像に関する説明文やクローズド・キャプションの表示、芝居や歌舞伎、能、狂言、オペラ、音楽会、バレー、各種演劇、遊園地（アミューズメントパーク）、美術館、観光地、行楽地、観光案内等における観察対象物に関する各種説明、その内容や進行状況、背景等を説明するための説明文等の表示を行えばよい。
【符号の説明】
【０２７８】
１０・・・フレーム、１１・・・フロント部、１２・・・蝶番、１３・・・テンプル部、１４・・・モダン部、１５・・・配線（信号線や電源線等）、１６・・・ヘッドホン部、１７・・・ヘッドホン部用配線、１８・・・制御装置（制御回路）、１８Ａ・・・コマンド受信回路、１８Ｂ・・・信号処理回路、１８Ｃ・・・タイミング調整回路、１８Ｄ・・・送信回路、１８Ｅ・・・タイミング発生回路、１９・・・取付け部材、２１・・・瞳、３１・・・文字データ再生装置、３１’・・・画像データ及び文字データ再生装置、３２・・・文字データ無線送信装置、４０・・・移動装置、４１・・・モータ及びピニオンギア、４２・・・移動用ガイド部、４３・・・回動装置、４４・・・液体レンズ、４５・・・液体プリズム、５１・・・第１側面部材、５２・・・第２側面部材、５３・・・第３側面部材、５４・・・第４側面部材、５５・・・天板、５６・・・底板、５７・・・隔壁部材、６１・・・液体レンズを構成する第１電極、６２・・・液体レンズを構成する第２電極、６３・・・液体レンズを構成する第３電極、６４・・・絶縁膜、６５・・・第１の液体、６６・・・第２の液体、７５・・・天板、７６・・・底板、７７・・・隔壁部材、７８，７８1．７８2，７８3・・・レンズ室、７９・・・外壁部材、８１・・・液体レンズを構成する第１電極、８２・・・液体レンズを構成する第２電極、８３・・・液体レンズを構成する第３電極、１００，２００，３００，４００，５００・・・画像表示装置、１１１，１１１Ａ，１１１Ｂ，２１１・・・画像形成装置、１１２・・・光学系（コリメート光学系）、１１３，２１３・・・筐体、１２０，３２０・・・光学装置（導光手段）、１２１，３２１・・・導光板、１２２，３２２・・・導光板の第１面、１２３，３２３・・・導光板の第２面、１２４，１２５・・・導光板の一部分、１２６，３２６・・・保護部材（保護板）、１２７，３２７・・・接着部材、１３０・・・第１偏向手段、１４０・・・第２偏向手段、３３０・・・第１偏向手段（第１回折格子部材）、３４０・・・第２偏向手段（第２回折格子部材）、１５０・・・反射型空間光変調装置、１５１・・・液晶表示装置（ＬＣＤ）、１５２・・・偏光ビームスプリッター、１５３・・・光源、２５１・・・光源、２５２・・・コリメート光学系、２５３・・・走査手段、２５４・・・光学系（リレー光学系）、２５５・・・クロスプリズム、２５６・・・全反射ミラー、５２０・・・光学装置（半透過ミラー）、５２１・・・透明な部材、６１８・・・制御装置、６５１・・・送信装置（送信手段）、６５２・・・パーソナルコンピュータ、６５３・・・表示装置、７００，７００’，７００”・・・調光装置、７１０，７２０，７３０・・・遮光部材、７０１，７０１’，７０１”・・・第１基板、７０２，７０２”・・・第１電極、７０３，７０３’，７０３”・・・第２基板、７０４，７０４”・・・第２電極、７０５，７０５’，７０５”・・・光透過制御材料層、７０６・・・封止剤、７０７・・・接着剤、８０１・・・照度センサ（環境照度測定センサ）、８０２・・・第２の照度センサ（透過光照度測定センサ）
【図１】
0006003903.tif 000002
【図２】
0006003903.tif 000003
【図３】
0006003903.tif 000004
【図４】
0006003903.tif 000005
【図５】
0006003903.tif 000006
【図６】
0006003903.tif 000007
【図７】
0006003903.tif 000008
【図８】
0006003903.tif 000009
【図９】
0006003903.tif 000010
【図１０】
0006003903.tif 000011
【図１１】
0006003903.tif 000012
【図１２】
0006003903.tif 000013
【図１３】
0006003903.tif 000014
【図１４】
0006003903.tif 000015
【図１５】
0006003903.tif 000016
【図１６】
0006003903.tif 000017
【図１７】
0006003903.tif 000018
【図１８】
0006003903.tif 000019
【図１９】
0006003903.tif 000020
【図２２】
0006003903.tif 000021
【図２３】
0006003903.tif 000022
【図２４】
0006003903.tif 000023
【図２５】
0006003903.tif 000024
【図２６】
0006003903.tif 000025
【図２７】
0006003903.tif 000026
【図２８】
0006003903.tif 000027
【図２９】
0006003903.tif 000028
【図３０】
0006003903.tif 000029
【図３１】
0006003903.tif 000030
【図３２】
0006003903.tif 000031
【図３３】
0006003903.tif 000032
【図３４】
0006003903.tif 000033
【図３５】
0006003903.tif 000034
【図３６】
0006003903.tif 000035
【図３７】
0006003903.tif 000036
【図３８】
0006003903.tif 000037
【図３９】
0006003903.tif 000038
【図４０】
0006003903.tif 000039
【図４１】
0006003903.tif 000040
【図４２】
0006003903.tif 000041
【図４３】
0006003903.tif 000042
【図４４】
0006003903.tif 000043
【図４５】
0006003903.tif 000044
【図４６】
0006003903.tif 000045
【図４７】
0006003903.tif 000046
【図４８】
0006003903.tif 000047
【図２０】
0006003903.tif 000048
【図２１】
0006003903.tif 000049